(57)【要約】【課題】外部から化石燃料などの燃焼エネルギーを供給することをしないで、効率の良好な発電を行い、得られる電気エネルギーを有効に利用する装置を開発する。【解決手段】電界の効果を用いて、キャリアがポテンシャル障壁を通過することにより電気エネルギーが得られるので、キャリアにエネルギーの前供給(pre-supply)を行うことにより、多くのキャリアが電気エネルギーの発生に寄与する事になり、高効率の電界効果発電装置が実現される。【選択図】                  図１１
2012090358.tif 000002
【特許請求の範囲】
【請求項１】
キャリア出力物質、チャネル形成物質、キャリア加速装置の電極、絶縁物、非可逆過程発生部、加速チャネル、エネルギー蓄積器、キャリア吸収コレクタおよび電気的負荷を備え、
上記のキャリア出力物質とチャネル形成物質を電気的に接続し、チャネル形成物質の表面の一部に絶縁物を配置し、絶縁物の中にキャリア加速装置の電極を配置し、上記のチャネル形成物質の絶縁物側の表面に加速チャネルの１部分を形成し、上記のキャリア加速装置の電極によって発生する電界の効果によって上記のキャリア出力物質の中に存在するキャリアが上記のキャリア出力物質から上記のチャネル形成物質にインジェクションされ、上記のチャネル形成物質にインジェクションされた上記のキャリアが上記の加速チャネルの中で上記のキャリア加速装置の電極による電界の効果によって加速される事によりキャリアにエネルギーの前供給が行われ、上記のキャリアが上記の非可逆過程発生部を通過して上記のキャリア吸収コレクタに収集され、上記のキャリア吸収コレクタに吸収されたキャリアは上記のエネルギー蓄積器の一方の入力端子に入力され、上記のキャリア出力物質の中に残存するアンチ・キャリアが上記のエネルギー蓄積器の他方の入力端子に入力され、上記のキャリアと上記のアンチ・キャリアがペアを形成し、上記のエネルギー蓄積器に蓄積され、上記のエネルギー蓄積器を上記の電気的負荷と電気的に接続し、上記のキャリアと上記のアンチ・キャリアが上記の電気的負荷に移動する事により上記の電気的負荷に電気エネルギーを供給する事を特徴とする電界効果発電装置。
【請求項２】
上記のキャリア加速装置が複数個の電源および複数個の電極を含み、上記のキャリア加速装置の電極が上記の電源に電気的に接続され、複数個のキャリア加速装置の電極が上記のチャネル形成物質の周辺に絶縁物を介して配置されることにより加速チャネルを構成し、上記の加速チャネル内において上記のキャリア加速装置の電極の作用によってキャリア出力物質からチャネル形成物質にキャリアのインジェクションを行い、インジェクションされたキャリアを加速する事によりキャリアにエネルギーの前供給を行う事を特徴とする請求項（１）に記載の電界効果発電装置。
【請求項３】
上記のキャリア出力物質としてＰ型半導体及びＮ型半導体を用い、上記のチャネル形成物質としてＮ型半導体及びＰ型半導体を用いる事を特徴とする請求項（１）に記載の電界効果発電装置。
【請求項４】
上記の非可逆過程発生部が絶縁物および真空を含む事を特徴とする請求項（１）に記載の電界効果発電装置。
【請求項５】
キャリア出力物質、チャネル形成物質、キャリア加速装置、非可逆過程発生部、加速チャネル、エネルギー蓄積器、電子吸収コレクタおよび電気的負荷を備え、
上記のキャリア加速装置が上記のキャリア出力物質の中にある電子に作用する事により、上記の電子が上記のキャリア出力物質から上記の非可逆過程発生部を通過して上記のチャネル形成物質にインジェクションされ、上記のチャネル形成物質にインジェクションされた上記の電子が上記の加速チャネルに移動し、上記の加速チャネルにおいて上記のキャリア加速装置の作用によって上記の電子が加速される事により電子にエネルギーを前供給する事により、上記の電子が上記の非可逆過程発生部を通過して真空中にエミッションされ、上記のエミッションされた電子が電子吸収コレクタに収集され、上記の電子吸収コレクタに収集された電子は上記のエネルギー蓄積器の一方の入力端子に入力され、上記のキャリア出力物質の中に残存する正孔が上記のエネルギー蓄積器の他方の入力端子に入力され、上記の電子と上記の正孔がペアを形成し、上記のエネルギー蓄積器に蓄積され、上記のエネルギー蓄積器を上記の電気的負荷と電気的に接続し、上記の電子と上記の正孔が上記の電気的負荷に供給される事により上記の電気的負荷に電気エネルギーを供給する事を特徴とする電界効果発電装置。
【請求項６】
上記のキャリア吸収コレクタの周辺にサプレッサを配置する事を特徴とする請求項（５）に記載の電界効果発電装置。
【請求項７】
上記のキャリア出力物質およびチャネル形成物質に量子力学的に波動性を示すところの電磁波、電子、光子を照射する事により出力される電子の数を増加する事を特徴とする請求項（５）に記載の電界効果発電装置。
【請求項８】
上記のチャネル形成物質の表面の全面あるいは１部分に２次電子放出部材を配置する事を特徴とする請求項（５）に記載の電界効果発電装置。
【請求項９】
偏向電極および偏向磁極を用いてエミッションされた電子の軌道を偏向する事を特徴とする請求項（５）に記載の電界効果発電装置。
【請求項１０】
熱伝導器を配置し、上記の電子吸収コレクタに発生する熱エネルギーが熱伝導器を経由して上記のキャリア出力物質および上記のチャネル形成物質に供給される事により電子に前供給する事を特徴とする請求項（５）に記載の電界効果発電装置。
【請求項１１】
上記のチャネル形成物質として炭素系物質を用い、上記の炭素系物質の表面にサブ・ナノメータ物質を配置する事を特徴とする請求項（５）に記載の電界効果発電装置。
【請求項１２】
上記のキャリア加速装置に用いる電源の電圧を制御する事により出力電圧を制御する事を特徴とする請求項（５）に記載の電界効果発電装置。
【発明の詳細な説明】
【技術分野】
【０００１】
本発明は、電界の効果を用いて発電を行う装置に関する。石炭や石油などの化石を燃焼させることにより得られるエネルギーは地球環境の劣化とそれらの埋蔵量に限界があることにより、非常に長期的にそれらを使用することは困難である。しかし、電界効果発電装置を開発することにより、環境問題を解決し、化石エネルギー枯渇問題から解放されることは人類の生存には必要である。本発明の電界効果発電装置を用いると、電界により加速された電子の運動エネルギーを電気エネルギーに効率良く変換することが可能になる。従って、本発明の電界効果発電装置を普及させると、地球温暖化の原因である二酸化酸素の総排出量が押さえられ、有害な廃棄物の排出量も減少し、石炭、石油、ガス、原子力などの化石エネルギーに付随した枯渇問題も解消されるので、人類の長期的な生存に必要なエネルギーが本発明の電界電子発電装置によって安定的に供給される可能性がある。
【０００２】
本発明は、電界効果を利用して、キャリア出力物質からチャネル形成物質にキャリアのインジェクションを行い、インジェクションされたキャリアがチャネル形成物質の表面にある加速チャネル内において加速される事により、キャリアにエネルギーの前供給を行い、ポテンシャル障壁を量子力学的なトンネル効果によりキャリアが貫通して突破し、キャリア吸収コレクタにキャリアが収集されることにより効率的な発電を行う装置に関する。
【背景技術】
【０００３】
石炭・石油などの化石燃料を燃焼すると、大気中に二酸化炭素が放出される。放出された二酸化炭素は温室効果ガスとして作用することにより、地球温暖化が進行する。しかし、人類が文明を維持するにはエネルギーを必要とする。発電により電気エネルギーを得ることは必要である。従って、従来の発電装置の問題点を下記に示す。
（１）石炭発電
（ａ）  石炭は地球上に多く存在し、価格は安く、供給体制も安定している。しかし、石炭を燃焼すると、２酸化炭素を大気中に多量に排出し、排出された２酸化炭素は温室効果ガスとして作用し、地球温暖化の原因となる。    （ｂ）石炭を燃焼すると、窒素酸化物や硫黄酸化物を大気中に多く排出し、酸性雨の原因となり、地球環境に悪影響を与える。    （ｃ）石炭燃焼後には石炭灰が残存し、その処理を行うためには費用や場所などの難問が発生する。
（２）石油発電
（ａ）  石油を燃焼すると、２酸化炭素を大気中に多量に排出し、排出された２酸化炭素は温室効果ガスとして作用し、地球温暖化の原因となる。    （ｂ）  石油の埋蔵量は有限であり、原油価格が高騰し、供給体制が不安定になる可能性がある。
（３）原子力発電
（ａ）原子核から放射線が排出され、これが人体に悪影響を与える可能性が高い。    （ｂ）核燃料の使用後の廃棄処理には費用と場所の難問がある。    （ｃ）地震などにより原子力発電の安全性が問題となる場合もある。
（４）太陽電池
（ａ）２酸化炭素を排出しないが、発電効率が良好でない。    （ｂ）シリコンを用いるので、製造価格が高い。    （ｃ）夜間や太陽が出ていない期間には使用することができない。
（５）風力発電
（ａ）２酸化炭素を排出しないが、発電効率が良好でない。    （ｂ）装置が大型になるので、製造価格が高い。    （ｃ）風が吹かない期間には使用することができない。
【０００４】
従来の発電方式の全ては既に存在するエネルギー源を電気エネルギーに変換する装置である。エネルギー変換装置には種々の欠点があり、化石資源の有限性と地球環境を考慮すると、持続可能な新規のエネルギー源を創出する必要がある。文明社会においては、殆ど全ての機器や輸送装置が多量のエネルギーを消費するので、効率の良好な発電装置の開発が望まれる。さらに、発電装置の製造価格が高くならない材料や構造を用いる必要がある。発電された電気エネルギーの価格が使用者の負担にならないようにするには、発電装置の耐久性が充分に確保されている装置の開発が望ましい。本発明の電界効果発電装置は従来のエネルギー変換装置とは原理的に異なり、真の電気エネルギー創出を行うことができる。
本発明の電界効果発電は従来の発電とは根元的に異なる新規の方式である。従って、用語を厳密に使い分ける必要があるので、用語の定義を以下に記述する。
【０００５】
（発電の定義）
装置内に２個の導電性物質およびそれらの導電性物質の間に絶縁物質が存在する場合において、外部のエネルギー源である熱エネルギーや太陽光エネルギーを装置に供給することを行わずに、２個の導電性物質の内の１個の導電性物質から正電荷あるいは負電荷を有するキャリアが他の１個の導電性物質に移動することにより、１個の導電性物質が正電荷を有する正電極となり、他の導電性物質が負電荷を有する負電極になることにより電気エネルギーを供給することが可能となれば、電気エネルギーが創出される。この現象を真の発電と定義する。
【０００６】
（発電とエネルギー変換の差異）
装置の外部にエネルギー源があり、外部エネルギーを装置内に取り入れ、取り入れたエネルギーを電気エネルギーに変換することをエネルギー変換と呼ぶ。外部から装置にエネルギーが供給されずに、装置の内部で出力エネルギーの全てが生成される場合には、それは純粋の発電装置であると言える。装置から出力されるエネルギーが外部から入力するエネルギーよりも大きい場合には、装置の内部において発電が行われたと見なされるので、それは広義の発電装置である。
【０００７】
（電界効果発電の理論）
図１には、物質の通常の状態を示す。同図において、キャリア出力物質１の中には正電荷を有する正孔４９および負電荷を有する電子５０が殆ど等量に含まれており、それらが互いにクーロンの法則に従う静電気力により引き合うので、キャリア出力物質１から正電荷あるいは負電荷が離脱して外部に放出されることは殆どない。ところが、通常の物質に何らかの処置を施すことにより物質内から正電荷あるいは負電荷が放出され、他の物質に移動する場合を考察する。図２に示すように、例として物質内から負電荷を保有する電子が他の物質に移動する場合には、電子が過剰になり負電荷が蓄積する物質は電源負電圧端子４４となり、電子が不足して正電荷が残存する物質は電源正電圧端子４３となる。この状態になると、電気エネルギーが発生する。電子が１つの物質から他の物質に移動すれば、移動先の物質には負電荷が蓄積され、移動元の物質には正電荷が残存する。従って、電源正電圧端子４３と電源負電圧端子４４を導電線で接続すると、電子が電源負電圧端子４４から電源正電圧端子４３に移動することにより、電流が電源正電圧端子４３から電源負電圧端子４４に流れる。上記の現象をエネルギーの観点から考察すると、電子が移動先の物質から放出され、移動元の物質に移動することにより発電が行われ、電気エネルギーが発生する。実際には、図３に示すように、電源正電圧端子４３と電源負電圧端子４４の間には絶縁物８が存在する。電気エネルギーを効果的に発生するには、発生した電気エネルギーを一時的にエネルギー蓄積器１５に蓄える必要がある。図４に示すように、電源正電圧端子４３と電源負電圧端子４４の間にエネルギー蓄積器１５を接続すると、電源正電圧端子４３から正孔が出力されてエネルギー蓄積器１５の一方の端子に移動し、電源負電圧端子４４から電子が出力されてエネルギー蓄積器１５の他方の端子に移動する事により電気エネルギーがエネルギー蓄積器１５に蓄積される。図５に示すように、エネルギー蓄積器１５に電気的負荷５を並列的に接続すると、エネルギー蓄積器１５から出力される電流が電気的負荷５に流れることにより、発生した電気エネルギーが消費される。電子を１つの物質から他の物質に移動すると、電気エネルギーが発生するので、電子を効果的に移動する方法を考察する。図６に示すように、１つの物質をキャリア出力物質１として、他の物質を電子吸収コレクタ２６とする。キャリア出力物質１と電子吸収コレクタ２６の間には絶縁物がある。なぜならば、絶縁物がなければ、キャリア出力物質１の内部に存在する正電荷と電子吸収コレクタ２６の内部に存在する負電荷がクーロンの法則に従う静電気力を受けて、電子がキャリア出力物質１に帰還することにより電気エネルギーとして利用できないからである。キャリア出力物質１と電子吸収コレクタ２６の間に絶縁物８として真空がある場合を考察する。キャリア出力物質１から電子吸収コレクタ２６に電子を移動するために、中間媒体としてチャネル形成物質２をキャリア出力物質１に接触して配置する。図７に示すように、キャリア出力物質１とチャネル形成物質２が電気的に良好に接続する場合には、キャリア出力物質１とチャネル形成物質２の間にポテンシャル障壁発生部２０が存在し、これがキャリアの移動を阻止する。さらに、チャネル形成物質２と真空との間には、非可逆過程発生部に相当するポテンシャル障壁が存在し、電子がエミッションすることを阻止する。従って、キャリア出力物質１の中にある電子を電子吸収コレクタ２６に移動するために、電子に運動エネルギーを与える。本発明の電界効果発電においては、電界の作用を利用して電子に運動エネルギーを与える。キャリア加速装置３の内部には電界を発生するための電極があり、その電極に正電荷を蓄積すれば電界が発生し、発生する電界の効果により電子を加速すると、電子が運動エネルギーを保有する。運動エネルギーを保有する電子はキャリアとなり、図８に示す加速チャネル９の内部を移動する。電子に運動エネルギーを与えると電子はインジェクションをする場合とエミッションをする場合がある。
【０００８】
（１）電子がインジェクション（injection）を行う場合
一般的には、電子又は正孔などのキャリアに充分な運動エネルギー（kinetic energy）を与える事によりホット・キャリア（Hot carrier）を生成し、ホット・キャリアがポテンシャル障壁（potential barrier）を通過することにより、ホット・キャリアが異なる領域に移動する事をインジェクションと言う。この現象は量子力学的なトンネル(quantum tunneling)である。すなわち、キャリアが波動性を有するので、量子力学的なトンネル効果によってキャリアがポテンシャル障壁を貫通して移動する。キャリアが保有する運動エネルギーを充分に大きくすると、超ホット・キャリア(ultra-hot-carrier)が発生する。一方の物質Ａと他方の物質Ｂの間のポテンシャル障壁が低い場合には、物質Ｂに多くの電子が蓄積されると、物質Ｂから物質Ａに漏洩する電子が発生し、発電電圧を高くすることができない。従って、発電電圧を高くするために物質Ａと物質Ｂの間のポテンシャル障壁を高く設定する。ポテンシャル障壁が高い場合には、ポテンシャル障壁を量子力学的なトンネル効果により貫通して通過する電子の数が少ない。従って、高いポテンシャル障壁を越えるためには、物質Ａの内部に存在するキャリアが充分に大きい運動エネルギーを保有する必要がある。ところが、超ホット・キャリア(ultra-hot-carrier)が保有する運動エネルギーは充分に大きいので、高いポテンシャル障壁を越えることが可能となる。この現象を超ホット・キャリアのインジェクション(ultra-hot-carrier injection)と呼ぶ。本発明の電界効果発電装置においては、電界を効果的に利用することにより超ホット・キャリア(ultra-hot-carrier)を生成し、超ホット・キャリアのインジェクション(ultra-hot-carrier injection)によって高いポテンシャル障壁を量子力学的トンネル効果により貫通して通過することにより物質Ｂに多くのキャリアを蓄積させ、高い発電電圧を得ることにより効率的な発電を行う。図９に示す加速チャネル９の内部において、キャリア出力物質１からチャネル形成物質２にインジェクションされた電子がチャネル形成物質２の表面を移動する。同図において、キャリアの表面移動２３は電子がチャネル形成物質２の表面を移動することを示す。
【０００９】
（２）電子がエミッション(emission)を行う場合
電子が物質から離脱し、真空に放出されることをエミッションと呼ぶ。エミッションには、熱エミッション(thermal emission)と冷エミッション(cold emission)の２種類がある。    （ａ）物質(cathode)に熱エネルギーを与える場合には、電子が大きな運動エネルギーを保有するので、熱エミッション現象により弱電界中においても真空中に電子のエミッションが行われる。  （ｂ）極めて細い先端をもつ物質を作成し、その先端部に電界を集中すると、冷エミッション（あるいは電界放出）現象により強電界中において電子が真空中にエミッションされる。
電子を物質中から真空中にエミッションするには、電子が充分に大きい運動エネルギー(sufficient kinetic energy)を保有する必要がある。すなわち、充分に大きい運動エネルギー(sufficient kinetic energy)を保有する電子を生成することにより、高いポテンシャル障壁を量子力学的なトンネル効果により貫通・通過すれば、高い発電電圧が得られる。図１０に示すように、電子が充分に大きい運動エネルギーを保有する場合には、電子がチャネル形成物質２の表面から離脱して、真空中にエミッションされる。電子の動きはエミッション２３の矢印によって示される。真空中にエミッションされた電子は加速チャネル９の内部において加速され、電子吸収コレクタ２６に衝突し、それに吸収される。従って、電子吸収コレクタ２６には電子が過剰になり、負電位になる。一方、電子を出力したキャリア出力物質１には正電荷が残存し、正電位になる。故に、正電位のキャリア出力物質１を電源正電圧端子とし、負電位の電子吸収コレクタを電源負電圧端子とすると、両端には電気エネルギーが発生する。以上の発電過程においては、外部から供給するエネルギーは殆どない。電界を発生する電極は絶縁物８の内部に配置するので、電極から漏洩する電流が殆どないので、効率の良好な発電が行われる。発生する電気エネルギーは電界の効果により電子が加速されて運動エネルギーを獲得して結果である。従って、本発明の電界効果発電は電気エネルギーの創出であり、エネルギー変換とは異なるので、エネルギー保存則を適用する必要性はない。
【００１０】
（エネルギー蓄積器）
発電現象により正電荷を有する正電極と負電荷を有する負電極が発生すると、発生した正電荷と負電荷は、次の時刻に発生する正電荷と負電荷の各々が正電極と負電極に移動することを妨げる。従って、正電荷が正電極に到達すると、正電荷をエネルギー蓄積器の一方の端子に移動し、負電荷が負電極に到達すると、負電荷をエネルギー蓄積器の他方の端子に移動することにより効率的な発電が可能となる。
（電気エネルギーの消費）
正電荷を保有する物質と負電荷を保有する物質の間に電気的負荷が接続されると、電気的負荷に電流が流れ、正電荷と負電荷が消滅する現象を電気エネルギーの消費と呼ぶ。  （キャリアの加速）
物質中に存在する正電荷が移動すれば、正電荷キャリアとなり、負電荷が移動すれば、負電荷キャリアとなる。通常においては、正電荷キャリアを正孔とよび、負電荷キャリアを電子と呼ぶ。正電荷キャリアおよび負電荷キャリアがクーロンの法則に従う静電気力により移動することをキャリアの加速と言う。
【００１１】
（キャリアの収集）
正電荷キャリアあるいは負電荷キャリアがコレクタに収集されること。
【００１２】
（ポテンシャル障壁）
正電荷あるいは負電荷の移動がクーロンの法則に従う静電気力によって妨げられる場合にはポテンシャル障壁が存在する。
【００１３】
（インジェクションとエミッションにおけるポテンシャル障壁の差異）
インジェクションは電気的に接続された２個の異なる物質間におけるキャリアの移動である。２個の異なる物質の境界に存在するポテンシャル障壁をキャリアが量子力学的なトンネル効果により貫通して突破すれば、インジェクションが行われる。上記の２個の異なる物質は共に導電性物質あるいは半導体物質であるので、２個の異なる物質の境界に存在するポテンシャル障壁は比較的に低い状態にあるので、キャリアが保有する運動エネルギーが比較的に小さい場合においてもインジェクションを行うことは可能である。導電性物質が真空中に存在する場合には、上記の導電性物質から電子が真空中へのエミッションが行われ、エミッションされた電子がコレクタに収集されることにより発電が実現する。この場合には、真空中にエミッションされて飛翔する電子をコレクタに収集することは比較的に容易である。しかし、導電性物質から真空中に電子をエミッションさせることは非常に困難である。その理由は、物質と真空との境界に存在するポテンシャル障壁が比較的に高いので、通常の状態においては、物質から真空中に電子をエミッションさせることは非常に困難である。仮に、外部に存在するエネルギーを導電性物質に供給することができる場合には、導電性物質の内部に存在する電子が大きい運動エネルギーを獲得することができるので、物質内から真空中に電子をエミッションさせる事は比較的に容易となる。しかし、この場合には発電現象ではなく、単なるエネルギー変換が行なわれた事となり、本発明の発電装置とは根本的に異なる。従って、外部から供給されるエネルギーが存在しない場合において、導電性物質の内部に存在する電子が大きい運動エネルギーを獲得する事を実現し、その運動エネルギーを利用して、導電性物質と真空との間にあるポテンシャル障壁を量子力学的なトンネル効果により電子の真空中へのエミッションが実現される条件を考察する。
【００１４】
（スライディング・エミッション(sliding & emission)）
電界効果発電を実施するには、電子を物質内から離脱させる必要がある。電界の効果を用いて電子を放出することは可能であるが、通常では電子の放出量が少ない。従って、発電効率を良好にするため、電子の放出量を増加する手法を開発する。電子が物質内の正電荷によりクーロンの法則に従う静電気力による拘束から離脱する事を考察するには、飛翔物体が地球引力からの離脱する場合を参考にする。ニュートンの万有引力の法則により物体は地球に引き寄せられ、そこから離脱することは困難な状態にある。ロケット噴射の場合には、燃料を爆発的に反応させる事により地球引力に打ち勝ち、地球表面から離陸する。ところが、飛翔体である飛行機はロケットとは異なる方法で離陸する。すなわち、飛行機は離陸する前に滑空を行う。すなわち、飛行機は離陸直前に滑走路の表面を移動し、加速することにより、機体が充分に運動エネルギーを保有する状態に達すると、離陸が可能になる。電子が物質から離脱し、真空中に放出される場合にも電子が充分に大きい運動エネルギーを保有する必要がある。電子も物質の表面上において加速しながらスライディング移動を行うことにより充分な運動エネルギーを獲得することが可能となり、クーロンの法則に従う静電気力に打ち勝って物質外に放出される。飛行機の離陸とロケットの離陸において使用する燃料の大差を考慮すると、電子を物質表面で加速し、充分に運動エネルギーを獲得した後に、物質から電子を放出すると、物質からの離脱に必要なエネルギーが少なくなり、効率的になる。電子が物質の表面において加速しながら移動し、その後に真空中にエミッションされる事をスライディング・エミッション(sliding & emission)と呼ぶ。チャネル形成物質２の表面に配置する絶縁物８の中に複数個の電極を配置し、それらの電極に正電荷を供給すると、チャネル形成物質２にインジェクションされた電子が加速力を受けて電子のスライディング・エミッションを起こす。電子がスライディング・エミッションを行うことにより、電子が運動エネルギーを獲得し、その後に、電子は物質から完全に離脱し、真空中にエミッションされる。この際に電極は絶縁物の中にあるので、電極から流れ出る電流が殆ど皆無であるので、エネルギーの損失は殆ど零である。従って、本発明においては電子のスライディング・エミッションを利用する事により、効率の良好な発電を行う。導電性物質あるいは半導体物質の表面において、電子を高速に移動させる事が実現されると、電子が物質から離脱して真空中にエミッションさせることが比較的に容易になり、発電現象が実現される。導電性物質あるいは半導体物質の表面において、電子を高速に移動する状態は電子の２次元面における移動である。ところが、通常の物質は３次元であるので、物質内における電子の２次元面における移動を実現するには特別な工夫を行う必要がある。すなわち、電子が移動する次元を１個だけ減少することにより、物質内における電子の２次元面における移動を実現する事が可能となる。物質内における電子の２次元面における移動を実現するには次に示す方法がある。
【００１５】
（１）非常に厚さが薄い物質を作成する。
（２）キャリアである電子が少ない物質を作成する。
カーボン系の材料を用いてグラフェンを製作すると、非常に厚さが薄い物質ができ、その表面を電子が水平方向に移動することが可能となり、加速チャネル９において電子を加速し、電子に大きい運動エネルギーを与えることが可能となる。さらに、Ｐ型半導体とＮ型半導体を用いてＰＮ接合を形成し、電界効果を適用して、Ｎ型半導体のマジョリティ・キャリアである電子をＰ型半導体にインジェクションすれば、Ｐ型半導体中において電子がマイノリティ・キャリアであるので、電子がＰ型半導体の表面の加速チャネルにおいてスライディング移動を行う。Ｐ型半導体の概２次元表面にある加速チャネル９において電子を加速し、電子に大きい運動エネルギーを与えることが可能となる。      （発電条件１）２個の異なる物質の間においてキャリアのインジェクションが行われる。    （発電条件２）電子にスライディング・エミッション(sliding & emission)を行わせる。    （発電条件３）物質中の電子を真空中にエミッションさせる。    （発電条件４）真空中にエミッションされた電子がコレクタに収集される。    （発電条件５）正電荷と負電荷がエネルギー蓄積器に移動する。    （発電条件６）エネルギー蓄積器の両端に電気的負荷が接続され、電気的負荷に電流が流れることにより、正電荷と負電荷が消滅する。
【００１６】
（エネルギーの前供給(pre-supply)）
電界効果発電を良好に行うために、物質内にある電子に予めエネルギーを供給する。物質の中から電子が真空中にエミッションされる現象は、以下に示す2種類に分類される。
（１）急なエミッション(abrupt emission)
温度の低い物質に外部から電界を加えると、電子が物質から電界放出される。これを冷陰極エミッションと言う。この際には、電子放出物質の中の電子が保有する運動エネルギーが小さいが、高電界の効果によってエミッションを行う。冷陰極から電子を電界放出するには、次に示す条件を満たす必要がある。
（１）充分に高い電界を電子放出物質に加える。
（２）電子放出物質の端の曲率半径を充分に小さくすることにより、その先端部に電界を集中する。
【００１７】
冷陰極から電子を電界放出する場合には、物質内の電子に対して何の前処理も行わずに、高電界の効果により物質の中から電子を真空中にエミッションをするので、エミッションを行う電子の数が非常に少ないなどの欠点がある。冷陰極から電子を電界放出する現象を急なエミッション(abrupt emission)と言う。急なエミッションを行うには、物質の外部から加える電界を充分に強くする必要がある。電子に急なエミッションを行うと、エミッション量が少ないので、良好な効率で発電を行うことは非常に困難であった。すなわち、加える電界を強くすると、電極から漏洩する電流が多くなり、電子放出物質の先端の曲率半径を小さくすると、その耐久性に難点が発生し、実用的な発電を行うことが困難であった。そこで、本発明においては、下記に記述する前処理をエミッション前の電子に施す。
【００１８】
（２）スライディング後のエミッション
急なエミッションを行うと、発電効率が低下するので、電子がエミッションを行う前に適切な処理を施す。電子に予め運動エネルギーを供給する過程をエネルギーの前供給(pre-supply)と言う。電子がエミッションを行う直前に電子にエネルギーの前供給を行うことにより、エミッションを行う電子の数が増加するので、発電効率が向上する。本発明においては、電子放出物質の内部にある電子にエネルギーの前供給を行う。
【００１９】
以下には、電子放出物質の内部にある電子にエネルギーの前供給を行う処置の詳細を記述する。キャリアを移動するために電極を用い、電極に電圧を加える。電子の各状態に対応して電極を使い分ける。電極は下記に示す５種類がある。
（１）インジェクション電極(injection electrode)    （２）スライディング電極(sliding electrode)    （３）トンネル電極(tunneling electrode)    （４）エミッション電極(emission electrode)    （５）加速電極(accelerating electrode)     以下には、これらの５種類の電極の詳細を記述する。
【００２０】
（１）インジェクション電極(injection electrode)
２種類の導電性又は半導体の物質があり、それらを物質Ａと物質Ｂとする。物質Ａと物質Ｂは互いに電気的に接触して配置される。電界の効果によってキャリアを物質Ａから物質Ｂにインジェクション（注入）する場合を考察する。物質Ｂの上表面に絶縁物を配置し、絶縁物の内部にインジェクション電極(injection electrode)を配置する。物質Ａからキャリアがインジェクションされるので、物質Ａをキャリア出力物質と呼ぶ。電源からインジェクション電極に正電荷を供給し、キャリア出力物質には負電荷を供給する。正電荷が供給されるインジェクション電極と負電荷が供給されるキャリア出力物質の間には電界が発生する。発生する電界の効果によってキャリア出力物質から物質Ｂにキャリアのインジェクションが行われる。インジェクションが行われたキャリアは物質Ｂの表面に形成されるチャネル(channel)内を移動する。物質Ｂの表面にチャネルが形成されるので、物質Ｂをチャネル形成物質と呼ぶ。キャリア出力物質からチャネル形成物質にキャリアのインジェクションが行われると、その反作用により、チャネル形成物質からキャリア出力物質にアンチ・キャリアのインジェクションが行われる。キャリアが電子である場合には、アンチ・キャリアは正孔であり、キャリア出力物質からチャネル形成物質に電子のインジェクションが行われると、その反作用により、チャネル形成物質からキャリア出力物質に正孔のインジェクションが行われる。逆に、キャリアが正孔である場合には、アンチ・キャリアは電子であり、キャリア出力物質からチャネル形成物質に正孔のインジェクションが行われると、その反作用により、チャネル形成物質からキャリア出力物質に電子のインジェクションが行われる。インジェクション電極は絶縁物の中に配置されるので、キャリア出力物質およびチャネル形成物質とインジェクション電極との間のインピーダンスは高い状態で保持される。従って、電源からインジェクション電極に電圧が加えられても、電源から流出する電流は極めて微少量であるので、電源から供給する電力も極めて微少量となり、発電効率が向上するので、実用性が満たされる。
【００２１】
（２）スライディング電極(sliding electrode)
チャネル形成物質の表面には絶縁物が配置される。チャネル形成物質の表面と絶縁物の境界付近に加速チャネルが形成される。加速チャネル内にある電子がスライディング状に移動するためにスライディング電極(sliding electrode)を用いる。スライディング電極は上記の絶縁物の中に配置される。キャリアが電子である場合には、スライディング電極には正電荷が蓄積される。スライディング電極に蓄えられた正電荷と電子が保有する負電荷の間にはクーロンの法則に従う引力が働く。従って、電界の効果によって電子はチャネル内をスライディング状に移動し、次第に加速される。キャリアが正孔である場合には、スライディング電極に負電荷を蓄積する。スライディング電極に蓄えられた負電荷と正孔が保有する正電荷の間にはクーロンの法則に従う引力が働く。従って、電界の効果によって正孔はチャネル内をスライディング状に移動し、次第に加速される。スライディング電極は絶縁物の中に配置されるので、キャリア出力物質およびチャネル形成物質とスライディング電極との間のインピーダンスは高い状態で保持される。従って、電源からスライディング電極に電圧が加えられても、電源から流出する電流は極めて微少量であるので、電源から供給する電力も極めて微少量であり、発電効率が向上するので、実用性が満たされる。
【００２２】
（３）トンネル電極(tunneling electrode)
チャネル形成物質の表面には加速チャネルがあり、加速チャネルの終端には非可逆過程発生部がある。すなわち、チャネル形成物質の端には絶縁物が配置されている。配置される絶縁物は非常に薄い場合には、絶縁薄膜と呼ばれる。キャリアに対して絶縁薄膜は非可逆過程発生部として作用し、非可逆過程発生部にはポテンシャル障壁が存在する。絶縁物が厚い場合には、キャリアはポテンシャル障壁を越えて通過することができない。しかし、量子力学的に考察すると、キャリアには波動性があり、絶縁物が薄膜である場合には、キャリアがポテンシャル障壁をトンネル効果により貫通して通過するキャリアが存在する。すなわち、キャリアが充分に大きい運動エネルギーを保有する事により、キャリアがホット・キャリア(hot carrier)となる場合には、ホット・キャリアが量子力学的トンネル効果によりポテンシャル障壁を貫通して通過する。この場合において、ホット・キャリアを発生させるためにトンネル電極(tunneling electrode)が用いられる。トンネル電極とチャネル形成物質の間には二酸化シリコンなどの絶縁物が配置されるので、トンネル電極から流出する電流は極めて微少である。従って、トンネル電極が電界を発生するために電源から投入する電力は極めて少ない。トンネル電極に蓄えられる電荷とチャネル内にあるキャリアが互いにクーロンの法則に基づく引力によってキャリアが加速される。故に、量子力学的なトンネル効果によってキャリアはポテンシャル障壁を貫通して通過する。ポテンシャル障壁を貫通して通過したキャリアは最終的にキャリア吸収コレクタに収集される。キャリア吸収コレクタに収集されたキャリアは元の状態に逆戻りすることができないので、トンネル効果によりポテンシャル障壁を貫通して通過する過程は非可逆的である。キャリアが非可逆的な過程を通過することにより新規のエネルギーが発生する。
【００２３】
（４）エミッション電極(emission electrode)
チャネル形成物質の端に配置されている絶縁物が薄膜である場合には、トンネル電極の作用により、量子力学的なトンネル効果に基づきキャリアがポテンシャル障壁を貫通して通過する。しかし、チャネル形成物質の端に配置されている絶縁物が真空である場合には、異なる現象が発生する。キャリアが電子であり、チャネル形成物質の端に真空がある場合には、真空中に電子を放出するためにエミッション電極(emission electrode)を用いる。チャネル形成物質の端にある真空は非可逆過程発生部となり、そこにポテンシャル障壁が存在する。このポテンシャル障壁は物質の仕事関数(work function)に対応する。電子が保有する運動エネルギーが小さい場合には、チャネル形成物質と真空の境界にあるポテンシャル障壁を通過することができない。しかし、電子が保有する運動エネルギーが充分に大きい場合には、波動性特性を示す電子の波長が充分に短くなり、量子力学的なトンネル効果により、チャネル形成物質と真空の境界にあるポテンシャル障壁を貫通して通過することが可能となる。スライディング電極に蓄積される正電荷によって電界が発生し、電界効果によって電子がチャネル内において加速され、電子が充分に大きい運動エネルギーを保有する。充分に大きい運動エネルギーを保有する電子はチャネル形成物質の端から真空中にエミッションされる。エミッション電極とチャネル形成物質との間には、二酸化シリコンなどの絶縁性の良好な物質を配置する事により高抵抗状態が保持される。エミッション電極とチャネル形成物質との間は高抵抗状態になっているので、電源からエミッション電極に電圧を加えてもエミッション電極から漏洩する電流は極めて微少となる。従って、エミッション電極を配置しても、この部分で消費される電力損は極めて少ないので、発電効率が良好になる。
【００２４】
（５）加速電極(accelerating electrode)
エミッション電極に蓄えられた正電荷によって電界が発生し、電界の効果によってチャネル形成物質から電子がエミッションされる。エミッションされた電子は電子吸収コレクタの方向に飛翔する。初期状態においては、電子吸収コレクタに電荷が蓄積されていないので、飛翔する電子は容易に電子吸収コレクタに到達し、それに吸収される。電子吸収コレクタに負電荷が蓄積されている場合には、蓄積されている負電荷と飛翔電子が保有する負電荷の間にはクーロンの法則に基づく反発力が働く。従って、電子は電子吸収コレクタから反発力を受けて電子吸収コレクタに接近することができない。飛翔する電子が電子吸収コレクタからの反発力に打ち勝って、電子吸収コレクタに接近するには、飛翔する電子が保有する運動エネルギーを充分に大きくする必要がある。飛翔する電子の速度を上げるためには加速電極(accelerating electrode)を用いる。加速電極は電子の飛翔方向の前方に配置し、これに正電荷を蓄積する。加速電極の位置と絶縁物の位置を調整することにより、飛翔電子は加速電極には到達することはできない。電源から加速電極に供給された正電荷が電子の保有する負電荷に作用する事により飛翔電子が加速される。飛翔電子が加速されて保有する運動エネルギーが充分に大きくなると、電子吸収コレクタに蓄積された負電荷からの反発力に打ち勝つので、電子が電子吸収コレクタに接近する。電子が電子吸収コレクタに充分に接近すると、静電気誘導により電子吸収コレクタの表面に正電荷が出現する。電子吸収コレクタの表面に出現する正電荷と電子が保有する負電荷がクーロンの法則に基づく力により引き合うので、飛翔電子は電子吸収コレクタの表面に出現する正電荷に衝突し、電子吸収コレクタに収集される。電子を収集した電子吸収コレクタは負電荷が蓄積され、これを電気エネルギーとして利用することができる。なお、電子吸収コレクタに蓄積された負電荷が漏洩することを阻止するために、電子吸収コレクタは絶縁物の内部に配置される。
【００２５】
石炭や石油などの化石燃料を使用しない発電として下記の特許文献がある。
【特許文献１】特許第３４４９６２３号公報（発明の名称：太陽光エネルギー変換装置、発明者：赤松則男、本発明者と同一）      この特許文献１においては、装置の外部にあるエネルギー源である太陽光を用いて発電を行う。すなわち、特許文献１においては、太陽光を物質に受光させて熱エネルギーに変換し、これによって加熱された物質から熱電子を放出させ、この熱電子放出を利用して熱エネルギーを電気エネルギーに変換することによる発電方法が記述されている。結論として、特許文献１においては外部エネルギーを電気エネルギーに変換することにすぎず、特許文献１の方法は上記に記載の（発電の定義）に合致しないので、単なるエネルギー変換装置であり、本発明とは本質的に異なる。なお、太陽光が殆ど無くなる夜間や雨天には、特許文献１の太陽光エネルギー変換装置を利用することが出来ないなどの欠点がある。しかし、本発明の電界効果発電装置は外部のエネルギーを必要としない。すなわち、本発明の電界効果発電装置内で電子を加速する事により得られる運動エネルギーを電気エネルギーに変換するので、真の発電装置であると言える。
【００２６】
【特許文献２】特開２００３−１８９６４６号公報（発明の名称：太陽光エネルギー変換装置および太陽光エネルギー変換システム、発明者：赤松則男、本発明者と同一）        この特許文献２においても、装置の外部にあるエネルギー源である太陽光を用いて発電を行う。すなわち、特許文献２は太陽光を電気エネルギーに変換するエネルギー変換装置およびそのシステムに関する。結論として、特許文献２は上記に記載の（発電の定義）に合致しないので、単なるエネルギー変換装置に関して記載されており、本発明とは本質的に異なる。太陽光が殆ど無くなる夜間や雨天には、特許文献２の太陽光エネルギー変換装置を利用することが出来ないなどの欠点がある。しかし、本発明の電界効果発電装置は外部のエネルギーを必要としない。すなわち、本発明の電界効果発電装置内で電子を加速する事により得られる運動エネルギーを電気エネルギーに変換するので、真の発電装置であると言える。
【００２７】
【特許文献３】特開２００３−２５０２８５号公報（発明の名称：熱発電装置、熱発電システム、発明者の一人は本発明の発明者（赤松則男）と同一）        この特許文献３においては、電気エネルギーを取り出すために、多量の熱エネルギーを投入している。すなわち、これらの発明においては、熱エネルギーを電気エネルギーに変換することが可能な装置を提案しているにすぎない。特許文献３は熱エネルギーを電気エネルギーに変換するエネルギー変換装置に関する記述がなされている。この特許文献３においては、装置の外部にある熱エネルギー源を用いて発電を行う。結論として、特許文献３は上記に記載の（発電の定義）に合致しないので、単なるエネルギー変換装置に関して記載されており、本発明とは本質的に異なる。熱エネルギーは石炭・石油などの化石燃料を燃焼させる事により得られるが、特許文献３の熱発電装置を利用すると、二酸化炭素が発生し、地球温暖化が進行するなどの弊害は避けられない。しかし、本発明の電界効果発電装置は外部のエネルギーを全く必要としない。すなわち、本発明の電界効果発電装置内で電子を加速する事により得られる運動エネルギーを電気エネルギーに変換するので、真の発電装置であると言える。なお、特許文献３の方法を適用しても発電を実現することが極めて困難であることが判明したので、特許文献３の審査請求は行われずに、放棄された。
【００２８】
【特許文献４】特開２００３−２５８３２６号公報（発明者：赤松則男、本発明者と同一）        この特許文献４においては、電気エネルギーを取り出すために、多量の熱エネルギーを投入している。特許文献４は熱エネルギーを電気エネルギーに変換するエネルギー変換装置に関する記述がなされている。この特許文献４においては、装置の外部にある熱エネルギー源を用いて発電を行う。結論として、特許文献４は上記に記載の（発電の定義）に合致しないので、単なるエネルギー変換装置に関して記載されており、本発明とは本質的に異なる。熱エネルギーは石炭・石油などの化石燃料を燃焼させる事により得られるが、特許文献４の熱発電装置を利用すると、二酸化炭素が発生し、地球温暖化が進行するなどの弊害は避けられない。しかし、本発明の電界効果発電装置は外部のエネルギーを全く必要としない。すなわち、本発明の電界効果発電装置内で電子を加速する事により得られる運動エネルギーを電気エネルギーに変換するので、真の発電装置であると言える。
【００２９】
【特許文献５】特開２００４−１４０２８８号公報（発明者：赤松則男、本発明者と同一）      この特許文献５においては、電気エネルギーを取り出すために、多量の熱エネルギーを投入している。特許文献５は熱エネルギーを電気エネルギーに変換するエネルギー変換装置に関する記述がなされている。この特許文献５においては、装置の外部にある熱エネルギー源を用いて発電を行う。結論として、特許文献５は上記に記載の（発電の定義）に合致しないので、単なるエネルギー変換装置に関して記載されており、本発明とは本質的に異なる。熱エネルギーは石炭・石油などの化石燃料を燃焼させる事により得られるが、特許文献５の熱発電装置を利用すると、二酸化炭素が発生し、地球温暖化が進行するなどの弊害は避けられない。しかし、本発明の電界効果発電装置は外部のエネルギーを全く必要としない。すなわち、本発明の電界効果発電装置内で電子を加速する事により得られる運動エネルギーを電気エネルギーに変換するので、真の発電装置であると言える。
【００３０】
【特許文献６】ＪＰ  ４９−６７５９４Ａ，（発明者：細川俊夫、１９７４年）        特許文献６においては、電気エネルギーを取り出すために、多量の熱エネルギーを投入している。すなわち、これらの発明においては、熱エネルギーを電気エネルギーに変換することが可能な装置を提案しているにすぎない。厳密に言えば、この発明においては、熱エネルギーを電気エネルギーに変換する事ができるエネルギー変換装置が記述されている。しかし、本発明においては、エネルギー変換装置の提案ではなく、真の電気エネルギー発生装置を提案する。特許文献６においては、装置の外部にある熱エネルギー源を用いて発電を行う。結論として、特許文献６は上記に記載の（発電の定義）に合致しないので、単なるエネルギー変換装置に関して記載されており、本発明とは本質的に異なる。熱エネルギーは石炭・石油などの化石燃料を燃焼させる事により得られるが、特許文献６の熱発電装置を利用すると、二酸化炭素が発生し、地球温暖化が進行するなどの弊害は避けられない。すなわち、本発明の発電装置は単純なエネルギー変換装置ではなく、真の発電を行う事が可能である。本発明においては、外部エネルギーを全く利用せずに、電界の効果によりキャリアをインジェクションし、さらにエミッションを行うので、装置の内部で電気エネルギーを発生し、得られた電気エネルギーを電気的負荷に利用する事ができるので、従来の発明装置と本発明の発電装置とは根元的に異なる。
【００３１】
【特許文献７】特表平１１−５１０３０７号公報        （特許文献７）の発明には、電界電子放出材料、電界電子放出装置が開示されている。しかし電界電子放出装置において示されたものは、電子の電界放出を放電装置、電子ガン、ディスプレイ等、何れも放出電子そのものを利用した装置であり、発電に利用するといった技術思想に関しては全く記述されていない。なお、この本発明はエネルギー保存則に反するものではない。エネルギー保存則を厳密に記述するならば、「エネルギー変換に関するエネルギー保存則」と言うべきである。すなわち、エネルギー変換を行う際には、エネルギーが変換される前と新規のエネルギーに変換された後においては、損失分も含めると、エネルギーの総計の増減は変換の前後では無く、「エネルギー変換におけるエネルギー保存則」は厳密に成立する。換言すると、「エネルギー変換におけるエネルギー保存則」は既に発生しているエネルギーが他の形態のエネルギーに変換される際には、変換の前後におけるエネルギーの総量が保存される事を意味する。しかし、本発明のように、電子の波動性と可動性を利用して新規のエネルギーを創出する場合には、エネルギー保存則が適用されない事は明らかである。例として、原子力発電においてウラニュームから発生する多量のエネルギーに関しては、単純なエネルギー変換ではないので、「エネルギー変換におけるエネルギー保存則」は適用されない。さらに、太陽の内部で発生するエネルギーも核融合において発生するエネルギーに対しても、「エネルギー変換に関するエネルギー保存則」を適用する事はできない。さらに、本発明者は、外部からエネルギーの供給が殆ど無い場合でも電気エネルギーを得ることができる発電装置として下記の特許文献に示される方法を提示した。
【００３２】
【特許文献８】ＷＯ２００７／１１６５２４（ＰＣＴ／ＪＰ２００６／３０７６０７）（発明の名称：電界放出発電装置、発明者：赤松則男、本発明者と同一）
【特許文献９】ＷＯ２００７／１２２７０９、（ＰＣＴ／ＪＰ２００６／３０８２７７）（発明の名称：線形加速発電装置、発明者：赤松則男、本発明者と同一）
【特許文献１０】ＷＯ２００７／１３５７１７（ＰＣＴ／ＪＰ２００６／３１００２６）（発明の名称：電界放出発電装置、発明者：赤松則男、本発明者と同一）
【特許文献１１】ＰＣＴ／ＪＰ２００６／３１７７７８（発明の名称：電子発電装置、発明者：赤松則男、本発明者と同一）
【００３３】
上述の（特許文献８）、（特許文献９）、（特許文献１０）および（特許文献１１）の発明者はいずれも本発明の発電装置の発明者と同一である。これらの特許文献においては、電子を放出し、放出された電子を収集することが記載されている。しかし、（特許文献８）、（特許文献９）、（特許文献１０）および（特許文献１１）に提案されている方法においては、電界が弱い場合には放出される電子の数が少なく、電界が強い場合には電子を収集することが困難となり、電子が外部電源の正電圧によって漏洩し、損失分が多く、効率が良好な発電を行うことが困難であった。本発明の発明者は、これらの欠点を克服するために更なる工夫を行い、本発明の発電装置を提案する。（特許文献８）、（特許文献９）、（特許文献１０）および（特許文献１１）においては、上記に記載する（発電条件１）、（発電条件２）および（発電条件５）が用いられていない。すなわち、（発電条件１）２個の異なる物質の間においてキャリアのインジェクションが行われる。（発電条件２）電子にスライディング・エミッション(sliding & emission)を行わせる。（発電条件５）正電荷と負電荷がエネルギー蓄積器に移動する。  従って、（特許文献８）、（特許文献９）、（特許文献１０）および（特許文献１１）に記載された方法を適用しても、電子が殆ど真空中放出しないので、実用的な発電装置を実現することが不可能であった。その理由は、本発明が指摘するように、（発電条件１）、（発電条件２）および（発電条件５）の３項の発電条件を用いることにより、電界の効果による電子の放出量が飛躍的に増加するからであり、この３項の発電条件は過去の文献には全く記載されていない。電界効果発電を実施するには、電子を物質内から離脱させる必要がある。電界の効果を用いて電子を放出することは可能であるが、通常では電子の放出量が少ない。電子が物質から離脱し、真空中に放出される場合にも電子が充分に大きい運動エネルギーを保有する必要がある。物質の表面上において電子が加速しながら移動することにより充分な運動エネルギーを獲得することにより、クーロンの法則に従う静電気力に打ち勝って物質外に放出される。インジェクションされた電子を物質表面で加速し、充分に運動エネルギーを獲得した後に、物質から電子を放出すると、それに必要なエネルギーが少なくなり、効率的になる。電子が物質の表面において加速しながら移動し、その後に真空中にエミッションされる事をスライディング・エミッションと呼ぶ。チャネル形成物質２の表面に配置する絶縁物８の中に複数個の電極を配置し、それらの電極に正電荷を供給すると、チャネル形成物質２にインジェクションされた電子が加速力を受けて電子のスライディング・エミッションが行われる。電子がスライディング・エミッションを行うことにより、電子が運動エネルギーを獲得し、その後に、電子は物質から完全に離脱し、真空中に電子のエミッションが行われる。この際に電極は絶縁物の中にあるので、電極から流れ出る電流が殆ど皆無であるので、エネルギーの損失は殆ど零である。従って、本発明においては電子のスライディング・エミッションを利用する事により、効率の良好な発電を行う事が可能となる。さらに、（特許文献８）、��特許文献９）、（特許文献１０）および（特許文献１１）に記載の方法においては、下記に記載する欠点があるために発電効率が良好でなかった。すなわち、電子を利用する発電においては、キャリア出力物質の内にある電子が電子収集コレクタにエミッションにより移動することにより実現される。電子のエミッションは次の２種類に分かれる。（１）急なエミッション(abrupt emission)（２）エミッションを行う直前に電子が保有する運動エネルギーを大きくする。すなわち、電子にエネルギーを前供給(pre-supply)する。
【００３４】
過去に発表された発電に関する特許文献には、エミッションを行う直前に電子にエネルギーを前供給(pre-supply)することにより電子が保有する運動エネルギーを増加する事は行われていなかった。すなわち、電子がキャリア出力物質の内部に存在する期間には電子に何らかの処置を施すことは全く無かった。従って、電界によって物質内の電子が突然のエミッション(abrupt emission)を行うので、エミッションを行う電子の数が極めて少ないので、実用性のある発電を行うことができなかった。しかし、本発明の電界効果発電のように、エミッションを行う直前に電子にエネルギーを前供給(pre-supply)することにより電子が保有する運動エネルギーを増加するので、エミッションを行う電子の数を多くすることが可能になり、発電出力が増加し、実用性が増す。この欠点を克服するために、キャリア出力物質と電子収集コレクタの間にチャネル形成物質を配置し、インジェクション電極の作用により、キャリア出力物質から電子がチャネル形成物質に容易にインジェクションが行われることを利用する。さらに、スライディング電極を配置し、チャネル形成物質の内部において電子が保有する運動エネルギーを増加し、ポテンシャル障壁をトンネル電極の作用によって量子力学的なトンネル効果により、電子を通過する。エミッション電極の作用により物質内から真空中に電子のエミッションを行わせる。さらに、エミッションされて電子を加速電極の作用により電子を加速することにより、電子の保有する運動エネルギーが増加するので、高いポテンシャル障壁を持つ電子吸収コレクタに到達することが可能となり、エミッションを行う電子の数を多くすることに成功した。その結果として、発電出力を増加することが可能となる。しかし、（特許文献８）、（特許文献９）、（特許文献１０）および（特許文献１１）に記載の方法においては、エミッションを行う直前の電子に対してエネルギーの前供給(pre-supply)を行うことは全く記述されていなかったので、エミッションを行う電子の数が少なく、発電効率が良好でなかった。さらに、（特許文献８）、（特許文献９）、（特許文献１０）および（特許文献１１）に記載の方法においては、電子を収集する際に、それまでに蓄積された電子と新規に蓄積する電子の間でクーロンの法則に従う反発力が働き、蓄積する電荷を増加することが出来なかった。すなわち、本発明において提案するエネルギー蓄積器が従来の装置には無かった。外部電源の正電極と収集する電子がペアを組むことは従来の方法においても可能であるが、この方法では、キャリアが保有する電荷とその逆の符号をもつ電荷が構成するペアを解消して電気エネルギーとして使用する際に外部の電源から正電荷が供給されるので、発電損失が増加し、発電効率を向上することが困難であった。本発明においては、エネルギー蓄積器を導入し、電子と正孔のペアがエネルギー蓄積器の中で形成される事により、外部電源から供給するエネルギーが殆ど無くなる。従って、本発明の装置を用いて発電を行う際には、エネルギー損失が殆どなくなり、効率の良好な発電を行うことが可能となる。さらに、発電効率を向上するために、本発明においては加速チャネルを設定する。上記の加速チャネルにおいて、キャリア加速装置を���用してキャリアを加速する。加速されたキャリアがポテンシャル障壁を突破し、非可逆的な過程を経由する事により使用可能な電気エネルギーが創出されるが、過去の特許文献においては、ポテンシャル障壁を越える前に、加速チャネルにおいてキャリアを加速する方法は全く提案されていないので、発電効率を向上することが出来なかった欠点がある。さらに、電子が電界の効果により加速されると、電子の保有する運動エネルギーが増加する。ところが、過去に発表されている特許文献に記載の発電方式においては、電子が保有する運動エネルギーを電気エネルギーに変換する概念が全く無かった。しかし、電子が保有する運動エネルギーが増加すると、電子が飛翔する速度が増加する。従って、高速の電子が物質に衝突すると、電子が保有する運動エネルギーが失われて、物質の温度が上昇する。すなわち、飛翔電子が保有する運動エネルギーは電子が物質に衝突する際に、物質中の電子の運動エネルギーに変換される。従って、電子が衝突した物質中にある電子が保有する運動エネルギーが増加する。物質中にある電子が保有する運動エネルギーを電気エネルギーに変換して利用することは、従来の発電装置では行われていなかった。しかし、エネルギーは常に変換することにより利用可能であるので、本発明においては衝突する電子が保有する運動エネルギーを最終的には電気エネルギーとして利用することが可能である事を示す。
【発明の開示】
【発明が解決しようとする課題】
【００３５】
（特許文献１）、（特許文献２）、（特許文献３）、（特許文献４）、（特許文献５）および（特許文献６）においては、発電を行うために、石炭・石油などの化石燃料や太陽光などの外部エネルギーを利用する。外部エネルギーを利用する発電では、化石燃料の枯渇問題および地球環境の破壊の問題に対処することができない。さらに、太陽エネルギーを利用する場合においては、夜間や雨天の際に発電を行うことができないので、エネルギー供給源の主役になることができない。本発明の電界効果発電においては、外部のエネルギー源を用いずに発電を実現する。さらに、（特許文献７）、（特許文献８）、（特許文献９）および（特許文献１０）においては、外部エネルギー源を用いない発電が本発明者によって提案されている。しかし、（特許文献７）、（特許文献８）、（特許文献９）および（特許文献１０）においては、電界を用いて物質中の電子を直接的に真空中に放出する手法である。すなわち、上記に記載する飛行機とロケットの離陸に例えるならば、（特許文献７）、（特許文献８）、（特許文献９）および（特許文献１０）において提案されている電子放出の方法はロケットの離陸に対応する。従って、過去の特許文献に記載されている物質からの電子放出の方法は突発的に電子を放出するので、急なエミッション(abrupt emission)と呼ばれる。すなわち、急なエミッション(abrupt emission)法に基づいて電子をエミッションすると、電子の放出量が非常に少ないので、発電される電力を大きくすることができなかった。アブラプトなエミッション(abrupt emission)法はロケットの離陸法に相当し、大きなエネルギーを必要とする。しかし、飛行機が滑走した後に離陸する方法であるスライディング・エミッション法を適用すると、少ないエネルギーを供給する場合においてもエミッションされる電子を多くすることが可能となる。エミッションを行う直前に電子が保有する運動エネルギーを大きくする。すなわち、電子にエネルギーを前供給(pre-supply)することが本発明の電界効果発電における課題である。本発明においては、この課題を克服するために、インジェクション電極、スライディング電極、トンネル電極、エミッション電極および加速電極を用いることにより、キャリアにエネルギーの前供給(pre-supply)を行う。電界効果発電において電気エネルギーを発生する際には、物質内の電子が急なエミッション(abrupt emission)を行う方法を採用すると、電子のエミッション量が少なく、発電効率が低下する。しかし、電子がエミッションを行う直前に、電子に運動エネルギーを供給すると、電子のエミッション量が多くなり、発電効率が向上する。すなわち、電界効果発電の発電効率を向上するには、電子にエネルギーの前供給(pre-supply)を行う事が必要である。エネルギーの前供給(pre-supply)の方法は以下に示す３種類がある。
【００３６】
（１）本発明の電界効果発電において、電界を用いてキャリアを移動することにより発電を実現する。キャリアをキャリア出力物質からチャネル形成物質にインジェクションを行い、チャネル形成物質の表面においてキャリアがスライディング(sliding)状の運動を行うことにより加速されると、キャリアの運動エネルギーが増加するので、発電に寄与するキャリアの数が増加する。すなわち、インジェクション電極とスライディング電極の作用を用いることにより、物質内にキャリアが拘束されている期間において、キャリアにエネルギーの前供給(pre-supply)を行う事により発電に寄与するキャリアの数を増加する。
【００３７】
（２）本発明の電界効果発電において、カスケード方式（あるいはリレー方式）を採用し、過去に放出されて加速された電子が保有する運動エネルギーを次にエミッションを行う予定の電子に前供給(pre-supply)を行うことにより、発生するエネルギーを有効に利用する。
カスケード方式は次に示す２種類の方法がある。
【００３８】
（２．１）電子の直接エミッション法
電子の直接エミッション法は２次電子放出法とも言われる。真空中を飛翔する電子を１次電子と呼び、１次電子が２次電子放出部材に衝突すると、１次電子が保有する運動エネルギーによって２次電子放出部材から電子が叩き出される。叩き出された電子を２次電子と呼ぶ。１次電子が保有する運動エネルギーが大きい場合には、多くの２次電子を叩き出すことにより物質中から電子が放出され、放出された電子は電子吸収コレクタに収集されることにより、発電に寄与する電子の数が増加するので、電子の直接エミッション法により発電出力は増加する。すなわち、２次電子放出法を適用する事により、物質内に電子が拘束されている期間において、電子にエネルギーの前供給(pre-supply)を行う事により発電に寄与するキャリアの数を増加する。
【００３９】
（２．２）電子の間接エミッション法
真空管（電子管）のカソードには直熱管と傍熱管がある。カソード直熱方式の真空管においては、カソードに電流を流すことによりカソードの温度を上昇する。カソード傍熱方式の真空管においては、カソードとは別にヒータを用いて、ヒータに電流を流すことによりヒータの温度を上昇し、高温になったヒータの熱をカソードに伝える事により間接的にカソードの温度を上昇する。真空中にエミッションされて加速された電子が電子吸収コレクタに衝突する際には、電子が保有する運動エネルギーが衝突によって熱エネルギーに変換される。電子の衝突により発生する熱は、次にエミッションを行う予定の電子が所属する物質に伝導される。すなわち、キャリア出力物質、およびこれに接触するチャネル形成物質の温度が上昇する。従って、キャリア出力物質の中に存在する電子の運動エネルギーが増加する。故に、キャリア出力物質からチャネル形成物質にインジェクションされる電子の数が増加する。さらに、チャネル形成物質の中に存在する電子の運動エネルギーが増加する。電子の運動エネルギーの増加は発電出力の増加に寄与する。Ｎ段のカスケード方式においては、１段目の電子吸収コレクタの熱エネルギーが２段目のキャリア出力物質およびチャネル形成物質に伝導され、さらに、３段目以降にも熱エネルギーが伝搬され、Ｎ段目の電子収集コレクタまで熱エネルギーが伝搬される。すなわち、カスケード方式を適用する場合には、物質内に電子が拘束されている期間において、電子にエネルギーの前供給(pre-supply)を行う事により、発電に寄与する電子の数が増加する。しかし、Ｎ段目の電子収集コレクタに発生する熱エネルギーが１段目のキャリア出力物質およびチャネル形成物質にフィードバックする方法は次に記載する熱フィードバック方式に属する。
【００４０】
（３）本発明の電界効果発電において熱フィードバック方式を採用する場合には、電子吸収コレクタに熱伝導器を接触して配置し、電子が電子吸収コレクタに衝突する際に発生する熱エネルギーをキャリア出力物質およびチャネル形成物質にフィ−ドバックを行うことにより、加速された電子の運動エネルギーを次にエミッションを行う予定の電子に前供給(pre-supply)を行う。Ｎ段のカスケード方式と熱フィードバック方式の両方を適用すると、１段目、２段目、・・・、Ｎ段目のキャリア出力物質およびチャネル形成物質の温度は飛翔電子の衝突により上昇し、Ｎ段目の電子吸収コレクタに発生する熱エネルギーが１段目のキャリア出力物質およびチャネル形成物質にフィードバックされる事により、非常に高効率の発電装置を実現することが可能となる。すなわち、熱フィードバック方式を適用する事により、物質内に電子が拘束されている期間において、電子にエネルギーの前供給(pre-supply)を行う事ができるので、発電に寄与する電子の数が増加し、発電効率が向上する。本発明の電界効果発電においては、上記に記載のエネルギーの前供給(pre-supply)を適用することにより、過去に提案されている全ての発電方式よりも格段に発電効率が向上することを以下に記述する。
【００４１】
本発明の電界効果発電装置が解決しようとする課題を以下に示す。
（１）本発明の電界電子発電装置においては、キャリアにエネルギーの前供給(pre-supply)を行うことにより、インジェクションに寄与する電子の数が多くなり、本発明の電界効果発電装置の発電出力を大きくする。
（２）本発明の電界効果発電装置においては、電界の効果に基づいて電子にエネルギーの前供給(pre-supply)を行うので、エミッションに寄与する電子の数が多くなり、電界発生により失われる電力も微少量となり、発電効率を高くする。
（３）本発明の電界効果発電装置においては、熱フィードバック方式を適用する事により電子にエネルギーの前供給を行うことにより、軽量となり、小型となり、高効率の発電を行う。
【００４２】
本発明の電界効果発電装置の特徴を以下に示す。
（１）本発明の電界電子発電装置においては、電子にエネルギーの前供給(pre-supply)を行うことにより、エミッションに関与する電子の数が多くなる。従って、本発明の電界効果発電装置の発電出力が大きい。
（２）本発明の電界効果発電装置においては、電界の効果に基づいて電子にエネルギーの前供給(pre-supply)を行うので、電界発生により失われる電力が微少量となり、発電効率が高くなる。
（３）本発明の電界効果発電装置においては、熱フィードバック方式を適用する事により電子にエネルギーの前供給を行うので、軽量となり、小型であるので、高効率の発電を行うことが可能となる。
（４）本発明の電界効果発電装置においては、炭素系物質、絶縁物および真空容器としてガラスやステンレス板を用いて製造されており、劣化部がほとんど無いので、耐久性があり、耐用年数は長い。
（５）本発明の電界効果発電装置においては、電界発生電極、炭素部材および絶縁物を容器内に装着するだけで装置を製作することが可能であるので、構造が簡単であり、製造が容易である。
（６）本発明の電界効果発電装置を多量に使用しても、特殊な物質を使用していないので、環境を破壊する要因にはならない。
（７）本発明の電界効果発電装置においては、ガラスの容器内に電極を配置するので、電子を放出する部材の劣化のみが交換すべき部品であるので、保守費用がわずかでも長期的な使用に耐えることができる。
【課題を解決するための手段】
【００４３】
本発明の電界効果発電装置を従来の発電装置と比較すると、本発明の電界効果発電装置には次に示す効果がある。
（１）従来の発電装置においては、真空中に電子を放出する際には、急なエミッション(abrupt emission)が行われるので、エミッションが行われる電子の数が少ない。従って、従来の発電装置の発電出力が微少量である。しかし、本発明の電界電子発電装置においては、電子にエネルギーの前供給(pre-supply)を行うことにより、エミッションに関与する電子の数が多くなる。従って、本発明の電界効果発電装置の発電出力が向上する。
（２）本発明の電界効果発電装置においては、電界の効果に基づいて電子にエネルギーの前供給(pre-supply)を行うので、電界発生により失われる電力が微少量となり、発電効率が高くなる。
（３）本発明の電界効果発電装置においては、熱フィードバック方式を適用する事により電子にエネルギーの前供給を行うので、軽量となり、小型であるので、高効率の発電を行うことが可能となる。
（４）本発明の電界効果発電装置においては、炭素系物質、絶縁物および真空容器としてガラスやステンレス板を用いて製造されており、劣化部がほとんど無いので、耐久性があり、耐用年数は長い。
（５）本発明の電界効果発電装置においては、電界発生電極、炭素部材および絶縁物を容器内に装着するだけで装置を製作することが可能であるので、構造が簡単であり、製造が容易である。
（６）本発明の電界効果発電装置を多量に使用しても、特殊な物質を使用していないので、環境を破壊する要因にはならない。
（７）本発明の電界効果発電装置においては、ガラスの容器内に電極を配置するので、電子を放出する部材の劣化のみが交換すべき部品であるので、保守費用がわずかでも長期的な使用に耐えることができる。
以上の効果により、本発明の電界効果発電装置は実用性が非常に高いと想定される。
【発明の効果】
【００４４】
〔発明の効果１〕
請求項（１）に記載の電界効果発電装置によれば、図１１に本発明の主要部のブロック図を概略的に示すように、基板１９の上にキャリア出力物質１とチャネル形成物質２を配置する。キャリア出力物質１とチャネル形成物質２を電気的に接続し、チャネル形成物質２の表面の全面又は１部分に絶縁物８を配置し、絶縁物８の中にキャリア加速装置の電極６０を配置する。電源を用いてキャリア加速装置の電極６０に電圧を加えることによりキャリア加速装置３を構成し、キャリア加速装置３の作用によりチャネル形成物質２の絶縁物８側の表面に加速チャネル９の１部分を形成する。以下には、キャリア加速装置３に関して詳細を記述する。図１２には、本発明の電界効果発電においけるキャリア加速装置の内部のブロック図を示す。キャリア加速装置３は電源３０、キャリア加速装置の電極６０および絶縁物８によって構成される。絶縁物８の中にキャリア加速装置の電極６０を配置する。電源３０とキャリア加速装置の電極６０は電気的に接続され、キャリア加速装置の電極６０には正または負の電荷が電源３０から供給される。
【００４５】
キャリア加速装置の電極６０によって発生する電界の効果によってキャリア出力物質１の中に存在するキャリアがキャリア出力物質１からチャネル形成物質２にインジェクションされる。チャネル形成物質２にインジェクションされたキャリアが加速チャネル９の中で加速されて移動する。すなわち、キャリアがスライディング移動を行い、キャリアが運動エネルギーを獲得する。充分に大きい運動エネルギーを獲得したキャリアは、非可逆過程発生部４に存在する高いポテンシャル障壁を量子力学的なトンネル効果により通過することが可能となる。最終的には、高速で移動するキャリアは加速チャネル９の終端部に配置されたキャリア吸収コレクタ２８に収集される。キャリア吸収コレクタ２８に収集されたキャリアはエネルギー蓄積器１５の一方の入力端子に入力され、キャリア出力物質１の中に残存するアンチ・キャリアがエネルギー蓄積器１５の他方の入力端子に入力され、キャリアとアンチ・キャリアがペアを形成し、エネルギー蓄積器１５に蓄積されることにより、時間的に後にインジェクションされるキャリアとアンチ・キャリアが加速されながら移動する事が妨害されなくなるので、エネルギー蓄積器１５に蓄積されるエネルギーの量が多くなる。エネルギー蓄積器１５が電気的負荷５に並列的に接続される事により、キャリアとアンチ・キャリアが電気的負荷５に供給される。その結果として、キャリアとアンチ・キャリアの発生により得られる電気エネルギーが電気的負荷５において消費される。集積回路技術を適用すれば、キャリアをインジェクションするデバイスを製作する事は容易であるので、本発明の電界効果発電装置においては従来の発電装置よりも効率良く電気エネルギーを発生させることが可能となる。しかも、本発明の電界効果発電装置においてはキャリアとアンチ・キャリアが共に早期にエネルギー蓄積器１５に移動することにより、エネルギー蓄積器１５に電気エネルギーを蓄えることができるので、エネルギーの発生効率が良好になる。以下には、エネルギー蓄積器１５に関して詳細に記述する。図１３にはエネルギー蓄積器１５を示す。同図には、エネルギー蓄積器１５の正電荷の入出力部１６およびエネルギー蓄積器１５の負電荷の入出力部１７を示す。エネルギー蓄積器１５にはエネルギー入力モードとエネルギー出力モードがある図１４には、エネルギー蓄積器１５のエネルギー入力モードを示す。エネルギー入力モードにおいて、エネルギー蓄積器１５の正電荷の入出力部１６に正電荷が入力される。正電荷の代表的な例は正孔である。エネルギー入力モードにおいて、エネルギー蓄積器１５の負電荷の入出力部１７に負電荷が入力される。正電荷の代表的な例は電子である。
【００４６】
エネルギー蓄積器１５に入力された正電荷と負電荷はダイポールを形成して蓄積される場合と他のエネルギーに変換されて蓄積される場合がある。他エネルギーとして、電気化学的なイオンとなる場合もある。電気化学的な変換の例として、充電可能な電池および水素への変換などがある。水素に変換されてエネルギー蓄積器１５に蓄えられ、水素は燃料電池などを適用して電気エネルギーに変換されて出力することが可能である。本発明の発電装置により得られるキャリアがコレクタに残存すると、次に発生するキャリアがコレクタに到達することを妨げるので、コレクタに到達したキャリアをエネルギー蓄積器に送る必要がある。コレクタに残存するキャリアが少ない場合には、次にコレクタに到達するキャリアは妨害を受けずにコレクタに到達し、コレクタに吸収されることが可能となる。
【００４７】
図１５には、エネルギー蓄積器１５のエネルギー出力モードを示す。エネルギー蓄積器１５に蓄積されたエネルギーを出力する場合には、正電荷入出力部１６から正電荷を持つキャリアが出力され、負電荷入出力部１７から負電荷を持つキャリアが出力される。出力される正電荷キャリアと負電荷キャリアは電気的負荷５において正電荷キャリアと負電荷キャリアが再結合を行うことにより中性化され、その際に電気的負荷に電気エネルギーが供給される。
【００４８】
モノポールとは単極であり、ダイポールは双極である。例として、電子が導電性物質に吸収されると、モノポールとなり、２個の導電性物質が互いに電気的に絶縁されていて、正電荷と負電荷が上記の２個の導電性物質に個別に蓄積され、両者が近接距離に配置されている場合には、その状態はダイポールを形成するとみなされる。モノポールの具体例として、図１６に示すように、導電性物質に負電荷をもつキャリアが多く吸収される場合を考察する。導電性物質には負電荷が多く蓄積されており、負の電位が高い状態にある。従って、導電性物質の近傍には同図に矢印で示す方向の電界が存在する。多くの負電荷を保有する導電性物質に電子５０が接近すると、導電性物質中の負電荷と電子５０の負電荷の間にはクーロンの法則に支配される反発力が働き、電子５０は導電性物質に接近する事ができない。電子５０が多くの負電荷を保有する導電性物質に接近するには、電子５０が多くの運動エネルギーを保有する必要がある。そのためには加速チャネル９において電子５０を高速になるまで加速する必要がある。高速に加速するには強い電界が必要であり、強電界を発生するには高い電圧が必要である。高い電圧を電極に与えると、正電極と負電極の間にある絶縁物８を経由して電荷が漏洩する。漏洩する電荷を外部電源から補う必要がある。すなわち、外部電源に電力消費が増加する。外部の電力損失が増加すると、発電システム全体の発電効率が低下し、実用性が少なくなる。従って、必要以上に高い電圧を外部電源から供給することは損失が増加することになり、好ましいことではない。従って、比較的に低い電圧を用いて効率の良好な発電システムを確立するには、発電された電気をモノポール状態に放置することから回避する必要がある。そのためには、発電装置により発生するキャリアをダイポール状態にして保存することが発電効率を向上させる方法である。
【００４９】
ダイポールの例として、図１７に示すように、正電荷と負電荷が非常に接近して存在する状態を考察する。実際には、図１８に示すように、負電荷は負電荷蓄積導体１３の中に蓄積し、正電荷は正電荷蓄積導体１４の中に蓄積し、両者の間には絶縁物８が配置され、正電荷と負電荷が互いに結合することを阻止する。ダイポールに電子５０が接近する場合を図１９に示す。同図には正電荷を出発し、負電荷に終わる電気力線が矢印を付けた曲線で示される。正電荷と負電荷が非常に接近して存在するので、殆ど全ての電気力線は正電荷と負電荷の近傍に存在し、正電荷と負電荷の間に発生する電界は正電荷と負電荷の存在する局所的な領域に留まる。従って、外部から電子がダイポール状態の負電荷に接近してもダイポールから接近する電子に及ぼす電界は殆どない。すなわち、ダイポール状態にある負電荷と正電荷の存在は遠隔的な位置からみると、殆ど中性(almost neutral)化されており、外部に対してクーロンの法則に従う力を殆ど発揮しない。従って、外部からダイポールに接近する電子５０は、正電荷と負電荷の接近効果により、同符号の電荷に発生するクーロンの反発力がキャンセルされることにより、電子５０の運動エネルギーが少ない場合にも、負電荷に接近することが可能となる。負の電荷を保有する電子５０が充分に負電荷蓄積導体１３に接近すれば、負電荷蓄積導体１３の表面に電気誘導現象により正電荷が出現し、出現する正電荷と外部から接近する電子との間にクーロンの法則に従う引力が働き、外部から接近する電子は負電荷蓄積導体１３に衝突し、それに吸収される。
【００５０】
以上の考察により、ダイポールの入力モードにおいては、発電により発生する正電荷と負電荷をダイポール状態にすれば、加速チャネル９を経由して新規のキャリアを導電性物質に供給し、ダイポールの正電荷と負電荷の量を多くすることが可能になる。蓄積される正電荷と負電荷の量が増加すると、ダイポールの正電荷蓄積導体１４と負電荷蓄積導体１３との間の電圧が増加する。ダイポールの出力モードにおいては、ダイポールの正極と負極に電気的負荷５を接続すると、正電荷蓄積導体１４に蓄積された正電荷と負電荷蓄積導体１３に蓄積された負電荷は電気的負荷５に電流が流れる事により再結合を行い、中性化され消滅する。この際に電気的負荷に電流が流れることにより電気エネルギーが供給され、消費される。電気的な負荷に流れる電流の総量は蓄積されている正電荷と負電荷の量であるので、多くの正電荷と負電荷を蓄積すれば、大きな発電電力が得られる。ダイポールに入力モードと出力モードがある場合には、このダイポールは正電荷と負電荷を分離することが可能なダイポール(separable dipole)と呼ぶ。本発明の発電装置においては分離可能ダイポールを用いることにより発電効率の向上が可能となる。なお、分離することが困難なダイポールとして、正電荷を保有する原子核の周辺に負電荷を保有する電子を配置することにより原子を構成する例がある。原子から電子と陽子を分離することはエネルギー的にも困難である。実験によると、発電により発生する負電荷をモノポールに蓄積すると、モノポールの電位は急激に増加し、短時間で数千ボルトに到達する。しかし、モノポールに蓄積される電荷の量は非常に少ないので、電気的負荷５を経由して電荷を放出すると、少ない電流が流れることにより蓄積された電荷は消滅する。結論として、モノポールを用いる発電方式においては、得られる電圧は高いが得られる電流が少ない。すなわち、電力は電圧と電流の積であるので、モノポール方式の発電は大きい電力をえることができないので、実用性が非常に少ない。従来の発電に関する発明は全てモノポール方式であったので、実用的に利用される機会は殆どなかったが、本発明はダイポール方式であるので、充分な電流を供給することが可能となり、非常に高い実用性が保証される特徴がある。さらに、本発明の電界効果発電装置においては、電子を真空中にエミッションするために必要とされる大きなワーク・ファンクションを貫通・突破するためのエネルギーをキャリアに供給する必要はなく、物質の内部において行われるインジェクションに必要なエネルギーのみを電界の効果によりキャリアに供給する。その結果として、キャリアの運動エネルギーを大きくすることができるので、キャリアの運動エネルギーを電気エネルギーに変換することにより発電を行う事が可能となる。電界は絶縁物８の中に配置されて電極に電荷を供給する事によって発生する。電極から漏洩する電流は殆ど零であるので、外部電源から供給する電力が極めて小さい状態において大きな電力が得られるので、本発明の電界効果発電装置においては発電効率が極めて高くなる。すなわち、外部の電源から供給するエネルギーが極めて小さくなり、その結果として本発明の電界効果発電装置の発電効率が良好になる特徴があり、この装置は実用性が充分にあると言える。
【００５１】
〔発明の効果２〕
請求項（２）に記載の電界効果発電装置によれば、上記の請求項（１）に記載の構成による作用・効果に加えて、キャリア加速装置が複数個の電源および複数個の電極を含み、キャリア加速装置の電極が複数個の電源に電気的に接続され、複数個のキャリア加速装置の電極がチャネル形成物質の周辺に絶縁物を介して配置されることにより加速チャネルを構成する。キャリア加速装置の電極に加えられる電圧の作用により発生する電界がキャリアに作用し、キャリア出力物質からチャネル形成物質にキャリアがインジェクションされる。本発明の電界効果発電において、キャリア加速装置が複数個の電極によって構成される場合を図２０に示す。同図に示すように、チャネル形成物質２の上表面に絶縁物８を配置し、絶縁物８の中にキャリア加速装置の第一電極６１およびキャリア加速装置の第二電極６２を配置する。同図において電源３０は外部にある直流電源であるが、図面としては電極の近くに描いた。チャネル形成物質と絶縁物の間に加速チャネルが形成される場合を図２１に示す。キャリア加速装置の第一電極６１およびキャリア加速装置の第二電極６２に電源３０を用いて電圧を加えると、図２１に示す電気力線が発生する。チャネル形成物質２と絶縁物８の境界付近に加速チャネル９が形成される。インジェクションされたキャリアは加速チャネル９の中にあり、しかもチャネル形成物質２の表面を移動する。キャリア加速装置の第一電極６１およびキャリア加速装置の第二電極６２によって発生する電界の効果によってキャリアが加速チャネル９の中で加速される。加速チャネル９の中において電界の効果によりキャリアが加速される事によりキャリアが運動エネルギーを獲得する。従って、チャネル形成物質中にインジェクションされたキャリアが獲得する運動エネルギーに基づいて、キャリアが非可逆過程発生部を量子力学的なトンネル効果により通過する事が可能となり、過去に提案されている従来型の発電方式よりもキャリア吸収コレクタに収集されるキャリアの数が多くなる。キャリア吸収コレクタに収集されたキャリアはエネルギー蓄積器の一方の入力端子に入力され、キャリア出力物質の中に残存するアンチ・キャリアがエネルギー蓄積器の他方の入力端子に入力され、キャリアとアンチ・キャリアがペアを形成し、エネルギー蓄積器に蓄積されることにより、時間的に後にインジェクションされるキャリアとアンチ・キャリアの加速と移動が妨害されなくなるので、エネルギー蓄積器に蓄積されるエネルギーの量が多くなる。エネルギー蓄積器を電気的負荷に並列接続を行うことにより、キャリアとアンチ・キャリアが電気的負荷に供給される。従って、キャリアとアンチ・キャリアにより発生する電気エネルギーが電気的負荷において消費される。キャリアをインジェクションすることは集積回路技術を適用すれば容易である。結論として、本発明の電界効果発電装置においては、加速チャネルの中でキャリアを加速するので、加速チャネルにおいて消費するエネルギー損失が絶縁物中に電極を配置する事により殆ど零に近いという決定的な特徴があり、従来の発電装置よりも効率良く電気エネルギーを発生させることが可能となる。電界を発生する電源を複数個だけ用い、キャリア加速装置３の電極も複数個だけ配置すると、電子の保有する運動エネルギーが増加し、発電の電力が増加し、発電効率も向上する。この際に、複数個の電源として複数個のバッテリを用いることができる。複数個の電源を変圧器と整流素子を用いて交流から直流への変換器により発生させることも可能である。さらに、本発明の電界効果発電装置に発生する電圧を複数個のキャパシタの並列接続に加えることにより、複数のキャパシタの全てを一度に充電し、充電した複数のキャパシタを直列に接続すると、高い電圧が得られる。キャパシタの直列接続により発生する高い電圧を電極に加えることにより、電界を発生することが可能となり、発生する電界を用いて本発明の電界効果発電装置においてキャリアの加速とスライディング的な移動を行わせることができる。
【００５２】
〔発明の効果３〕
請求項（３）に記載の電界効果発電装置によれば、上記の請求項（１）に記載の構成による作用・効果に加えて、キャリア出力物質としてＮ型半導体を用い、キャリア入力物質としてＰ型半導体を用いる場合には、Ｎ型半導体とＰ型半導体を電気的に接続する事によりＰＮ接合を形成する。Ｐ型半導体の表面の全面又は１部分に絶縁物を配置し、絶縁物の中にキャリア加速装置の電極を配置し、電源を用いてキャリア加速装置の電極に電圧を加えることによりキャリア加速装置を構成し、キャリア加速装置の作用によりＰ型半導体の絶縁物側の表面に加速チャネルの１部分を形成する。図２２には、キャリア出力物質１はチャネル形成物質２の近傍におけるキャリアの動作を示す。キャリア出力物質１はチャネル形成物質２と電気的に接続して配置される。キャリア出力物質１の例としてＮ型半導体１１を用いる場合には、Ｎ型半導体１１は不純物が高濃度にドーピングされており、heavy doping状態である。チャネル形成物質２の例としてＰ型半導体１０を用いると、Ｐ型半導体１０とＮ型半導体１１がＰＮ接合を形成する。第一電源３１の正電位端子はキャリア加速装置の第一電極６１に接続され、第一電源３１の負電位端子はキャリア出力物質１に接続される。キャリア加速装置の第一電極６１とキャリア出力物質１（Ｎ型半導体１１）の間にはキャリア加速装置３によって形成された電界が発生する。発生する電界によってキャリア出力物質１からチャネル形成物質２にキャリアがインジェクションされる。ＰＮ接合を形成する例においては、キャリアとして電子がインジェクションされる。インジェクションされたキャリアは加速チャネル９においてスライディング的な移動を行い、キャリアが加速され、キャリアが大きな運動エネルギーを獲得する。キャリア加速装置３によって発生する電界がキャリアの移動方向と大きさを決定する。電界によってキャリアに働くクーロン力８１をベクトルで示す。第二電源３２の正電位端子はキャリア加速装置の第二電極６２に接続され、第二電源３２の負電位端子はキャリア出力物質１に接続される。キャリア加速装置の第二電極６２とキャリア出力物質１の間には電界が発生する。この電界によってキャリアが移動する方向と大きさをキャリアに働くクーロン力８１で示す。キャリアに働くクーロン力８１はベクトルである。図示の2個のキャリアに働くクーロン力８１は共にベクトルであり、それらを合成すると、合成ベクトル８２になる。キャリア加速装置の第一電極６１とキャリア加速装置の第二電極６２は共に絶縁物８の中に配置されている。絶縁物８の代表例は２酸化シリコンである。キャリア出力物質１がN型半導体１１であり、チャネル形成物質２がＰ型半導体１０であり、PN接合が形成される場合を具体例として以下に考察する。ＰＮ接合に合成ベクトル８２が作用することにより、キャリア出力物質１であるＮ型半導体１１のマジョリティ・キャリア(majority carrier)は電子であり、電子がチャネル形成物質２であるＰ型半導体中１０にインジェクションされる。Ｐ型半導体中においてはインジェクションされた電子はマイノリティ・キャリア(minority carrier)であり、Ｐ型半導体の絶縁物８の側に反転層(inversion layer)が形成される。すなわち、チャネル形成物質２の表面に反転層が形成され、反転層の内部をキャリアが移動する場合には反転層がチャネルになる。インジェクションされたキャリアは加速チャネル９においてスライディング移動を行い、大きな運動エネルギーを獲得する。チャネル形成物質２の表面にあるチャネルにおいてはインジェクションされた電子は電界の作用によりクーロン力を受ける。矢印で示した２個のベクトルをベクトル演算に基づいて合成すると、図示の合成ベクトル８２が形成される。第一電源３１の電圧と第二電源３２の電圧を調整すると、合成ベクトルは絶縁物８とＰ型半導体１０の境界の方向に向かう。従って、２個の電源の電圧が適切に調整されると、Ｐ型半導体中１０にインジェクションされた電子はＰ型半導体１０の絶縁物８に近い表面においてスライディング移動を行う。最終的には、Ｐ型半導体中１０にインジェクションされた電子は電子吸収コレクタ２６（図示省略）に吸収される。
【００５３】
Ｎ型半導体１１からＰ型半導体１０に電子がインジェクションされると、Ｐ型半導体１０からＮ型半導体１１に正孔がインジェクションされる。従って、Ｎ型半導体１１には正孔が到達し、正電荷が蓄積される。キャリア出力物質１であるＮ型半導体１１と電子吸収コレクタ２６の間にエネルギー蓄積器１５を接続すると、その中に正孔と電子がペアを形成して蓄積される。エネルギー蓄積器１５に並列に電気的負荷５を接続すると、電子吸収コレクタ２６に蓄積された電子とＮ型半導体１１に蓄積された正孔が電気的負荷５を経由して中和が行われ、両者が電気的には消滅する。この際に、電気的負荷５に電気エネルギーが供給されることになる。この電気的エネルギーは電界の効果に基づいてキャリアを加速することにより創出される。キャリア加速装置の電極によって発生する電界の効果によってＮ型半導体の中に存在する電子がＮ型半導体からＰ型半導体にインジェクションされる。Ｐ型半導体にインジェクションされた電子が加速チャネル９の中でスライディング移動を行うことにより加速される。キャリアは加速される事により運動エネルギーを獲得するので、高エネルギー状態の電子が非可逆過程発生部に存在するポテンシャル障壁を量子力学的なトンネル効果により通過することが可能となる。高速で移動する電子は加速チャネルの終端部に配置された電子吸収コレクタに収集される。電子吸収コレクタに収集された電子はエネルギー蓄積器の一方の入力端子に入力され、Ｎ型半導体の中に残存する正孔がエネルギー蓄積器の他方の入力端子に入力され、電子と正孔がペアを形成し、エネルギー蓄積器に蓄積されることにより、時間的に後にインジェクションされる電子と正孔が加速されながら移動する事が妨害されなくなるので、エネルギー蓄積器に蓄積されるエネルギーの量が多くなる。エネルギー蓄積器が電気的負荷に並列的に接続される事により、電子と正孔が電気的負荷に供給される。その結果として、電子と正孔の発生により得られる電気エネルギーが電気的負荷において消費される。集積回路技術を適用すれば、電子および正孔をインジェクションするデバイスを製作する事は容易であるので、本発明の電界効果発電装置においては従来の発電装置よりも効率良く電気エネルギーを発生させることが可能となる。しかも、本発明の電界効果発電装置においては電子と正孔が共に早期にエネルギー蓄積器に移動することにより、エネルギー蓄積器に電気エネルギーを蓄えることができるので、エネルギーの発生効率が良好になる。キャリア出力物質としてＰ型半導体を用い、キャリア入力物質としてＮ型半導体を用いる場合には、Ｐ型半導体とＮ型半導体を電気的に接続する事によりＰＮ接合を形成する。Ｎ型半導体の表面の全面又は１部分に絶縁物を配置し、絶縁物の中にキャリア加速装置の電極を配置し、電源を用いてキャリア加速装置の電極に電圧を加えることによりキャリア加速装置を構成し、キャリア加速装置の作用によりＮ型半導体の絶縁物側の表面に加速チャネルの１部分を形成する。キャリア加速装置の電極によって発生する電界の効果によってＰ型半導体の中に存在する正孔がＰ型半導体からＮ型半導体にインジェクションされる。Ｎ型半導体にインジェクションされた正孔が加速チャネル９の中でスライディング移動を行うことにより加速される。キャリアは加速される事により運動エネルギーを獲得するので、高エネルギー状態の正孔が非可逆過程発生部を通過することが可能となる。高速で移動する正孔は加速チャネルの終端部に配置された正孔吸収コレクタに収集される。正孔吸収コレクタに収集された正孔はエネルギー蓄積器の一方の入力端子に入力され、Ｐ型半導体の中に残存する電子がエネルギー蓄積器の他方の入力端子に入力され、電子と正孔がペアを形成し、エネルギー蓄積器に蓄積されることにより、時間的に後にインジェクションされる電子と正孔が加速されながら移動する事が妨害されなくなるので、エネルギー蓄積器に蓄積されるエネルギーの量が多くなる。エネルギー蓄積器が電気的負荷に並列的に接続される事により、電子と正孔が電気的負荷に供給される。その結果として、電子と正孔の発生により得られる電気エネルギーが電気的負荷において消費される。集積回路技術を適用すれば、電子および正孔をインジェクションするデバイスを製作する事は容易であるので、本発明の電界効果発電装置においては従来の発電装置よりも効率良く電気エネルギーを発生させることが可能となる。しかも、本発明の電界効果発電装置においては電子と正孔が共に早期にエネルギー蓄積器に移動することにより、エネルギー蓄積器に電気エネルギーを蓄えることができるので、エネルギーの発生効率が良好になる。結論として、本発明の電界効果発電装置においては、電子を真空中にエミッションするために必要とされる大きなワーク・ファンクションの突破エネルギーをキャリアに供給する必要がないので、物質の中で行うインジェクションに必要なエネルギーのみを装置に供給することにより発電を行う事が可能となり、外部の電源から供給するエネルギーが極めて小さくなり、その結果として発電効率が良好になる特徴がある。さらに、本発明の電界効果発電装置においては、加速チャネルの中でキャリアを加速するので、加速チャネルにおいて消費するエネルギー損失が絶縁物中に電極を配置する事により殆ど零に近いという決定的な特徴があり、従来の発電装置よりも効率良く電気エネルギーを発生させることが可能となる。チャネル形成物質２の具体例としてＰ型半導体１０を用いる場合を以下に記述する。図２３には、Ｐ型半導体１０の上に絶縁物８が配置される場合を示す。キャリア加速装置の第一電極６１およびキャリア加速装置の第二電極６２は絶縁物８の中に配置される。キャリア加速装置の第一電極６１およびキャリア加速装置の第二電極６２はＰ型半導体１０に非常に近い位置に配置される。キャリア加速装置の第一電極６１は電源３０の負電極に接続され、負電荷が蓄積される。キャリア加速装置の第二電極６２は電源３０の正電極に接続され、正電荷が蓄積される。従って、キャリア加速装置の第二電極６２とキャリア加速装置の第一電極６１の間には電界が発生する。両方の電極は共に絶縁物の中に配置されているので、両電極間には電流が流れない。キャリア加速装置の第二電極６２からキャリア加速装置の第一電極６１に向かう電気力線を図２４に示す。同図に示すように、正電極から負電極に向かって電界が発生し、電気力線を矢印のある曲線で示す。電気力線は絶縁物８の中もＰ型半導体１０の中も通過する。従って、Ｐ型半導体１０と絶縁物８との境界付近に電界によって加速チャネル９が発生し、Ｐ型半導体１０の表面付近には水平方向の電界があり、Ｐ型半導体１０の中にインジェクションされたキャリアである電子は同図において右方向にスライディング的な移動を行う。すなわち、電源３０の電圧によって発生する電界は電子を右方向に加速する。キャリア加速装置の電極を複数個だけ配置すると、電子の速度が増加し、電子は大きい運動エネルギーを保有する。この運動エネルギーは電界により発生したが、この状態では電気的に利用することが出来ないので、キャリアの運動エネルギーをポテンシャル・エネルギーに変換する。運動エネルギーを充分に保有する電子はポテンシャル障壁を越えることが可能となり、最終的には電子吸収コレクタ２６に到達し、それに吸収されることにより電子吸収コレクタ２６は電荷を獲得する。電子吸収コレクタ２６に蓄えられた電荷は発電に寄与する。発電を行うために必要なエネルギーを外部から供給する必要が殆どないので、本発明の電界効果発電装置の発電効率は極めて良好になる。
【００５４】
〔発明の効果４〕
請求項（４）に記載の電界効果発電装置によれば、上記の請求項（１）に記載の構成による作用・効果に加えて、絶縁物あるいは真空によって非可逆過程発生部が構成される事により電界効果発電を良好に行うことが可能となる。電界効果発電現象を実現するには、非可逆的な過程を導入する必要がある。すなわち、キャリアがポテンシャル障壁発生部２０を量子力学的トンネル効果により通過することにより、キャリア出力物質１からチャネル形成物質２に移動すれば、非可逆的な過程が実現される。図２５に示すように、キャリア出力物質１とチャネル形成物質２があり、キャリア出力物質１とチャネル形成物質２の間にポテンシャル障壁発生部２０が構成される場合を考察する。なお、キャリア出力物質１とチャネル形成物質２は導電性であるとする。
【００５５】
具体的な例としてキャリアが電子であり、アンチ・キャリアが正孔である場合を考察する。図２６に示すように、キャリア加速装置３の作用によって、キャリア出力物質１からチャネル形成物質２へ電子が量子力学的トンネル現象によりポテンシャル障壁発生部２０を通過する。キャリアがポテンシャル障壁発生部２０を通過すると、図２７に示すように、チャネル形成物質２には負電荷を保有する電子が蓄積され、キャリア出力物質１には電子の抜け孔である正電荷を保有する正孔が蓄積される。キャリア出力物質１の正孔の数とチャネル形成物質２の電子の数が増加すると、正孔が保有する正電荷と電子が保有する負電荷がクーロンの法則により互いに引き合う。従って、キャリア加速装置３の作用が停止し、チャネル形成物質２の中の電子が充分に多くなると、図２８に示すように、チャネル形成物質２の中にある電子がチャネル形成物質２に移動する。すなわち、可逆過程が発生し、チャネル形成物質２に蓄えられた電子を電気エネルギーとして有効に利用することができない。故に、キャリアの移動の際には、非可逆的な過程を導入しなければ、効率的な発電を実現する事はできない。
【００５６】
電界効果発電を実現するために、キャリアの移動を詳細に考察する。キャリアとアンチ・キャリアが電気的な中性状態で存在する物質をキャリア出力物質１と呼ぶ。電子の波動性を利用することにより、電子がポテンシャル障壁発生部２０を通過して移動し、チャネル形成物質２にインジェクションされる。すなわち、キャリア出力物質１とチャネル形成物質２との間にポテンシャル障壁発生部２０が存在する場合において、キャリア出力物質１からチャネル形成物質２にキャリアの波動性に基づいてポテンシャル障壁発生部２０を量子力学的トンネル効果により通過することにより、チャネル形成物質２にキャリアが蓄積される。
【００５７】
次に、電子がキャリア出力物質１から離脱する例を考察する。電子がキャリア出力物質１から離脱するには、電子が運動エネルギーを充分に保有する必要がある。電子に運動エネルギーを与えるには次に示す２つの方法がある。
【００５８】
（１）キャリア出力物質１にエネルギーを供給すると、キャリア出力物質１の中に存在する電子が運動エネルギーを保有する。キャリア出力物質１に供給するエネルギーとして、電磁波照射および熱を加えるなどの方法がある。キャリア出力物質１を加熱することによりその温度を高くすると、キャリア出力物質１から離脱するにはポテンシャル障壁発生部２０を越える必要がある。キャリア出力物質１中に存在する電子の運動エネルギーが充分に大きい場合には、電子はキャリア出力物質１から離脱する。しかし、電子の離脱によりキャリア出力物質１には正電荷が残存し、離脱した電子を正電荷がクーロンの力により引き戻す作用が発生し、チャネル形成物質２に移動する確率は低くなる。以上の原理に基づいて熱発電が実現される。熱発電においては、キャリア出力物質１の全体の温度を高くする必要があり、効率の良好な発電装置を実現することは困難である。
【００５９】
（２）キャリア出力物質１中にある電子は負電荷を保有するので、正電荷を接近すると、クーロンの法則に基づいて互いに引き合う。この引き合う力を利用することにより電子の速度を大きくすることにより電子に運動エネルギーを与えることが可能となる。電子が充分に運動エネルギーを保有すると、キャリア出力物質１とチャネル形成物質２との間に存在するポテンシャル障壁発生部２０を波動性により量子力学的なトンネル効果により貫通して通過することが可能となる。基板１９の上にキャリア出力物質１とチャネル形成物質２を配置し、キャリア出力物質１とチャネル形成物質２を電気的に接続し、チャネル形成物質２の表面の全面又は１部分に絶縁物を配置し、絶縁物の中にキャリア加速装置３の電極を配置し、電源を用いてキャリア加速装置の電極６０に電圧を加えることによりキャリア加速装置３を構成し、キャリア加速装置３の作用によりチャネル形成物質２の絶縁物８の側の表面に加速チャネルの１部分を形成する。キャリア加速装置の電極６０によって発生する電界の効果によってキャリア出力物質１の中に存在するキャリアがキャリア出力物質１からチャネル形成物質２にインジェクションされる。チャネル形成物質２にインジェクションされたキャリアが加速チャネルの中で加速されて移動する。キャリアは加速される事により運動エネルギーを獲得するので、高エネルギー状態のキャリアが非可逆過程発生部４を量子力学的トンネル効果により通過することが可能となる。高速で移動するキャリアは加速チャネル９の終端部に配置されたキャリア吸収コレクタに収集される。キャリア吸収コレクタに収集されたキャリアはエネルギー蓄積器１５の一方の入力端子に入力され、キャリア出力物質１の中に残存するアンチ・キャリアがエネルギー蓄積器１５の他方の入力端子に入力され、キャリアとアンチ・キャリアがペアを形成し、エネルギー蓄積器１５に蓄積されることにより、時間的に後にインジェクションされるキャリアとアンチ・キャリアが加速されながら移動する事が妨害されなくなるので、エネルギー蓄積器１５に蓄積されるエネルギーの量が多くなる。エネルギー蓄積器１５が電気的負荷５に並列的に接続される事により、キャリアとアンチ・キャリアが電気的負荷５に供給される。その結果として、キャリアとアンチ・キャリアの発生により得られる電気エネルギーが電気的負荷５において消費される。集積回路技術を適用すれば、キャリアをインジェクションするデバイスを製作する事は容易であるので、本発明の電界効果発電装置においては従来の発電装置よりも効率良く電気エネルギーを発生させることが可能となる。しかも、本発明の電界効果発電装置においてはキャリアとアンチ・キャリアが共に早期にエネルギー蓄積器１５に移動することにより、エネルギー蓄積器１５に電気エネルギーを蓄えることができるので、エネルギーの発生効率が良好になる。さらに、本発明の電界効果発電装置においては、電子を真空中にエミッションするために必要とされる大きなワーク・ファンクションの突破エネルギーをキャリアに供給する必要がないので、物質の中で行うインジェクションに必要なエネルギーのみを装置に供給することにより発電を行う事が可能となり、外部の電源から供給するエネルギーが極めて小さくなり、その結果として発電効率が良好になる特徴がある。
【００６０】
〔発明の効果５〕
請求項（５）に記載の電界効果発電装置によれば、基板の上にキャリア出力物質１とチャネル形成物質２を配置し、キャリア出力物質１とチャネル形成物質２を電気的に接続し、チャネル形成物質２の表面の全面又は１部分に絶縁物８を配置し、絶縁物８の中にキャリア加速装置の電極６０を配置し、電源を用いてキャリア加速装置の電極６０に電圧を加えることによりキャリア加速装置９を構成し、キャリア加速装置９の作用によりチャネル形成物質２の絶縁物８の側の表面に加速チャネル９の１部分を形成する。キャリア加速装置の電極６０によって発生する電界の効果によってキャリア出力物質１の中に存在する電子がキャリア出力物質１からチャネル形成物質２にインジェクションされる。電子のインジェクションを実現するためには、電子の物体内における移動を詳細に考察する必要がある。キャリア出力物質１１とチャネル形成物質２が異なる物質であり、それらが共に電気的な接合状態にあるとする。すなわち、キャリア出力物質１とチャネル形成物質２の境界にはポテンシャル障壁発生部２０が存在し、キャリアが他物質に自由に移動することができない。キャリア出力物質１の中には、キャリアである電子とアンチ・キャリアである正孔が殆ど同じ数であり、電気的な中性状態を保っています。チャネル形成物質２の中にも、キャリアである電子とアンチ・キャリアである正孔が殆ど同じ数であり、電気的な中性状態を保っている。キャリア加速装置の電極６０に正電圧が加えられると、負電荷を保有する電子は正電圧により発生する電界の効果により移動します。電子の波動性を利用することにより、キャリア出力物質１の電子がポテンシャル障壁発生部２０を通過してチャネル形成物質２に移動する。この現象を電子のインジェクションと呼ぶ。すなわち、キャリア出力物質１とチャネル形成物質２との間にポテンシャル障壁発生部２０が存在する場合において、キャリア出力物質１からチャネル形成物質２に電子が波動性に基づいてポテンシャル障壁発生部２０を量子力学的トンネル効果により通過することにより、チャネル形成物質２に電荷が蓄積される。チャネル形成物質２にインジェクションされたキャリアが加速チャネル９の中で加速されて移動する。電子は加速される事により運動エネルギーを獲得するので、高エネルギー状態の電子が非可逆過程発生部４を量子力学的なトンネル効果により通過し、電子が真空中にエミッションされる。電子が真空中にエミッションされる現象を以下に説明する。図２９に示すように、物質中に存在する電子が量子力学的なトンネル効果によってポテンシャル障壁(barrier)を貫通して通過する事により電子がエミッションされる。古典力学的にはポテンシャル障壁が高い場合には、電子はこれを越えることはできない。しかし、量子力学によると、電子の波動性により、電子が高いポテンシャル障壁を貫通して通過する場合があり。これをトンネル効果と言う。
【００６１】
図３０に示すように、電子が熱電子放出を行うには、加熱により電子が保有するエネルギーが仕事関数(work function)よりも大きくなると、真空中に放出される。図３１に示すように、外部電界が強くなると、ポテンシャル障壁の厚さが薄くなり、カソードを加熱しない場合でも電子が真空中に電界効果によりエミッションが行われる。これは電子の波動性による量子力学的なトンネル効果に依存する。本発明の電界効果発電装置においては、外部から熱エネルギーを電子に与えることを行わずに、電子を真空中にエミッションさせる。電子が物質から真空中にエミッションするのは、物質と真空の境界にあるポテンシャル障壁を越える必要がある。電子がエミッションを行うには、電子が運動エネルギーを充分に獲得する必要がある。電子に運動エネルギーを与えるためにキャリア加速装置の電極６０によって発生する電界の効果を利用する。チャネル形成物質２の中にある電子は負電荷を保有するので、正電荷を接近すると、クーロンの法則に基づいて互いに引き合う。この引き合う力を利用することにより電子の速度を大きくすることが可能となる。すなわち、電界効果により電子を加速すると、電子が保有する運動エネルギーが大きくなる。電子がチャネル形成物質２の中で充分に運動エネルギーを保有すると、チャネル形成物質２と真空の境界に存在するポテンシャル障壁発生部２０を波動性による量子力学的なトンネル効果により貫通して通過することが可能となる。本発明においては、電子をキャリア出力物質１から２チャネル形成物質２にインジェクションを行い、加速チャネル９の中で電子を電界効果によって加速することにより、電子が量子力学的なトンネル効果によりエミッションされる確率を高くすることが特徴である。この場合のエミッションは非可逆過程である。エミッションされた電子は加速チャネル９の中で高速に飛翔し、加速チャネル９の終端部に配置された電子吸収コレクタ２６に収集される。電子吸収コレクタ２６に収集された電子はエネルギー蓄積器１５の一方の入力端子に入力され、キャリア出力物質１の中に残存する正孔がエネルギー蓄積器１５の他方の入力端子に入力され、電子と正孔がペアを形成し、エネルギー蓄積器１５に蓄積されることにより、時間的に後にインジェクションされる電子と正孔が加速されながら移動する事が妨害されなくなるので、エネルギー蓄積器１５に蓄積されるエネルギーの量が多くなる。エネルギー蓄積器１５が電気的負荷５に並列的に接続される事により、電子と正孔が電気的負荷５に供給される。その結果として、電子と正孔の発生により得られる電気エネルギーが電気的負荷５において消費される。集積回路技術を適用すれば、電子をインジェクションするデバイスを製作する事は容易であるので、本発明の電界効果発電装置においては従来の発電装置よりも効率良く電気エネルギーを発生させることが可能となる。しかも、本発明の電界効果発電装置においては電子と正孔が共に早期にエネルギー蓄積器１５に移動することにより、エネルギー蓄積器１５に電気エネルギーを蓄えることができるので、エネルギーの発生効率が良好になる。さらに、本発明の電界効果発電装置においては、電子を真空中にエミッションするために必要とされる大きなワーク・ファンクションの突破エネルギーを電子に供給する必要がないので、物質の中で行うインジェクションに必要なエネルギーのみを装置に供給することにより発電を行う事が可能となり、外部の電源から供給するエネルギーが極めて小さくなり、その結果として発電効率が良好になる特徴がある。
【００６２】
〔発明の効果６〕
請求項（６）に記載の電界効果発電装置によれば、上記の請求項（５）に記載の構成による作用・効果に加えて、以下に記述する作用・効果がある。負電荷を有するキャリアである電子が電子吸収コレクタ２６に吸収される場合を考察する。電子吸収コレクタ２６に蓄積された電子が電気的負荷５を経由して移動し、正電荷と再結合を行うことにより消滅すれば、発電された電力が消費される。電子吸収コレクタ２６に電子が蓄積され、この電子が電力消費に使用されるためには下記に示す条件が必要である。
【００６３】
（１）電子が電子吸収コレクタ２６に効率よく到達する。
（２）電子吸収コレクタ２６に蓄積された電子が漏洩する事により消滅する量が最少となり、殆どの電子が電力消費に使用される。
（３）電子吸収コレクタ２６の周辺にはキャリア加速装置３が配置されており、キャリア加速装置３の電極には正電荷が蓄積されるので、電子吸収コレクタ２６に吸収される前に電子がキャリア加速装置３の電極に接近する可能性がある。従って、電子吸収コレクタ２６に接近する電子がキャリア加速装置３の正電極の作用によって逆方向に移動する事を防止する構造であること。
（４）電子吸収コレクタ２６に電子が蓄積されると、次に電子吸収コレクタ２６に接近する電子に電子吸収コレクタ２６に蓄積した負電荷によりクーロンの法則に従う反発力が作用するので、電子吸収コレクタ２６に吸収された電子を早急にエネルギー蓄積器１５に移動する必要がある。
（５）エネルギー蓄積器１５には、電子と正孔がペアを形成して蓄積される。電子と正孔のどちらか一方が電源から供給されると、電気的負荷５を経由して正電荷と負電荷が再結合することにより消滅する。この場合には外部電源の電力消費が発生し、発電効率が低下する。従って、エネルギー蓄積器１５に蓄積される電子と正孔にキャリア出力物質１から供給される事により発電効率が向上する。
【００６４】
キャリア加速装置３の正電極に蓄積された正電荷によって加速された電子は運動エネルギーを保有する。運動エネルギーを保有する電子が電子吸収コレクタ２６に接近する。電子が電子吸収コレクタ２６に衝突すると、電子が保有する運動エネルギーが放出されて電子吸収コレクタ２６に熱エネルギーを与える。電子吸収コレクタ２６に供給された熱エネルギーにより電子吸収コレクタ２６の温度が上昇する。電子吸収コレクタ２６の温度が上昇すると、電子吸収コレクタ２６の熱が周辺部に伝達され、周辺部の温度が上昇する。電子吸収コレクタ２６およびその周辺部の温度上昇は電子吸収コレクタ２６およびその周辺部の材質が劣化する。材質が劣化すると、部材の固有抵抗が低下し、漏れ電流が多くなり発電効率が低下する。さらに、部材の劣化は耐久性が短くなる等の欠点をもたらす。その上、電子吸収コレクタ２６およびその周辺部の温度上昇が装置全体の温度上昇をもたらすので、モバイル機器においては致命的な欠点となり、温度が上昇する発電装置の使用範囲が限定される。従って、運動エネルギーを保有する電子が電子吸収コレクタ２６に接近する際には、電子が保有する運動エネルギーを減少させてから電子吸収コレクタ２６に衝突させる必要がある。
【００６５】
電子は負電荷を保有する。クーロンの法則によって、負電荷は正電荷とは互いに引き合うが、負電荷とは互いに反発する。従って、電子は正電荷に接近すると加速され、負電荷に接近すると減速される。故に、発電の初期においてはホット・エレクトロンを生成するために電子を正電荷の作用により加速するが、電子が充分に加速されてポテンシャル障壁を突破し、電子吸収コレクタ２６に接近すると、負電荷の作用により減速する必要がある。
【００６６】
運動エネルギーを保有する電子が電子吸収コレクタ２６に接近する場合には、その速度を遅くするために、下記に示す方法を採用する。
（１）減速電極を電子吸収コレクタ２６の周辺に配置する。
（２）電子吸収コレクタ２６に負電荷が蓄積される場合には、電子吸収コレクタ２６に接近する電子は電子吸収コレクタ２６に蓄積されている負電荷によってクーロンの反発力を受ける。従って、電子吸収コレクタ２６に接近する電子の速度は低下する。
（３）電子吸収コレクタ２６に接近する電子の速度が低下する事を目的として電子吸収コレクタ２６の構造を決定する。
【００６７】
上記の３つの減速方法の詳細を以下に記述する。
（１）電子が電子吸収コレクタ２６に接近する場合には、図３２に示すように、電子吸収コレクタ２６の直前に導電物８を配置する。これをサプレッサ２５と呼ぶ。サプレッサ２５と電子吸収コレクタ２６の間には絶縁物８が配置され、サプレッサ２５と電子吸収コレクタ２６は電気的に絶縁される。電子吸収コレクタ２６とサプレッサ２５の間に電源を配置し、サプレッサ２５の電位を電子吸収コレクタ２６の電位よりも低い値に設定する。電子が電子吸収コレクタ２６に接近する直前にサプレッサ２５に蓄積されている負電荷とクーロンの反発作用を受ける。従って、電子吸収コレクタ２６に接近する電子が減速される。運動エネルギーを保有する電子が電子吸収コレクタ２６に接近する際には、サプレッサ２５によって運動エネルギーの一部を失うことにより電子が電子吸収コレクタ２６に衝突する速度が低下するので、電子吸収コレクタ２６に供給されるエネルギーが少なくなり、電子吸収コレクタ２６の温度上昇が少なくなる。さらに、電子吸収コレクタ２６に相突した電子が反発されて後戻りをする場合には、サプレッサ２５の負電荷の反発作用により再び電子吸収コレクタ２６に電子が向かうので、サプレッサ２５は電子のバウンド離脱を抑制する効果も発揮し、電子吸収コレクタ２６が電子を収集する能力が良好となる。
【００６８】
（２）電子吸収コレクタ２６に負電荷を蓄積すると、後から電子吸収コレクタ２６に接近する電子は電子吸収コレクタ２６に蓄積されている負電荷によるクーロンの反発力によって電子吸収コレクタ２６に接近する電子の速度が低下する。従って、電子の衝突により電子吸収コレクタ２６に供給されるエネルギーが少なくなり、電子吸収コレクタ２６の温度上昇が抑えられる。電子吸収コレクタ２６に負電荷が蓄積されていると、発電電圧が高くなり、電気エネルギーが大きくなる。従って、電子吸収コレクタ２６に負電荷が残存すると、大きい電気エネルギーを供給することが可能となり、電子吸収コレクタ２６の温度上昇も抑えられるので、効率の良好な発電装置が実現される。電子吸収コレクタ２６に負電荷が常に残存するには、電子吸収コレクタ２６に接近させる電子の数が多くなる装置を製作する必要がある。すなわち、電子吸収コレクタ２６に電子を多く供給する能力のある構造とする。さらに、必要以上に電子を電子吸収コレクタ２６に接近させる事は電子の負電荷の周辺における付着が後の電子の動作に悪影響を与える可能性があるので、加速する電子の数を電子吸収コレクタ２６の電位に依存して制御すると、効率と耐久性の優れた装置を実現するためには必要な条件である。
【００６９】
（３）電子吸収コレクタ２６に接近する電子の速度が低下する事を目的として電子吸収コレクタ２６の構造を決定する。電子吸収コレクタ２６が平坦な構造であると、電子は減速されずに電子吸収コレクタ２６に相突する。従って、電子吸収コレクタ２６の表面に細かい凹凸を配置する。非常に細かい凹凸の例として、電子吸収コレクタ２６の表面にカーボン系の材料を配置する事は有効な方法である。非常に小さいカーボン系の物質を電子吸収コレクタ２６の表面に配置すると、電子が電子吸収コレクタ２６の導電部に接近する直前にカーボン系の物質に接近する。カーボン系の物質に電子が接近すると、時間的に以前に到達している電子が保有する負電荷によりクーロンの反発作用により電子が減速作用を受けた後に電子吸収コレクタ２６に衝突するので、電子吸収コレクタ２６に衝突する速度が低下し、電子吸収コレクタ２６の温度上昇が抑えられるので、電子吸収コレクタ２６の表面に配置するカーボン系の物質が本発明の電界効果発電装置の耐久性を増し、発電効率も良好にする作用がある。
【００７０】
〔発明の効果７〕
請求項（７）に記載の電界効果発電装置によれば、上記の請求項（５）に記載の構成による作用・効果に加えて、電磁波、電子、光子などは量子力学的には波動性を有するので、これらの波動性エネルギーをキャリア出力物質１およびチャネル形成物質２に照射すると、ポテンシャル障壁発生部２０を通過する電子の数が増加する。この現象の詳細を以下に記述する。
本発明の電界効果発電現象においては、電子吸収コレクタ２６に収集された電子が逆方向に移動することを阻止するために、非可逆過程発生部４を導入する必要がある。電子が非可逆過程発生部４を通過するために、電子に運動エネルギーを与える必要がある。そのためには、電子がポテンシャル障壁発生部２０を量子力学的なトンネル効果により通過することにより、キャリア出力物質１からチャネル形成物質２にインジェクションされ、チャネル形成物質２の表面を移動することにより加速される必要がある。電子と正孔が殆ど等量の状態で含まれているキャリア出力物質１に電磁波、電子、光子などを照射する。電子の波動性を利用することにより、電子がポテンシャル障壁発生部２０を通過して移動し、チャネル形成物質２に電子が良好にインジェクションされる。すなわち、キャリア出力物質１とチャネル形成物質２との間にポテンシャル障壁発生部２０が存在する場合において、キャリア出力物質１からチャネル形成物質２に電磁波、電子、光子などを照射する事によりポテンシャル障壁発生部２０を量子力学的なトンネル効果により通過することにより、チャネル形成物質２にキャリアが蓄積される。図３３には物質中にある電子の統計的なエネルギー分布を示す。同図によれば、大きいエネルギーを保有する電子の数は少なく、小さいエネルギーを保有する電子の数も少ないが、平均値付近のエネルギーを保有する電子の数が最も多くなる傾向がある。電子が保有するエネルギーが小さい場合には、コールド・エレクトロン(cold electron)と呼ばれ、電子が保有するエネルギーが大きい場合には、ホット・エレクトロン(hot electron)と呼ばれる。図３４には、電子のもつエネルギーに対するポテンシャル障壁の閾値をＴで表す。電子が保有するエネルギーが大きく、ポテンシャル障壁の閾値Ｔを越えることができるならば、それらをエリート電子(elite electrons)と呼ぶ。逆に、電子が保有するエネルギーが小さく、ポテンシャル障壁の閾値Ｔを越えることができないならば、それらを非エリート電子(non-elite electrons)と呼ぶ。本発明の電界効果発電装置においては、エリート電子はポテンシャル障壁の閾値Ｔを越えることが可能であるので、発電に寄与することができるが、非エリート電子はポテンシャル障壁の閾値Ｔを越えることが不可能であるので、発電に寄与することができない。外部から物質内の電子に運動エネルギーを与えない場合には、物質内の電子の殆ど全ては非エリート電子である。量子力学的に波動性を示すところの電磁波、電子、光子などをキャリア出力物質１およびチャネル形成物質２に照射する事により、電子に運動エネルギーを与えると、エリート電子の数が増加するので、多くの電子がポテンシャル障壁の閾値Ｔを越える事が可能となる。
【００７１】
電子を電界中に配置すると、電界を発生する正電極には正の電荷が蓄積されているので、電子が正電荷に接近する方向に移動し、電界を発生する負電極には負の電荷が蓄積されているので、電子が負電荷から離れる方向に移動する。従って、電子が電界によって移動すると、電子が移動速度を増加するので、電子は加速される。電子が電界によって加速されることおよび波動性エネルギーの照射の相乗効果により、電子が保有する運動エネルギーが増加し、ポテンシャル障壁の閾値Ｔを越えることができるエリート電子の数が増加するので、インジェクションされる電子の数が増加し、さらにエミッションされる電子の数も増加する。故に、発電に寄与する電子数が増加するので、発電量が増加する。
本発明の電界効果発電装置の特徴を以下に記述する。電界の効果に加えて量子力学的に波動性を示すところの電磁波、電子、光子などをキャリア出力物質１およびチャネル形成物質２に照射する事により、出力される電子の運動エネルギーを増加する方法の特徴を以下に記述する。正電極に正電荷を蓄積し、負電極に負電荷を蓄積すると、正電極と負電極の間に電界が発生する。正電極と負電極の間には絶縁物８を配置する。絶縁物８のインピーダンスは高いので、正電極と負電極の間に流れる電流は殆ど無い。従って、電界を発生するために消費するエネルギーは極めて少ないので、エリート電子を作り出すために消費するエネルギーが少ないので、発電効率が高い発電を実現することができる可能性がある。本発明の装置において電界の効果に併用して、電磁波、電子、光子などをキャリア出力物質１およびチャネル形成物質２に照射する事により発電に寄与するエリート電子の数が増加する。基板１９の上にキャリア出力物質１とチャネル形成物質２を配置し、キャリア出力物質１とチャネル形成物質２を電気的に接続し、チャネル形成物質２の表面の全面又は１部分に絶縁物８を配置し、絶縁物８の中にキャリア加速装置３の電極を配置し、電源を用いてキャリア加速装置の電極６０に電圧を加えることによりキャリア加速装置３を構成し、キャリア加速装置３の作用によりチャネル形成物質２の絶縁物８の側の表面に加速チャネル９の１部分を形成する。キャリア加速装置の電極６０によって発生する電界の効果によってキャリア出力物質１の中に存在する電子がキャリア出力物質１からチャネル形成物質２にインジェクションされる。キャリア出力物質１に量子力学的に波動性を示すところの電磁波、電子、光子などを照射する事によりチャネル形成物質２にインジェクションされる電子の数が増加する。チャネル形成物質２にインジェクションされた電子が加速チャネル９の中で加速されて移動する。チャネル形成物質２に量子力学的に波動性を示すところの電磁波、電子、光子を照射する事により電子は大きな運動エネルギーを獲得するので、高エネルギー状態の電子が非可逆過程発生部４を量子力学的なトンネル効果により通過することが可能となり、電子が真空中にエミッションされる。エミッションされた電子は加速チャネル９の終端部に配置された電子吸収コレクタ２６に収集される。電子吸収コレクタ２６に収集された電子はエネルギー蓄積器１５の一方の入力端子に入力され、キャリア出力物質１の中に残存する正孔がエネルギー蓄積器１５の他方の入力端子に入力され、電子と正孔がペアを形成し、エネルギー蓄積器１５に蓄積されることにより、時間的に後にエミッションされる電子と正孔が加速されながら移動する事が妨害されなくなるので、エネルギー蓄積器１５に蓄積されるエネルギーの量が多くなる。エネルギー蓄積器１５が電気的負荷５に並列的に接続される事により、電子と正孔が電気的負荷５に供給される。その結果として、電子と正孔の発生により得られる電気エネルギーが電気的負荷５において消費される。集積回路技術を適用すれば、キャリアをインジェクションするデバイスを製作する事は容易であるので、本発明の電界効果発電装置においては従来の発電装置よりも効率良く電気エネルギーを発生させることが可能となる。しかも、本発明の電界効果発電装置においては電子と正孔が共に早期にエネルギー蓄積器１５に移動することにより、エネルギー蓄積器１５に電気エネルギーを蓄えることができるので、エネルギーの発生効率が良好になる。結論として、本発明の電界効果発電装置においては、量子力学的に波動性を示すところの電磁波、電子、光子などをキャリア出力物質１およびチャネル形成物質２に照射することおよび電界効果の相乗作用により、発電効率が良好な電界効果発電装置を実現することが可能となる。
【００７２】
〔発明の効果８〕
請求項（８）に記載の電界効果発電装置によれば、上記の請求項（５）に記載の構成による作用・効果に加えて、キャリア入力物質の表面の全面あるいは１部分に２次電子放出部材を配置する事により電界効果発電を良好に行うことが可能となる。
キャリア出力物質１からチャネル形成物質２の中にインジェクションされたキャリアはキャリア加速装置３によって加速されることにより、キャリアは運動エネルギーを獲得する。キャリアが進行する場所を加速チャネル９と言う。キャリアが電子である例を以下に示す。図３５に示すように、キャリア出力物質１からチャネル形成物質２の中にインジェクションされた電子は、チャネル形成物質２と絶縁物８の間にある加速チャネル９の中を進行する。Ｎ型半導体１１からＰ型半導体１０にキャリアである電子をインジェクションするために第一電源３１を用いる。第一電源３１によってキャリア加速装置の第一電極６１とキャリア加速装置の第二電極６２の間に電界が発生し、電子は絶縁物８とチャネル形成物質２の間にある加速チャネル９の中を進行し、正電荷が蓄積されたキャリア加速装置の第二電極６２の方向に進む。さらに、第二電源３２によってキャリア加速装置の第二電極６２とキャリア加速装置の第三電極６３の間に電界が発生し、加速装置の第三電極６３の下で加速されながら進行する。加速チャネル９の右側にはチャネル形成物質２の表面に凹凸を設定する。チャネル形成物質２の表面に設けられた凹凸は極めて微小な大きさである。第三電源３３によってキャリア加速装置の第三電極６３とキャリア加速装置の第四電極６４の間に電界が発生し、キャリアである電子が充分に運動エネルギーを保有すると、チャネル形成物質２の窪み領域の表面を通過する。キャリア加速装置の電極から発生する電界の作用により、電子の速度は次第に大きくなり、チャネル形成物質２の凹凸表面をトンネル効果により電位障壁を貫通して通過する。最終的には電子の速度が充分に大きくなり、保有する運動エネルギーが大きくなると、同図に示すｅのように、電子がチャネル形成物質２の表面から離脱して真空中にエミッションされる。本発明においては、エミッションされた電子は電子吸収コレクタ２６に衝突し、コレクタに吸収される。コレクタに吸収された電子は電気エネルギーとして利用される。
図３６には、２次電子放出部材８０をチャネル形成物質２の凸領域に配置する場合を示す。同図において、第一電源３１によってキャリア加速装置の第一電極６１とキャリア加速装置の第二電極６２の間に電界が発生し、電子は絶縁物８とチャネル形成物質２の間にある加速チャネル９の中を進行し、正電荷が蓄積されたキャリア加速装置の第二電極６２の方向に加速されながら進行する。さらに、第二電源３２によってキャリア加速装置の第二電極６２とキャリア加速装置の第三電極６３の間に電界が発生し、加速装置の第三電極６３の直下に加速されながら進行する。電界加速により大きな運動エネルギーを保有する電子が２次電子放出部材８０に衝突し、２次電子を放出する。２次電子放出部材８０に衝突する電子を１次電子と呼ぶ。１次電子と２次電子は共に第三電源３３により発生するキャリア加速装置の第三電極６３とキャリア加速装置の第四電極６４の間の電界により加速されて進行する。２次電子がチャネル形成物質２の表面に設置された２次電子放出部材８０から放出されると、それらとペアを組んでいた正孔がチャネル形成物質２に残存し、それらはチャネル形成物質２からキャリア出力物質１にインジェクションされるキャリアとなる。インジェクションされたキャリアがキャリア加速装置３によって加速されることにより、キャリアは大きい運動エネルギーを保有することができる。キャリアが進行する経路を加速チャネル９と言う。図３７に示すように、キャリアである電子はチャネル形成物質２と絶縁物８の間にある加速チャネル９を進行する。第一電源３１によってキャリア加速装置の第一電極６１とキャリア加速装置の第二電極６２の間に電界が発生し、電子はチャネル形成物質２の絶縁物８も側の表面を進行し、正電荷が蓄積されたキャリア加速装置の第二電極６２の方向に進む。電子の速度が充分に大きくなると、電子が保有する運動エネルギーが大きくなり、電子が絶縁物８とチャネル形成物質２の間からエミッションされて電子が飛翔する。飛翔する電子は２次電子放出材８０に衝突し、多数の２次電子を放出する。さらに、第二電源３２によってキャリア加速装置の第二電極６２とキャリア加速装置の第三電極６３の間に電界が発生し、加速装置の第三電極６３の直下に加速しながら進行する。電子の速度が充分に大きくなると、電子が保有する運動エネルギーが大きくなり、飛翔する電子が２次電子放出材８０に衝突し、多数の２次電子を放出する。第三電源３３によってキャリア加速装置の第三電極６３とキャリア加速装置の第四電極６４の間に電界が発生し、キャリアである電子が充分に運動エネルギーを保有すると、飛翔する電子が２次電子放出材８０に衝突し、多数の２次電子を放出する。以上の過程を続けると、飛翔する電子の数が急激に増加する。２次電子放出部材８０に衝突する電子を１次電子と呼ぶ。１次電子と２次電子は共に第三電源３３により発生するキャリア加速装置の第三電極６３とキャリア加速装置の第四電極６４の間の電界により加速されながら進行する。２次電子がチャネル形成物質２の表面に設置された２次電子放出部材８０から放出されると、それらとペアを組んでいた正孔がチャネル形成物質２に残存し、それらはチャネル形成物質２からキャリア出力物質にインジェクションされるキャリアとなる。なお、２次電子放出部材８０は撮像管などにも用いられており、酸化鉛や酸化珪素系の物質などが用いられる。電子が２次電子放出部材８０に衝突する際には、最も２次電子を多く放出する１次電子のエネルギーは数百エレクトロン・ボルト（eV）である。
キャリアである電子が電界によって加速されることにより電子が保有する運動エネルギーが大きくなる。電子が保有する運動エネルギーが大きくなると、コレクタに多くの電子が蓄積される場合においても、クーロンの反発力に打ち勝ってコレクタに衝突することが可能となり、発電により発生する電圧が高くなる。さらに、加速チャネル９に２次電子放出部材８０と配置し、高速で進行する電子が１次電子となり、多くの２次電子を放出すると、発電に寄与する電子の数が増加し、発電装置から取り出すことが可能な電子の数が増加するので、電気的負荷５に流すことができる電流が増加する。電圧と電流の積が電力であるので、２次電子放出部材８０を配置することにより発電により得られる電力が大きくなり、発電効率が向上する。
【００７３】
〔発明の効果９〕
請求項（９）に記載の電界効果発電装置によれば、上記の請求項（５）に記載の構成による作用・効果に加えて、偏向電極および偏向磁極を用いてエミッションされた電子の軌道を偏向する事を特徴とする。以下には偏向電極を用いる偏向方式の詳細を記述する。キャリア出力物質１としてＮ型半導体１１を用い、チャネル形成物質２としてＰ型半導体１０を用いる場合を以下に示す。インジェクションされたキャリアである電子の軌道が曲げられて電子吸収コレクタ２６に収集される場合を図３８に示す。Ｐ型半導体１０とＮ型半導体１１はＰＮ接合を形成する。第一電源３１の負電圧端子はＮ型半導体１１に電気的に接続され、第一電源３１の正電圧端子はキャリア加速装置の第一電極６１に電気的に接続される。キャリア加速装置の第一電極６１とＮ型半導体１１の間には電界が発生する。発生する電界によってキャリアである電子がＮ型半導体１１からＰ型半導体１０にインジェクションされ、加速チャネル９内を移動する。第二電源３２の負電圧端子はキャリア加速装置の第一電極６１に電気的に接続され、第一電源３１の正電圧端子はキャリア加速装置の第二電極６２に電気的に接続される。キャリア加速装置の第一電極６１とキャリア加速装置の第二電極６２の間には電界が発生する。発生する電界によってインジェクションされた電子は加速チャネル９の中で加速される。第三電源３３の負電圧端子はキャリア加速装置の第二電極６２に電気的に接続され、第三電源３３の正電圧端子はキャリア加速装置の第三電極６３に電気的に接続される。キャリア加速装置の第二電極６２とキャリア加速装置の第三電極６３の間には電界が発生する。発生する電界によってインジェクションされた電子は加速チャネル９内で加速される。第四電源３４の負電圧端子はキャリア加速装置の第三電極６３に電気的に接続され、第三電源３３の正電圧端子はキャリア加速装置の第四電極６４に電気的に接続される。キャリア加速装置の第三電極６３とキャリア加速装置の第四電極６４の間には電界が発生する。発生する電界によってインジェクションされた電子は加速チャネル９内で加速される。第五電源３５の負電圧端子はキャリア加速装置の第四電極６４に電気的に接続され、第五電源３５の正電圧端子はキャリア加速装置の第五電極６５に電気的に接続される。キャリア加速装置の第四電極６４とキャリア加速装置の第五電極６５の間には電界が発生する。発生する電界によってインジェクションされた電子は加速チャネル９内で加速される。図３９には本発明の電界効果発電において、加速チャネル内で電子が電界偏向を受けて軌道が曲げられて、電子吸収コレクタに収集される場合の上面の概観を示す。Ｎ型半導体１１とＰ型半導体１０はＰＮ接合を形成する。同図に示す第一電源３１と第二電源３２と第三電源３３と第四電源３４と第五電源３５の電源を直列接続されているので、これらを合成して電源３０で表す。電源３０の正電圧端子はキャリア加速装置の第五電極６５に電気的に接続され、電源３０の負電圧端子はＮ型半導体１１に電気的に接続される。キャリア加速装置の第五電極６５とＮ型半導体１１の間には電界が発生する。発生した電界によってＮ型半導体１１からＰ型半導体１０に電子がインジェクションされる。インジェクションされた電子はＰ型半導体１０の表面にある加速チャネル９の中を移動する。キャリア加速装置の第五電極６５に蓄積された正電荷はインジェクションされた電子をクーロンの法則に基づく引力によって引き寄せるので、インジェクションされた電子は加速チャネル９の中においてキャリア加速装置の第六電極６６の方向に移動する。インジェクションされた電子が移動する際には絶縁物８の中に配置された他の加速電極が発生する電界も寄与する。同図に示すように、Ｐ型半導体１０は直線状ではなく、曲げられており、Ｐ型半導体１０の表面を直線的に移動してもキャリア加速装置の第五電極６５には到達することができず、直線方向には絶縁物８が配置されている。
【００７４】
図３９に示すように、キャリア軌道偏向電源９０の正電圧端子はキャリア軌道偏向正電極９１に電気的に接続され、キャリア軌道偏向電源９０の負電圧端子はキャリア軌道偏向負電極９２に電気的に接続される。キャリア軌道偏向正電極９１とキャリア軌道偏向負電極９２の間に発生する電界はＰ型半導体の表面にインジェクションされた電子の飛翔軌道を曲げる。その結果として、インジェクションされた電子は電子吸収コレクタ２６の方向に進行し、最終的には電子吸収コレクタ２６に収集される。
電子吸収コレクタ２６はキャリア蓄積器１５の負電圧端子と電気的に接続され、Ｎ型半導体１１はキャリア蓄積器１５の正電圧端子と電気的に接続される。電子吸収コレクタ２６に吸収された電子はキャリア蓄積器１５の負電極に到達する。Ｐ型半導体１０からＮ型半導体１１にインジェクションされた正孔はキャリア蓄積器１５の正電極に到達する。その結果として、キャリア蓄積器１５には正電荷と負電荷が蓄積される。従って、キャリア蓄積器１５の両端子に電気的負荷を接続すると、キャリア蓄積器１５に蓄積された正孔と電子が電気的負荷を経由して再結合する。その際に電気的負荷に電気エネルギーを供給することができる。
【００７５】
インジェクションされたキャリアである電子の軌道が曲げられてコレクタに吸収される場合を図４０に示す。Ｐ型半導体１０とＮ型半導体１１はＰＮ接合を形成する。第一電源３１の負電圧端子はキャリア加速装置の第一電極６１に電気的に接続され、第一電源３１の正電圧端子はキャリア加速装置の第二電極６２に電気的に接続される。キャリア加速装置の第一電極６１とキャリア加速装置の第二電極６２の間には電界が発生する。発生する電界によってキャリアである電子がＮ型半導体１１からＰ型半導体１０にインジェクションされ、加速チャネル９の中を移動する。第二電源３２の負電圧端子はキャリア加速装置の第二電極６２に電気的に接続され、第２電源３２の正電圧端子はキャリア加速装置の第三電極６３に電気的に接続される。キャリア加速装置の第二電極６２とキャリア加速装置の第三電極６３の間には電界が発生する。発生する電界によってインジェクションされた電子は加速チャネル９の中で加速される。第三電源３３の負電圧端子はキャリア加速装置の第三電極６３に電気的に接続され、第三電源３３の正電圧端子はキャリア加速装置の第四電極６４に電気的に接続される。キャリア加速装置の第三電極６３とキャリア加速装置の第四電極６４の間には電界が発生する。発生する電界によってインジェクションされた電子は加速チャネル９の中で加速される。第四電源３４の負電圧端子はキャリア加速装置の第四電極６４に電気的に接続され、第三電源３３の正電圧端子はキャリア加速装置の第五電極６５に電気的に接続される。キャリア加速装置の第４電極６４とキャリア加速装置の第五電極６５の間には電界が発生する。発生する電界によってインジェクションされた電子は加速チャネル９内で加速される。第五電源３５の負電圧端子はキャリア加速装置の第五電極６５に電気的に接続され、第五電源３５の正電圧端子はキャリア加速装置の第六電極６６に電気的に接続される。キャリア加速装置の第五電極６５とキャリア加速装置の第六電極６６の間には電界が発生する。発生する電界によってインジェクションされた電子は加速チャネル９の中で加速される。Ｎ型半導体１１とＰ型半導体１０はＰＮ接合を形成する。第一電源３１と第二電源３２と第三電源３３と第四電源３４と第五電源３５の電源を直列接続されているので、これらを合成して電源３０で表す。電源３０の正電圧端子はキャリア加速装置の第六電極６６に電気的に接続される。キャリア加速装置の第六電極６６の正電荷によって電界が発生する。発生した電界によってＮ型半導体１１からＰ型半導体１０に電子がインジェクションされる。インジェクションされた電子はＰ型半導体１０の表面にある加速チャネル９の中を移動する。キャリア加速装置の第六電極６６に蓄積された正電荷はインジェクションされた電子をクーロンの法則に基づく引力によって引き寄せるので、インジェクションされた電子はキャリア加速装置の第六電極６６の方向に移動する。インジェクションされた電子が移動する際には絶縁物中に配置された他の加速電極が発生する電界も寄与する。Ｐ型半導体１０は直線状ではなく、曲げられており、Ｐ型半導体１０の表面を直線的に移動してもキャリア加速装置の第六電極６６には到達することができず、直線方向には絶縁物８が配置されている。キャリア軌道偏向電源９０の正電圧端子はキャリア軌道偏向正電極９１に電気的に接続され、キャリア軌道偏向電源９０の負電圧端子はキャリア軌道偏向負電極９２に電気的に接続される。キャリア軌道偏向正電極９１とキャリア軌道偏向負電極９２の間に発生する電界はＰ型半導体の表面にインジェクションされた電子の飛翔軌道を曲げる。その結果として、インジェクションされた電子は電子吸収コレクタ２６の方向に移動し、最終的には電子吸収コレクタ２６に収集される。
【００７６】
電子吸収コレクタ２６はキャリア蓄積器１５の負電圧端子と電気的に接続され、Ｎ型半導体１１はキャリア蓄積器１５の正電圧端子と電気的に接続される。電子吸収コレクタ２６に吸収された電子はキャリア蓄積器１５の負電極に到達する。Ｐ型半導体１０からＮ型半導体１１にインジェクションされた正孔はキャリア蓄積器１５の正電極に到達する。その結果として、キャリア蓄積器１５には正電荷と負電荷が蓄積される。従って、キャリア蓄積器１５の両端子に電気的負荷を接続すると、キャリア蓄積器１５に蓄積された正孔と電子が電気的負荷を経由して再結合する。その際に電気的負荷に電気エネルギーを供給することができる。なお、同図においては、インジェクションされた電子の軌道を曲げるために電界を利用するが、電子の飛翔軌道を曲げるには磁界を利用することも可能である。インジェクションされた電子の軌道の周辺に磁石を配置することにより磁界を作り、作られて磁界により電子の飛翔軌道を曲げる方式も本発明には含まれる。
【００７７】
以下には、偏向磁極を用いる偏向方式の詳細を記述する。キャリア出力物質１としてＮ型半導体１１を用い、チャネル形成物質２としてＰ型半導体１０を用いる場合を以下に示す。インジェクションされたキャリアである電子の軌道が曲げられて電子吸収コレクタ２６に収集される場合を図４１に示す。Ｐ型半導体１０とＮ型半導体１１はＰＮ接合を形成する。第一電源３１の負電圧端子はＮ型半導体１１に電気的に接続され、第一電源３１の正電圧端子はキャリア加速装置の第一電極６１に電気的に接続される。キャリア加速装置の第一電極６１とＮ型半導体１１の間には電界が発生する。発生する電界によってキャリアである電子がＮ型半導体１１からＰ型半導体１０にインジェクションされる。インジェクションされたキャリアは加速チャネル９の中を移動する。第二電源３２の負電圧端子はキャリア加速装置の第一電極６１に電気的に接続され、第一電源３１の正電圧端子はキャリア加速装置の第二電極６２に電気的に接続される。キャリア加速装置の第一電極６１とキャリア加速装置の第二電極６２の間には電界が発生する。発生する電界によってインジェクションされた電子は加速チャネル９の中で加速される。第三電源３３の負電圧端子はキャリア加速装置の第二電極６２に電気的に接続され、第三電源３３の正電圧端子はキャリア加速装置の第三電極６３に電気的に接続される。キャリア加速装置の第二電極６２とキャリア加速装置の第三電極６３の間には電界が発生する。発生する電界によってインジェクションされた電子は加速チャネル９の中で加速される。第四電源３４の負電圧端子はキャリア加速装置の第三電極６３に電気的に接続され、第三電源３３の正電圧端子はキャリア加速装置の第四電極６４に電気的に接続される。キャリア加速装置の第三電極６３とキャリア加速装置の第四電極６４の間には電界が発生する。発生する電界によってインジェクションされた電子は加速チャネル９の中で加速される。第五電源３５の負電圧端子はキャリア加速装置の第四電極６４に電気的に接続され、第五電源３５の正電圧端子はキャリア加速装置の第五電極６５に電気的に接続される。キャリア加速装置の第四電極６４とキャリア加速装置の第五電極６５の間には電界が発生する。発生する電界によってインジェクションされた電子は加速チャネル９の中で加速される。
【００７８】
図４２には本発明の電界効果発電において、加速チャネル内で電子が磁界偏向を受けて軌道が曲げられて、電子吸収コレクタに収集される場合の上面図を示す。Ｎ型半導体１１はＰ型半導体１０とＰＮ接合を形成する。第一電源３１と第二電源３２と第三電源３３と第四電源３４と第五電源３５の電源を直列接続されているので、これらを合成して同図には電源３０で示す。電源３０の正電圧端子はキャリア加速装置の第五電極６５に電気的に接続され、電源３０の負電圧端子はＮ型半導体１１に電気的に接続される。キャリア加速装置の第五電極６５とＮ型半導体１１の間には電界が発生する。発生した電界によってＮ型半導体１１からＰ型半導体１０に電子がインジェクションされる。インジェクションされた電子はＰ型半導体１０の表面にある加速チャネル９の中を移動する。キャリア加速装置の第五電極６５に蓄積された正電荷はインジェクションされた電子をクーロンの法則に基づく引力によって引き寄せるので、インジェクションされた電子はキャリア加速装置の第五電極６５の方向に移動する。インジェクションされた電子が移動する際には絶縁物中に配置された他の加速電極が発生する電界も寄与する。同図に示すように、Ｐ型半導体１０は直線状ではなく、曲げられており、Ｐ型半導体１０の表面を直線的に移動してもキャリア加速装置の第五電極６５には到達することができず、直線方向には絶縁物８が配置されている。図４１に示すように、Ｐ型半導体の両側にはキャリア軌道偏向Ｎ磁極９３とキャリア軌道偏向Ｓ磁極９４が配置されている。キャリア軌道偏向Ｎ磁極９３から出発する磁力線はキャリア軌道偏向Ｓ磁極９４に向う事によりＰ型半導体の上下に下から上に磁界が発生する。磁界中をキャリアである電子が移動することにより電子の移動する軌道が曲げられる。すなわち、発生した磁界により、電子がＰ型半導体の表面を移動する際にローレンツの力を受けて軌道が曲げられる。図４２に示すように、電子が移動する軌道が曲げられて電子吸収コレクタ２６に到達し、電子吸収コレクタ２６に収集される。電子吸収コレクタ２６はエネルギー蓄積器１５の負電圧端子と電気的に接続され、Ｎ型半導体１１はエネルギー蓄積器１５の正電圧端子と電気的に接続される。電子吸収コレクタ２６に吸収された電子はエネルギー蓄積器１５の負電極に到達する。Ｐ型半導体１０からＮ型半導体１１にインジェクションされた正孔はエネルギー蓄積器１５の正電極に到達する。その結果として、エネルギー蓄積器１５には正電荷と負電荷が蓄積される。従って、エネルギー蓄積器１５の両端子に電気的負荷を接続すると、エネルギー蓄積器１５に蓄積された正孔と電子が電気的負荷を経由して再結合する。その際に電気的負荷に電気エネルギーを供給することができる。
【００７９】
〔発明の効果１０〕
請求項（１０）に記載の電界効果発電装置によれば、上記の請求項（５）に記載の構成による作用・効果に加えて、電子吸収コレクタ２６に発生する熱エネルギーを電気エネルギーの発生に有効に利用する。すなわち、電子吸収コレクタ２６に発生する熱エネルギーが熱伝導器に良好に伝導する状態で熱伝導器を配置する。電子吸収コレクタ２６に電子が衝突すると、熱エネルギーが電子吸収コレクタ２６に発生する。発生する熱エネルギーは熱伝導器に良好に伝達され、熱伝導器の温度が上昇する。熱伝導器はキャリア出力物質１およびチャネル形成物質２と熱伝導が良好な状態で配置されている。熱伝導器に伝達された熱エネルギーがキャリア出力物質１およびチャネル形成物質２に良好に伝導される。その結果として、チャネル形成物質２の温度が上昇する。物質の温度が上昇する場合における電子のエミッションに関して以下に記述する。
【００８０】
図４３には、参考書籍「Electronic Engineering Principles, by John D. Ryder (Prentice-Hall, Inc.)」の４５ページに記載されているS.Dushman(1923)  により導出された熱電子放出の公式である。同式において、エミッションされる電流はカソードの絶対温度Ｔの約２乗に比例する。図４４には、S.Dushman(1923)  の熱電子放出の公式に基づいてタングステンの場合に特性曲線を算出した電子のエミッション特性である。同図にはエミッションされる電子の数がカソードの絶対温度Ｔに関して指数関数的に増加することを示す。本発明の電界効果発電装置においては、熱エネルギーが熱伝導器からチャネル形成物質２に伝導され、チャネル形成物質２の絶対温度Ｔが上昇するので、チャネル形成物質２から多量の電子がエミッションされる。多量の電子のエミッションによりエネルギー蓄積器１５に蓄えられる電気エネルギーが増加する。以上のエネルギー循環経路はポシティブ・フィードバック系を形成し、時間経過と共に発電量は増加し、各パーツの温度が上昇する。従って、発電量あるいはパーツの温度に制限を設定し、その制限領域を発電システムが越える場合には、キャリア加速装置の電極６０に供給する電源の電圧を低下させることにより定常運転に設定する必要がある。なお、チャネル形成物質２の温度上昇は飛翔電子の運動エネルギーが熱エネルギーに変換された結果である。すなわち、本発電装置の根源のエネルギーは、電界が電子に作用する効果によって発生する。結論として、電子の電界効果加速により発生するエネルギーを用いてポジティブ・フィードバック系を構成すると、極めて良好に電気エネルギーを発生することが可能となる。なお。電界を加える事により失われるエネルギーは殆どないので、本発明の電界効果発電装置の発電効率は極めて良好であると言える。
【００８１】
〔発明の効果１１〕
請求項（１１）に記載の電界効果発電装置によれば、上記の請求項（５）に記載の構成による作用・効果に加えて、キャリア入力物質として炭素系物質を用い、炭素系物質の表面にサブ・ナノメータ物質を配置する事により効率の良好な発電装置を構成することが可能となる。チャネル形成物質２の表面にサブ・ナノメータの大きさの凹凸を設定する場合を以下に記述する。図４５にはチャネル形成物質２として炭素系の材料を用いる場合を示す。同図において、基板１９の上表面に炭素系物質７６を配置し、その上表面にサブ・ナノメータ物質７５を配置する。炭素系物質７６としてグラフェンおよびグラファイトなどがある。サブ・ナノメータ物質７５の具体的な例として二酸化ルテニウムなどがある。炭素系物質７６とサブ・ナノメータ物質７５を拡大して、図４６に示す。四酸化ルテニウムと炭素系物質が反応することにより炭素系物質７６の表面にサブ・ナノメータ物質７５である二酸化ルテニウムが堆積する。二酸化ルテニウムの大きさは１ナノ・メータ以下の大きさであるので、チャネル形成物質２にインジェクションされた電子がサブ・ナノメータ物質７５の間を飛翔しながら加速されて進行する。サブ・ナノメータ物質７５を用いることにより電界の集中効果が顕著に発揮されるので、エミッションされる電子の数が増加し、本発明の電界効果発電装置の効率が向上する。
【００８２】
〔発明の効果１２〕
請求項（１２）に記載の電界効果発電装置によれば、上記の請求項（５）に記載の構成による作用・効果に加えて、キャリア加速装置に用いる電源の電圧を調整する事により出力電圧を制御する事ができるので、温度上昇が抑えられ、耐久性のある装置を開発することが可能となる。図４７には、スィッチングにより出力電圧を制御する方式の電界効果発電装置の断面を示す。同図において、第一電源３１の正電圧端子はキャリア加速装置の第一電極６１に電気的に接続される。第一電源３１の負電圧端子はモード１の開始スィッチ１０１を介してキャリア出力物質１に電気的に接続される。キャリア入出力物質１からチャネル形成物質２にキャリアである電子をインジェクションするために第一電源３１を用いる。第二電源３２の負電圧端子はキャリア加速装置の第一電極６１に電気的に接続され、第二電源３２の正電圧端子はキャリア加速装置の第二電極６２に電気的に接続される。第三電源３３の負電圧端子はキャリア加速装置の第二電極６２に電気的に接続され、第三電源３３の正電圧端子はキャリア加速装置の第三電極６３に電気的に接続される。第四電源３４の負電圧端子はキャリア加速装置の第三電極６３に電気的に接続され、第四電源３４の正電圧端子はキャリア加速装置の第四電極６４に電気的に接続される。
【００８３】
電界効果発電のモード１においては、モード１の開始スイッチ１０１が導通状態であり、モード２の開始スイッチ１０２が非導通状態である。第一段目のエミッタ１０５の周辺を拡大して、図４８に示す。正電圧が加えられるキャリア加速装置の第一電極６１と負電圧が加えられるキャリア出力物質１の間には電界が発生し、その電界の作用によってキャリア出力物質１からキャリアである電子がチャネル形成物質２にインジェクションされる。その際には、キャリア出力物質１とチャネル形成物質２との間にあるポテンシャル障壁は、キャリア加速装置の第一電極６１とキャリア出力物質１の間に発生する電界によってトンネル効果により電子が貫通して通過する。インジェクションされた電子は加速チャネル９内においてチャネル形成物質２の表面を移動する。チャネル形成物質２の先端の曲率半径は充分に小さいとする。チャネル形成物質２の例としてカーボン・ナノチューブ、カーボン・ウォールおよびグラフェンなどがある。キャリア出力物質１とチャネル形成物質２は電気的に接続される。しかし、チャネル形成物質２がカーボン系の物質である場合には、キャリア出力物質１とチャネル形成物質２を電気的に接続するには、特殊な接着方法を適用する必要がある。すなわち、キャリア出力物質１の例としてチタンを用いると、１１００度Ｃ位においてカーボン系のチャネル形成物質２と良好に電気的な接続が行われる。本発明のフィードバック方式の電界電子発電装置においては、キャリア出力物質１が加熱され、高温になるので、キャリア出力物質１とチャネル形成物質２を高温状態で電気的に接続することにより良好な発電効率が得られる。
【００８４】
チャネル形成物質２の中にインジェクションされた電子は、キャリア加速装置の第一電極６１から発生する電界によって加速チャネル９において加速され、電子の運動エネルギーが大きくなる。大きな運動エネルギーを保有する電子が非可逆過程発生部４に到達し、チャネル形成物質２からエミッションされる。この際に、チャネル形成物質２と真空との間にある仕事関数に相当するポテンシャル障壁は、発生する電界によりトンネル効果に基づいて貫通して通過し、電子が真空中にエミッションされる。
【００８５】
電界効果発電装置の形状は円筒状であるので、キャリアである電子は軸対称の力を受け、軸の方向に進行し、第一段目の電子吸収コレクタ１２７に衝突し、それに吸収される。第一段目の電子吸収コレクタ１２７に吸収された電子はモード１のエネルギー蓄積器１１５に移動する。一方、キャリアである電子を出力した第一段目のエミッタ１０５には正電荷を保有する正孔が残存する。正孔はモード１のエネルギー蓄積器１１５に移動し、そこで電子と正孔がダイポールを形成する。第一段目の電子吸収コレクタ１２７に到達する電子はモード１のエネルギー蓄積器１１５に移動し、第一段目の電子吸収コレクタ１２７には電子が殆ど残存しないので、後続して第一段目の電子吸収コレクタ１２７に接近する電子の進路を妨害することは殆ど無い。すなわち、モード１のエネルギー蓄積器１１５において、電子と正孔がダイポールを形成するので、電子が保有する負電荷が後続の電子の移動方向に影響を及ぼすことは殆どない。正孔も第一段目のエミッタ１０５からモード１のエネルギー蓄積器１１５に移動し、そこで電子と正孔がダイポールを形成するので、正孔が保有する正電荷がキャリア出力物質１からチャネル形成物質２に移動する電子の動きを妨害することも殆どなくなり、良好な発電が行われる事が本発明の発電装置の特徴である。先行する発電装置においては、電子と正孔が元の物質に残存し、後続のキャリアの動きを妨害するので、高効率の発電を実現することが困難であった。
【００８６】
エミッションされた電子が加速されて第一段目の電子吸収コレクタ１２７に衝突するので、第一段目の電子吸収コレクタ１２７の温度が上昇する。第一段目の電子吸収コレクタ１２７の熱エネルギーはモード１の熱伝導器１２０を経由して第二段目のエミッタ１０６に伝導され、第二段目のエミッタ１０６の温度が上昇する。第二段目のエミッタ１０６の温度が上昇する事により、第二段目のエミッタ１０６の中にある電子が保有する運動エネルギーが大きくなる。
【００８７】
電界効果発電のモード２においては、モード１の開始スイッチ１０１が非導通状態であり、モード２の開始スイッチ１０２が導通状態である。図４７において、第五電源３５の正電圧端子はキャリア加速装置の第五電極６５に電気的に接続される。第５電源３５の負電圧端子はモード２の開始スィッチ１０２を介してキャリア出力物質１に電気的に接続される。第六電源３６の負電圧端子はキャリア加速装置の第五電極６５に電気的に接続され、第六電源３６の正電圧端子はキャリア加速装置の第六電極６６に電気的に接続される。第七電源３７の負電圧端子はキャリア加速装置の第六電極６６に電気的に接続され、第七電源３７の正電圧端子はキャリア加速装置の第七電極６７に電気的に接続される。第八電源３８の負電圧端子はキャリア加速装置の第七電極６７に電気的に接続され、第八電源３８の正電圧端子はキャリア加速装置の第八電極６８に電気的に接続される。
【００８８】
第二段目のエミッタ１０６の周辺を拡大して、図４８に示す。正電圧が加えられるキャリア加速装置の第五電極６５と負電圧が加えられるキャリア出力物質１の間には電界が発生し、その電界の作用によってキャリア出力物質１からキャリアである電子がチャネル形成物質２にインジェクションされる。その際には、キャリア出力物質１とチャネル形成物質２との間にあるポテンシャル障壁は、キャリア加速装置の第五電極６５とキャリア出力物質１の間に発生する電界によってトンネル効果により電子が貫通して通過する。インジェクションされた電子は加速チャネル９内を移動する。チャネル形成物質２の先端の曲率半径は充分に小さいとする。チャネル形成物質２の例としてカーボン・ナノチューブ、カーボン・ウォールおよびグラフェンなどがある。キャリア出力物質１とチャネル形成物質２は電気的に接続される。しかし、チャネル形成物質２がカーボン系の物質である場合には、キャリア出力物質１とチャネル形成物質２を電気的に接続するために特殊な接着方法を適用する必要がある。すなわち、高温のチタンとカーボン系の物質を用いることにより良好に電気的接続を実現することは具体例の１つである。チャネル形成物質２にインジェクションされた電子は、キャリア加速装置の電極から発生する電界によって加速チャネル９において加速され、電子の運動エネルギーが大きくなる。大きな運動エネルギーを保有する電子が非可逆過程発生部４に到達し、チャネル形成物質２からエミッションされる。この際に、チャネル形成物質２と真空との間にある仕事関数に相当するポテンシャル障壁は、発生する電界によりトンネル効果に基づいて貫通して通過し、電子が真空中にエミッションされる。
【００８９】
電界効果発電装置の形状は円筒状であるので、キャリアである電子は軸対称の力を受け、軸の方向に進行し、第二段目の電子吸収コレクタ１２８に衝突し、それに吸収される。第二段目の電子吸収コレクタ１２８に吸収された電子はモード２のエネルギー蓄積器１１６に移動する。一方、キャリアである電子を出力した第二段目のエミッタ１０６には正電荷を保有する正孔が残存する。正孔はモード２のエネルギー蓄積器１１６に移動し、そこで電子と正孔がダイポールを形成する。第二段目の電子吸収コレクタ１２８に到達する電子はモード２のエネルギー蓄積器１１６に移動し、第二段目の電子吸収コレクタ１２８には電子が殆ど残存しないので、後続して第二段目の電子吸収コレクタ１２８に接近する電子の進路を妨害することは殆ど無い。すなわち、モード２のエネルギー蓄積器１１６において、電子と正孔がダイポールを形成するので、電子が保有する負電荷が後続の電子の移動方向に影響を及ぼすことは殆どない。正孔もキャリア出力物質１からモード２のエネルギー蓄積器１１６に移動し、そこで電子と正孔がダイポールを形成するので、正孔が保有する正電荷がキャリア出力物質１からチャネル形成物質２に移動する際に、電子の動きを妨害することも殆どなくなり、良好な発電が行われる事が本発明の発電装置の特徴である。先行する発電装置においては、電子と正孔が元の物質に残存し、後続のキャリアの動きを妨害するので、高効率の発電を実現することが困難であった。エミッションされた電子が加速されて第二段目の電子吸収コレクタ１２８に衝突するので、第二段目の電子吸収コレクタ１２８の温度が上昇する。第二段目の電子吸収コレクタ１２８の熱エネルギーはモード２の熱伝導器１２１を経由して第一段目のエミッタ１０５に伝導され、第一段目のエミッタ１０５の温度が上昇する。第一段目のエミッタ１０５の温度が上昇する事により、第一段目のエミッタ１０５の中にある電子が保有する運動エネルギーが大きくなる。従って、再びモード１が開始されると、第一段目のエミッタ１０５にある電子が保有する運動エネルギーが大きいので、エミッションされる電子の数が多くなる。電界効果発電のモード１とモード２を交互に繰り返して行うことにより、第一段目のエミッタと第二段目のエミッアの温度が次第に上昇し、エミッションされる電子の数が増加する。従って、本発明の電界効果発電装置においては時間経過と共に発電量が増加する。さらに、モード１の開始スィッチ１０１とモード２の開始スィッチ１０２を開閉することにより、エミッションされる電子の数が制御されるので、装置全体の温度上昇が抑制される。その結果として、スィッチングにより出力電圧を制御する方式を採用し、熱エネルギーのフィードバックを行うと、電界効果発電装置は耐久性があり、発電効率が良好になる。
【実施例】
【００９０】
本発明の第１の実施形態に係る電界効果発電装置において、キャリア出力物質１としてＮ型半導体を用い、チャネル形成物質２としてＰ型半導体を用いる場合の実施例の断面を図４９に示す。図４９に示すように、第一電源３１の負電圧端子をＮ型半導体１１に接続する。第一電源３１の正電圧端子をキャリア加速装置の第一電極６１に接続する。キャリア加速装置の第一電極６１とＮ型半導体１１の間に電界が発生し、キャリアである電子はＮ型半導体１１からＰ型半導体１０にインジェクションされる。キャリア加速装置の第一電極６１はインジェクション電極として作用する。絶縁物８とＰ型半導体１０との間にある加速チャネル９内をキャリアである電子が移動する事により、キャリアは運動エネルギーを獲得する。第二電源３２の正電圧端子をキャリア加速装置の第二電極６２に接続する。第二電源３２の負電圧端子をキャリア加速装置の第一電極６１に接続する。キャリア加速装置の第二電極６２とキャリア加速装置の第一電極６１の間に電界が発生し、キャリアである電子は絶縁物８とＰ型半導体１０との間にある加速チャネル９内を電子が移動する事により、電子は運動エネルギーを獲得する。すなわち、キャリア加速装置の第二電極６２はスライディング電極として作用する。第三電源３３の正電圧端子をキャリア加速装置の第三電極６３に接続する。第三電源３３の負電圧端子をキャリア加速装置の第二電極６２に接続する。キャリア加速装置の第三電極６３とキャリア加速装置の第二電極６２の間に電界が発生し、キャリアである電子は絶縁物８とＰ型半導体１０との間にある加速チャネル９内を電子が移動する事により、電子は運動エネルギーを獲得する。すなわち、電子にエネルギーの前供給(pre-supply)が行われる。Ｐ型半導体１０の端は真空と接している。キャリア加速装置の第三電極６３はエミッション電極として作用する。すなわち、電界効果によりＰ型半導体１０の表面にある加速チャネル９において、電子がスライディング的に移動し、キャリア加速装置の第三電極６３の作用により、電子が真空中にエミッションされる。第四電源３４の正電圧端子をキャリア加速装置の第四電極６４に接続する。第四電源３４の負電圧端子をキャリア加速装置の第三電極６３に接続する。キャリア加速装置の第四電極６４とキャリア加速装置の第三電極６３の間に電界が発生し、キャリアである電子は加速チャネル９内で電子が加速される事により、電子は運動エネルギーを獲得する。すなわち、キャリア加速装置の第四電極６４は加速電極(accelerating electrode)として作用する。第五電源３５の負電圧端子をキャリア加速装置の第五電極６５に接続する。第五電源３５の正電圧端子をキャリア加速装置の第四電極６４に接続する。キャリア加速装置の第五電極６５とキャリア加速装置の第四電極６４の間に電界が発生し、キャリアである電子は加速チャネル９内で電子が減速される。この減速電界の作用により飛翔する電子は電子吸収コレクタ２６に衝突する前に減速を受けているので、衝突する際の速度は小さくなる。すなわち、キャリア加速装置の第五電極６５はサプレッサ電極として作用する。飛翔電子の速度が低下して電子吸収コレクタ２６に衝突すると、電子吸収コレクタ２６が飛翔電子から受けるエネルギーが少なくなる。従って、電子吸収コレクタ２６の温度上昇が少なくなり、電子吸収コレクタ２６が高温になることが避けられる。電子吸収コレクタ２６が高温になると、絶縁破壊や材料の劣化などをもたらすが、同図に示す飛翔電子の減速電界により温度上昇が少なく抑えられるなどの長所が発揮される。発電出力を増加する場合には、サプレッサ電極を用いることにより、電子吸収コレクタ２６の耐久性を確保ことができるので、発電の連続運転を行うことが可能となる。第六電源３６の負電圧端子をＮ型半導体１１に接続する。第六電源３６の正電圧端子をキャリア加速装置の第六電極６６に接続する。キャリア加速装置の第六電極６６とＮ型半導体１１の間に電界が発生し、キャリアである電子はＮ型半導体１１からＰ型半導体１０にインジェクションされる。キャリア加速装置の第六電極６６はインジェクション電極として作用する。絶縁物８とＰ型半導体１０の下表面の間をキャリアである電子が移動する事により、キャリアは運動エネルギーを獲得する。第七電源３７の正電圧端子をキャリア加速装置の第七電極６７に接続する。第七電源３７の負電圧端子をキャリア加速装置の第六電極６６に接続する。キャリア加速装置の第七電極６７とキャリア加速装置の第六電極６６の間に電界が発生し、キャリアである電子はＰ型半導体１０の斜断面を移動し、加速チャネル９に到達する。キャリア加速装置の第七電極６７はスライディング電極として作用する。第八電源３８の正電圧端子をキャリア加速装置の第八電極６８に接続する。第八電源３８の負電圧端子をキャリア加速装置の第七電極６７に接続する。キャリア加速装置の第八電極６８とＮ型半導体１１の間に電界が発生し、キャリアである電子は絶縁物８とＰ型半導体１０との間にある加速チャネル９内を電子が移動する事により、電子は運動エネルギーを獲得する。第九電源３９の正電圧端子をキャリア加速装置の第九電極６９に接続する。第九電源３９の負電圧端子をキャリア加速装置の第八電極６８に接続する。キャリア加速装置の第九電極６９とＮ型半導体１１の間に電界が発生し、キャリアである電子は絶縁物８とＰ型半導体１０との間にある加速チャネル９内を電子が移動する事により、電子は運動エネルギーを獲得する。キャリア加速装置の第八電極６８およびキャリア加速装置の第九電極６９は加速電極として作用する。第十電源４０の正電圧端子をキャリア加速装置の第十電極７０に接続する。第十電源４０の負電圧端子をキャリア加速装置の第九電極６９に接続する。キャリア加速装置の第十電極７０とＮ型半導体１１の間に電界が発生し、キャリアである電子は絶縁物８とＰ型半導体１０との間にある加速チャネル９内を電子が移動する事により、電子は運動エネルギーを獲得する。同図において、キャリア加速装置３の作用によりキャリアが充分に運動エネルギーを獲得し、Ｐ型半導体１０の断面にある端点に到達すると、電子は真空中にエミッション（放出）される。放出された電子は、キャリア加速装置３の正電極に蓄積された正電荷によりクーロン力に基づく力により引き寄せられることにより加速される。加速された電子は電子吸収コレクタ２６に到達し、電子吸収コレクタ２６に吸収される。同図において、上部のキャリア加速装置の正電極に蓄えられた正電荷と下部のキャリア加速装置の正電極に蓄えられた正電荷との電極の間にも電界が発生する。発生する電界は飛翔する電子が電子吸収コレクタ２６に到達しやすい方向に作用する。なお、同図においてＰ型半導体１０の断面が斜めになっていると、エッジに角度が発生し、曲率半径の小さい領域から電子が放出されるので、電子放出の効率が向上する。
【００９１】
さらに、同図において、電子吸収コレクタ２６の断面も斜め構造になっている。飛翔電子が電子吸収コレクタ２６に直角でない角度で衝突するので、電子が反射されて奧の狭い領域まで到達し、電子吸収コレクタ２６に電子が吸収される効率が向上する。電子吸収コレクタ２６はエネルギー蓄積器１５の負電圧端子と電気的に接続され、Ｎ型半導体１１はエネルギー蓄積器１５の正電圧端子と電気的に接続される。電子吸収コレクタ２６に吸収された電子はエネルギー蓄積器１５の負電極に到達する。Ｐ型半導体１０からＮ型半導体１１にインジェクションされた正孔はエネルギー蓄積器１５の正電極に到達する。その結果として、エネルギー蓄積器１５には正電荷と負電荷が蓄積される。従って、エネルギー蓄積器１５の両端子に電気的負荷を接続すると、エネルギー蓄積器１５に蓄積された正孔と電子が電気的負荷を経由して再結合する。その際に電気的負荷に電気エネルギーを供給することができる。
【００９２】
本発明の第２の実施形態に係る電界効果発電装置において、２段カスケード・フィードバック方式を適用する実施例の断面を図５０に示す。電界効果発電装置は円筒形であり、同図の左上部を取り出して、図５１にその概観の一部を示す。図５０に示すように電界効果発電装置の全体は真空容器３００の中に格納される。同図において、第一電源３１の負電圧端子は第一段目のキャリア出力物質１３１に電気的に接続され、第一電源３１の正電圧端子はキャリア加速装置の第一電極６１に電気的に接続される。キャリア入出力物質１からチャネル形成物質２にキャリアである電子をインジェクションするために第一電源３１を用いる。第二電源３２の負電圧端子はキャリア加速装置の第一電極６１に電気的に接続され、第二電源３２の正電圧端子はキャリア加速装置の第二電極６２に電気的に接続される。第三電源３３の負電圧端子はキャリア加速装置の第二電極６２に電気的に接続され、第三電源３３の正電圧端子はキャリア加速装置の第三電極６３に電気的に接続される。第四電源３４の負電圧端子は第二段目のキャリア出力物質１３２に電気的に接続され、第四電源３４の正電圧端子はキャリア加速装置の第四電極６４に電気的に接続される。第五電源３５の負電圧端子はキャリア加速装置の第四電極６４に電気的に接続され、第五電源３５の正電圧端子はキャリア加速装置の第五電極６５に電気的に接続される。第六電源３６の負電圧端子はキャリア加速装置の第五電極６５に電気的に接続され、第六電源３６の正電圧端子はキャリア加速装置の第六電極６６に電気的に接続される。
【００９３】
帰路の第一電源２３１の負電圧端子は第一段目のキャリア出力物質１３１に電気的に接続され、帰路の第一電源３１の正電圧端子は帰路のキャリア加速装置の第一電極２６１に電気的に接続される。帰路の第二電源３２の負電圧端子は帰路のキャリア加速装置の第一電極２６１に電気的に接続され、帰路の第二電源３２の正電圧端子は帰路のキャリア加速装置の第二電極２６２に電気的に接続される。帰路の第三電源３３の負電圧端子は帰路のキャリア加速装置の第二電極２６２に電気的に接続され、帰路の第三電源３３の正電圧端子は帰路のキャリア加速装置の第三電極２６３に電気的に接続される。帰路の第四電源３４の負電圧端子は第二段目のキャリア出力物質１３２に電気的に接続され、帰路の第四電源３４の正電圧端子は帰路のキャリア加速装置の第四電極２６４に電気的に接続される。帰路の第五電源３５の負電圧端子は帰路のキャリア加速装置の第四電極２６４に電気的に接続され、帰路の第五電源３５の正電圧端子は帰路のキャリア加速装置の第五電極２６５に電気的に接続される。帰路の第六電源３６の負電圧端子は帰路のキャリア加速装置の第五電極２６５に電気的に接続され、帰路の第六電源３６の正電圧端子は帰路のキャリア加速装置の第六電極２６６に電気的に接続される。第一段目のキャリア出力物質１３１の周辺の構造は、図５２に示す構造と同様であり、第一段目のキャリア出力物質１３１にはチャネル形成物質２が電気的に結合している。正電圧が加えられるキャリア加速装置の第一電極６１と負電圧が加えられる第一段目のキャリア出力物質１３１の間には電界が発生し、その電界によって第一段目のキャリア出力物質１３１からキャリアである電子がチャネル形成物質２にインジェクションされる。キャリア加速装置の第一電極６１はインジェクション電極として作用する。チャネル形成物質２にインジェクションされた電子は非可逆過程発生部４を経由して、加速チャネル９にエミッションされる。キャリア加速装置の第一電極６１はエミッション電極としても作用する。エミッションされた電子は加速チャネル９内でキャリア加速装置の第一電極６１、キャリア加速装置の第二電極６２およびキャリア加速装置の第三電極６３によって加速される。キャリア加速装置の第二電極６２およびキャリア加速装置の第三電極６３は加速電極として作用する。加速された電子は第一段目の電子吸収コレクタ１２７に衝突し、これに吸収される。第一段目の電子吸収コレクタ１２７に吸収された電子は第一段目のエネルギー蓄積器１１１に移動する。第一段目のキャリア出力物質１３１から電子が放出されたので、第一段目のキャリア出力物質１３１には正孔が残存する。残存する正孔は第一段目のエネルギー蓄積器１１１に移動する。第一段目のエネルギー蓄積器１１１において、正孔と電子がダイポールを形成する事により蓄積される。第一段目のキャリア出力物質１３１から放出された電子が保有する運動エネルギーは第一段目の電子吸収コレクタ１２７に衝突することにより熱エネルギーに変換される。従って、第一段目の電子吸収コレクタ１２７の温度が上昇し、発生する熱は絶縁物８に伝導し、絶縁物８の温度が上昇する。絶縁物８の熱は第二段目のキャリア出力物質１３２に伝導され、第二段目のキャリア出力物質１３２の温度が上昇する。高温になった第二段目のキャリア出力物質１３２の内の電子の運動エネルギーが大きくなる。第二段目のキャリア出力物質１３２の周辺の構造は、図５３に示す構造と同様であり、第二段目のキャリア出力物質１３２にはチャネル形成物質２が電気的に結合している。正電圧が加えられるキャリア加速装置の第四電極６４と負電圧が加えられる第二段目のキャリア出力物質１３２の間には電界が発生し、その電界によって第二段目のキャリア出力物質１３２からキャリアである電子がチャネル形成物質２にインジェクションされる。キャリア加速装置の第四電極６４はインジェクション電極として作用する。高温と電界の作用により、チャネル形成物質２にインジェクションされた電子は非可逆過程発生部４を経由して加速チャネル９にエミッションされる。キャリア加速装置の第四電極６４はエミッション電極としても作用する。エミッションされた電子は加速チャネル９内でキャリア加速装置の第四電極６４、キャリア加速装置の第五電極６５およびキャリア加速装置の第六電極６６によって加速される。キャリア加速装置の第五電極６５およびキャリア加速装置の第六電極６６は加速チャネルとして作用する。加速された電子は第二段目の電子吸収コレクタ１２８に衝突し、これに吸収される。
【００９４】
第二段目の電子吸収コレクタ１２８に吸収された電子は第二段目のエネルギー蓄積器１１２に移動する。第二段目のキャリア出力物質１３２から電子が放出されたので、第二段目のキャリア出力物質１３２には正孔が残存する。残存する正孔は第二段目のエネルギー蓄積器１１２に移動する。第二段目のエネルギー蓄積器１１２において、正孔と電子がダイポールを形成する事により蓄積される。第二段目のキャリア出力物質１３２から出力された電子が保有する運動エネルギーは第二段目の電子吸収コレクタ１２８に衝突することにより熱エネルギーに変換される。従って、第二段目の電子吸収コレクタ１２８の温度が上昇し、発生する熱はモード１の熱伝導器１２０に伝導し、モード１の熱伝導器１２０の温度が上昇する。モード１の熱伝導器１２０の熱は熱エネルギー供給器２２６に伝導され、熱エネルギー供給器２２６の温度が上昇する。高温になった熱エネルギー供給器２２６の熱は絶縁物８に伝達され、絶縁物８の温度が上昇する。絶縁物８の熱は帰路の第一段目のキャリア出力物質３３１に伝達され、帰路の第一段目のキャリア出力物質３３１の温度が上昇する。その結果として、帰路の第一段目のキャリア出力物質３３１の内の電子の運動エネルギーが大きくなる。帰路の第一段目のキャリア出力物質３３１の周辺の構造を図５４に示す。帰路の第一段目のキャリア出力物質３３１にはチャネル形成物質２が電気的に結合している。正電圧が加えられる帰路のキャリア加速装置の第一電極２６１と負電圧が加えられる帰路の第一段目のキャリア出力物質３３１の間には電界が発生し、その電界によって帰路の第一段目のキャリア出力物質３３１からキャリアである電子がチャネル形成物質２にインジェクションされる。帰路のキャリア加速装置の第一電極２６１はインジェクション電極として作用する。チャネル形成物質２にインジェクションされた電子は非可逆過程発生部４を経由して、加速チャネル９にエミッションされる。帰路のキャリア加速装置の第一電極２６１はエミッション電極としても作用する。エミッションされた電子は加速チャネル９内で帰路のキャリア加速装置の第一電極２６１、帰路のキャリア加速装置の第二電極２６２および帰路のキャリア加速装置の第三電極２６３によって加速される。帰路のキャリア加速装置の第二電極２６２および帰路のキャリア加速装置の第三電極２６３は加速電極として作用する。加速された電子は第一段目の電子吸収コレクタ２２７に衝突し、これに吸収される。第一段目の電子吸収コレクタ２２７に吸収された電子は帰路の第一段目のエネルギー蓄積器２１１に移動する。帰路の第一段目のキャリア出力物質３３１から電子が放出されたので、帰路の第一段目のキャリア出力物質３３１には正孔が残存する。残存する正孔は帰路の第一段目のエネルギー蓄積器２１１に移動する。帰路の第一段目のエネルギー蓄積器２１１において、正孔と電子がダイポールを形成する事により蓄積される。
【００９５】
帰路の第一段目のキャリア出力物質３３１から放出された電子が保有する運動エネルギーは第一段目の電子吸収コレクタ２２７に衝突することにより熱エネルギーに変換される。従って、第一段目の電子吸収コレクタ２２７の温度が上昇し、発生する熱は絶縁物８に伝導し、絶縁物８の温度が上昇する。絶縁物８の熱は帰路の第二段目のキャリア出力物質３３２に伝導され、帰路の第二段目のキャリア出力物質３３２の温度が上昇する。高温になった帰路の第二段目のキャリア出力物質３３２の内の電子の運動エネルギーが大きくなる。帰路の第二段目のキャリア出力物質３３２の周辺の構造を図５５に示す。帰路の第二段目のキャリア出力物質３３２にはチャネル形成物質２が電気的に結合している。正電圧が加えられる帰路のキャリア加速装置の第四電極２６４と負電圧が加えられる帰路の第二段目のキャリア出力物質３３２の間には電界が発生し、その電界によって帰路の第二段目のキャリア出力物質３３２からキャリアである電子がチャネル形成物質２にインジェクションされる。帰路のキャリア加速装置の第四電極２６４はインジェクション電極として作用する。高温と電界の作用により、チャネル形成物質２にインジェクションされた電子は非可逆過程発生部４を経由して加速チャネル９にエミッションされる。帰路のキャリア加速装置の第四電極２６４はエミッション電極としても作用する。エミッションされた電子は加速チャネル９内で帰路のキャリア加速装置の第四電極２６４、帰路のキャリア加速装置の第五電極２６５および帰路のキャリア加速装置の第六電極２６６によって加速される。帰路のキャリア加速装置の第五電極２６５および帰路のキャリア加速装置の第六電極２６６は加速電極として作用する。加速された電子は第二段目の電子吸収コレクタ２２８に衝突し、これに吸収される。第二段目の電子吸収コレクタ２２８に吸収された電子は帰路の第二段目のエネルギー蓄積器２１２に移動する。帰路の第二段目のキャリア出力物質３３２から電子が放出されたので、帰路の第二段目のキャリア出力物質３３２には正孔が残存する。残存する正孔は帰路の第二段目のエネルギー蓄積器２１２に移動する。帰路の第二段目のエネルギー蓄積器２１２において、正孔と電子がダイポールを形成する事により蓄積される。
【００９６】
帰路の第二段目のキャリア出力物質３３２から出力された電子が保有する運動エネルギーは第二段目の電子吸収コレクタ２２８に衝突することにより熱エネルギーに変換される。従って、第二段目の電子吸収コレクタ２２８の温度が上昇し、発生する熱はモード２の熱伝導器１２１に伝導し、モード２の熱伝導器１２１の温度が上昇する。モード２の熱伝導器１２１の熱は熱エネルギー供給器１２６に伝導され、熱エネルギー供給器１２６の温度が上昇する。高温になった熱エネルギー供給器１２６の熱は絶縁物８に伝達され、絶縁物８の温度が上昇する。絶縁物８の熱は第一段目のキャリア出力物質１３１に伝達され、第一段目のキャリア出力物質１３１の温度が上昇する。電界効果発電装置の運転を開始する初期状態においては、第一段目のキャリア出力物質１３１の温度が低いので、電子の放出量は少ない。しかし、放出された電子が衝突することにより第二段目のキャリア出力物質１３２の温度が上昇し、それから放出される電子の量が増加する。放出された電子は第二段目の電子吸収コレクタ１２８に衝突し、その温度が上昇する。発生する熱はモード１の熱伝導器１２０を経由して伝導され、帰路の第一段目のキャリア出力物質３３１の温度が上昇し、そこから放出される電子量が増加し、放出された電子が第一段目電子吸収コレクタに衝突することにより、帰路の第二段目のキャリア出力物質３３２の温度が上昇し、そこから放出される電子の量が増加する。放出される電子が第二の電子吸収コレクタ２２８に衝突し、その温度が上昇する。第二の電子吸収コレクタ２２８の熱はモード２の熱伝導器１２１を経由して熱エネルギー供給器１２６に伝導され、その温度が上昇し、電子の放出量が増加する。以上のサイクルを繰り返すことにより、時間が経過すると、電子を放出する部材の温度が上昇し、放出される電子の数が増加するので、発電量が増加し、発電効率も向上する。第一段目のエネルギー蓄積器１１１に並列に電気的負荷５を接続すると、電気的負荷５に電流が流れることにより蓄積された電気エネルギーが消費される。第二段目のエネルギー蓄積器１１２に並列に電気的負荷５を接続すると、電気的負荷５に電流が流れることにより蓄積された電気エネルギーが消費される。帰路の第一段目のエネルギー蓄積器２１１に並列に電気的負荷５を接続すると、電気的負荷５に電流が流れることにより蓄積された電気エネルギーが消費される。帰路の第二段目のエネルギー蓄積器２１２に並列に電気的負荷５を接続すると、電気的負荷５に電流が流れることにより蓄積された電気エネルギーが消費される。第一段目のエネルギー蓄積器１１１、第二段目のエネルギー蓄積器１１２、帰路の第一段目のエネルギー蓄積器２１１および帰路の第二段目のエネルギー蓄積器２１２を直列接続し、その両端に並列に電気的負荷５を接続すると、電気エネルギーが消費される。多段のエネルギー蓄積器を直列に接続すると、端子電圧が高くなり、消費される電気エネルギーは個別に放出するよりも多くなり、さらに発電効率が向上する。
【００９７】
図５６には、電界効果発電装置の熱伝導器を用いる２段カスケード・フィードバック方式の実施例の側面・断面図で示す。図５０に用いられ第二段目の電子吸収コレクタ１２８の役割は、図５６においては、モード１の熱伝導器１２０が兼用する。さらに、図５０に用いる熱エネルギー供給器２２６の役割は、図５６においてはモード１の熱伝導器１２０が兼用する。図５０に用いる第二段目の電子吸収コレクタ２２８の役割は、図５６においてはモード２の熱伝導器１２１が兼用する。図５０に用いる熱エネルギー供給器１２６の役割は、図５６においてはモード２の熱伝導器１２１が兼用する。図５６におけるモード１の熱伝導器１２０およびはモード２の熱伝導器１２１として熱伝導率の良好な物質が好ましい。モード１の熱伝導器１２０の材料の１例としてグラフェンがある。モード２の熱伝導器１２１の材料の１例としてもグラフェンがある。グラフェンは炭素の６員環が概平面で層状に配置されている。層内における熱伝導率は高く、層と層の間を伝導する熱は少ない。従って、真空中にエミッションされた電子をグラフェンの表面の層に衝突させて吸収すると、表面の層の温度が高くなる。熱が表面の層を良好に伝導するので、次のモードで高温のエミッタから電子をエミッションする効率が向上する。グラフェンの表面の層に蓄積された熱は内部の層に伝導する効率が低いので、熱エネルギーの損失が少なく、熱エネルギーが保存されるので、次のモードにおける電子のエミッションの効率が向上する。従って、電子吸収コレクタ２６およびモード１の熱伝導器１２０とモード２の熱伝導器１２１を構成する具体的な材料として、グラフェンを用いると、電界効果発電装置の発電効率を向上する事が可能になる。
【００９８】
本発明の第３実施形態に係る電界効果発電装置において、３段カスケード方式を採用する場合の断面を図５７に示す。同図において、第一電源３１の負電圧端子は第一段目のキャリア出力物質１３１に電気的に接続され、第一電源３１の正電圧端子はキャリア加速装置の第一電極６１に電気的に接続される。キャリア入出力物質１からチャネル形成物質２にキャリアである電子をインジェクションするために第一電源３１を用いる。第二電源３２の負電圧端子はキャリア加速装置の第一電極６１に電気的に接続され、第二電源３２の正電圧端子はキャリア加速装置の第二電極６２に電気的に接続される。第三電源３３の負電圧端子はキャリア加速装置の第二電極６２に電気的に接続され、第三電源３３の正電圧端子はキャリア加速装置の第三電極６３に電気的に接続される。第四電源３４の負電圧端子は第二段目のキャリア出力物質１３２に電気的に接続され、第四電源３４の正電圧端子はキャリア加速装置の第四電極６４に電気的に接続される。第五電源３５の負電圧端子はキャリア加速装置の第四電極６４に電気的に接続され、第五電源３５の正電圧端子はキャリア加速装置の第五電極６５に電気的に接続される。第六電源３６の負電圧端子はキャリア加速装置の第五電極６５に電気的に接続され、第六電源３６の正電圧端子はキャリア加速装置の第六電極６６に電気的に接続される。第七電源３７の負電圧端子は第三段目のキャリア出力物質１３３に電気的に接続され、第七電源３７の正電圧端子はキャリア加速装置の第七電極６７に電気的に接続される。第八電源３８の負電圧端子はキャリア加速装置の第七電極６７に電気的に接続され、第八電源３８の正電圧端子はキャリア加速装置の第八電極６８に電気的に接続される。第九電源３９の負電圧端子はキャリア加速装置の第八電極６８に電気的に接続され、第九電源３９の正電圧端子はキャリア加速装置の第九電極６９に電気的に接続される。
【００９９】
第一段目のキャリア出力物質１３１の周辺の構造は、図５２に示す構造と同様であり、第一段目のキャリア出力物質１３１にはチャネル形成物質２が電気的に結合している。正電圧が加えられるキャリア加速装置の第一電極６１と負電圧が加えられる第一段目のキャリア出力物質１３１の間には電界が発生し、その電界によって第一段目のキャリア出力物質１３１からキャリアである電子がチャネル形成物質２にインジェクションされる。キャリア加速装置の第一電極６１はインジェクション電極として作用する。チャネル形成物質２にインジェクションされた電子は非可逆過程発生部４を経由して、加速チャネル９にエミッションされる。キャリア加速装置の第一電極６１はエミッション電極としても作用する。エミッションされた電子は加速チャネル９内でキャリア加速装置の第一電極６１、キャリア加速装置の第二電極６２およびキャリア加速装置の第三電極６３によって加速される。キャリア加速装置の第二電極６２およびキャリア加速装置の第三電極６３は加速電極として作用する。加速された電子は第一段目の電子吸収コレクタ１２７に衝突し、これに吸収される。第一段目の電子吸収コレクタ１２７に吸収された電子は第一段目のエネルギー蓄積器１１１に移動する。第一段目のキャリア出力物質１３１から電子が放出されたので、第一段目のキャリア出力物質１３１には正孔が残存する。残存する正孔は第一段目のエネルギー蓄積器１１１に移動する。第一段目のエネルギー蓄積器１１１において、正孔と電子がダイポールを形成する事により蓄積される。
【０１００】
第一段目のキャリア出力物質１３１から放出された電子が保有する運動エネルギーは第一段目の電子吸収コレクタ１２７に衝突することにより熱エネルギーに変換される。従って、第一段目の電子吸収コレクタ１２７の温度が上昇し、発生する熱は絶縁物８に伝導し、絶縁物８の温度が上昇する。絶縁物８の熱は第二段目のキャリア出力物質１３２に伝導され、第二段目のキャリア出力物質１３２の温度が上昇する。高温になった第二段目のキャリア出力物質１３２の内の電子の運動エネルギーが大きくなる。第二段目のキャリア出力物質１３２の周辺の構造は、図５３に示す構造と同様であり、第二段目のキャリア出力物質１３２にはチャネル形成物質２が電気的に結合している。正電圧が加えられるキャリア加速装置の第四電極６４と負電圧が加えられる第二段目のキャリア出力物質１３２の間には電界が発生し、その電界によって第二段目のキャリア出力物質１３２からキャリアである電子がチャネル形成物質２にインジェクションされる。キャリア加速装置の第四電極６４はインジェクション電極として作用する。高温と電界の作用により、チャネル形成物質２にインジェクションされた電子は非可逆過程発生部４を経由して加速チャネル９にエミッションされる。キャリア加速装置の第四電極６４はエミッション電極としても作用する。エミッションされた電子は加速チャネル９内でキャリア加速装置の第四電極６４、キャリア加速装置の第五電極６５およびキャリア加速装置の第六電極６６によって加速される。キャリア加速装置の第五電極６５およびキャリア加速装置の第六電極６６は加速電極として作用する。加速された電子は第二段目の電子吸収コレクタ１２８に衝突し、これに吸収される。第二段目の電子吸収コレクタ１２８に吸収された電子は第二段目のエネルギー蓄積器１１２に移動する。第二段目のキャリア出力物質１３２から電子が放出されたので、第二段目のキャリア出力物質１３２には正孔が残存する。残存する正孔は第二段目のエネルギー蓄積器１１２に移動する。第二段目のエネルギー蓄積器１１２において、正孔と電子がダイポールを形成する事により蓄積される。第二段目のキャリア出力物質１３２から出力された電子が保有する運動エネルギーは第二段目の電子吸収コレクタ１２８に衝突することにより熱エネルギーに変換される。従って、第二段目の電子吸収コレクタ１２８の温度が上昇し、発生する熱は絶縁物８に伝導し、絶縁物８の温度が上昇する。絶縁物８の熱は第三段目のキャリア出力物質１３３に伝導され、第三段目のキャリア出力物質１３３の温度が上昇する。高温になった第三段目のキャリア出力物質１３３の内の電子の運動エネルギーが大きくなる。第三段目のキャリア出力物質１３３の周辺の構造は、図５８に示す構造と同様であり、第三段目のキャリア出力物質１３３にはチャネル形成物質２が電気的に結合している。正電圧が加えられるキャリア加速装置の第七電極６７と負電圧が加えられる第三段目のキャリア出力物質１３３の間には電界が発生し、その電界によって高温の第三段目のキャリア出力物質１３３からキャリアである電子がチャネル形成物質２にインジェクションされる。キャリア加速装置の第七電極６７はインジェクション電極として作用する。高温と電界の作用により、チャネル形成物質２にインジェクションされた電子は非可逆過程発生部４を経由して、加速チャネル９にエミッションされる。キャリア加速装置の第七電極６７はエミッション電極としても作用する。エミッションされた電子は加速チャネル９内でキャリア加速装置の第七電極６７、キャリア加速装置の第八電極６８およびキャリア加速装置の第九電極６９によって加速される。キャリア加速装置の第八電極６８およびキャリア加速装置の第九電極６９は加速電極として作用する。加速された電子は第三段目の電子吸収コレクタ１２９に衝突し、これに吸収される。第三段目の電子吸収コレクタ１２９に吸収された電子は第三段目のエネルギー蓄積器１１３に移動する。第三段目のキャリア出力物質１３３から電子が放出されたので、第三段目のキャリア出力物質１３３には正孔が残存する。残存する正孔は第三段目のエネルギー蓄積器１１３に移動する。第三段目のエネルギー蓄積器１１３において、正孔と電子がダイポールを形成する事により蓄積される。第一段目のエネルギー蓄積器１１１に並列に電気的負荷５を接続すると、電気的負荷５に電流が流れることにより蓄積された電気エネルギーが消費される。第二段目のエネルギー蓄積器１１２に並列に電気的負荷５を接続すると、電気的負荷５に電流が流れることにより蓄積された電気エネルギーが消費される。第三段目のエネルギー蓄積器１１３に並列に電気的負荷５を接続すると、電気的負荷５に電流が流れることにより蓄積された電気エネルギーが消費される。
【０１０１】
第一段目のエネルギー蓄積器１１１、第二段目のエネルギー蓄積器１１２および第三段目のエネルギー蓄積器１１３を直列接続し、その両端に並列に電気的負荷５を接続すると、電気エネルギーが消費される。多段のエネルギー蓄積器を直列接続をすると、端子電圧が高くなり、消費される電気エネルギーは個別に放出するよりも多くなり、発電効率が向上する。
【０１０２】
図５７において、熱エネルギー供給器１２６に熱エネルギーを供給すると、熱伝導により第一段目のキャリア出力物質１３１の温度が上昇するので、第一段目のキャリア出力物質１３１から放出される電子の数が多くなり、後続の段において発電される電気量が増加する。従って、ヒータ加熱により熱エネルギー供給器１２６に熱エネルギーを供給する場合において、ヒータ加熱のために消費される電気エネルギーよりも発電される電気エネルギーが多くなるので、総合的には発電効率が向上する。なお、熱エネルギー供給器１２６にはエネルギーであれば、いかなる種類のエネルギーを供給しても発電効率を向上することが可能である。従って、熱エネルギー供給器１２６に供給するエネルギーを本発明においては限定しないが、供給するエネルギーの例として、電磁波エネルギーおよび熱エネルギーを含む。熱エネルギーとして、地熱や太陽熱および化石燃料を燃焼する際に発生する熱などが含まれる。
【０１０３】
図５９には、本発明の第４の実施形態に係る電界効果発電装置の実施例の断面を示す。同図の表示において、第一電源３１などが上下に２個の記載が行われているが、実際には１個である。すなわち、この発電装置は円筒形であるので、横軸に対称であり、表示として上下に同じものを記載する。同図において、第一電源３１の正電圧端子はキャリア加速装置の第一電極６１に電気的に接続される。第一電源３１の負電圧端子はキャリア出力物質１に電気的に接続される。キャリア出力物質１からチャネル形成物質２にキャリアである電子をインジェクションするために第一電源３１を用いる。第二電源３２の負電圧端子はキャリア加速装置の第一電極６１に電気的に接続され、第二電源３２の正電圧端子はキャリア加速装置の第二電極６２に電気的に接続される。第三電源３３の負電圧端子はキャリア加速装置の第二電極６２に電気的に接続され、第三電源３３の正電圧端子はキャリア加速装置の第三電極６３に電気的に接続される。第四電源３４の負電圧端子はキャリア加速装置の第三電極６３に電気的に接続され、第四電源３４の正電圧端子はキャリア加速装置の第四電極６４に電気的に接続される。
【０１０４】
キャリア出力物質１の周辺を拡大して、図６０に示す。正電圧が加えられるキャリア加速装置の第一電極６１と負電圧が加えられるキャリア出力物質１の間には電界が発生し、その電界の作用によってキャリア出力物質１からキャリアである電子がチャネル形成物質２にインジェクションされる。キャリア加速装置の第一電極６１はインジェクション電極として作用する。インジェクションの際には、キャリア出力物質１とチャネル形成物質２との間にあるポテンシャル障壁は、キャリア加速装置の第一電極６１とキャリア出力物質１の間に発生する電界によって量子力学的なトンネル効果に基づいて電子が貫通・通過する。キャリア加速装置の第一電極６１はトンネル電極としても作用する。インジェクションされた電子は加速チャネル９内を移動する。チャネル形成物質２の先端の曲率半径は充分に小さいとする。チャネル形成物質２の例としてカーボン・ナノチューブおよびカーボン・ウォールなどがある。キャリア出力物質１とチャネル形成物質２は電気的に接続される。しかし、チャネル形成物質２がカーボン系の物質である場合には、キャリア出力物質１とチャネル形成物質２を電気的に接続するには、特殊な接着方法を適用する必要がある。熱発電装置においては、キャリア出力物質１が加熱され、高温になるので、キャリア出力物質１とチャネル形成物質２を高温状態で電気的に接続することは非常に困難であった。しかし、本発明の発電装置においては、キャリア出力物質１を加熱する必要がないので、キャリア出力物質１とチャネル形成物質２を電気的に接続すると、その接続を破壊することが殆ど起こらないので、本発明の発電装置は先行技術である熱発電装置よりも耐久性において優れている。
【０１０５】
チャネル形成物質２にインジェクションされた電子は、キャリア加速装置の電極から発生する電界によって加速チャネル９において加速され、電子の運動エネルギーが大きくなる。キャリア加速装置の第二電極６２、キャリア加速装置の第三電極６３およびキャリア加速装置の第四電極６４は加速電極として作用する。大きな運動エネルギーを保有する電子が非可逆過程発生部４に到達し、チャネル形成物質２からエミッションされる。キャリア加速装置の第一電極６１はエミッション電極としても作用する。エミッションを行う際には、チャネル形成物質２と真空との間にある仕事関数に相当するポテンシャル障壁は、発生する電界によりトンネル効果に基づいて貫通・突破し、電子が真空中にエミッションされる。
【０１０６】
図５９には、キャリア加速装置の各電極から発生する電気力線を矢印のある曲線で示す。発電装置が円筒形であるので、キャリアである電子は軸対称の力を受け、軸の方向に進行し、電子吸収コレクタ２６に衝突し、それに吸収される。電子吸収コレクタ２６に吸収された電子はエネルギー蓄積器１５に移動する。一方、キャリアである電子を出力したキャリア出力物質１には正電荷を保有する正孔が残存する。正孔はエネルギー蓄積器１５に移動し、そこで電子と正孔がダイポールを形成する。電子吸収コレクタ２６に到達する電子はエネルギー蓄積器１５に移動し、電子吸収コレクタ２６には電子が殆ど残存しないので、後続して電子吸収コレクタ２６に接近する電子の進路を妨害することは殆ど無い。すなわち、エネルギー蓄積器１５において、電子と正孔がダイポールを形成するので、電子が保有する負電荷が後続の電子の移動方向に影響を及ぼすことは殆どない。正孔もキャリア出力物質１からエネルギー蓄積器１５に移動し、そこで電子と正孔がダイポールを形成するので、正孔が保有する正電荷がキャリア出力物質１からキャリア入力物質に移動する電子の動きを妨害することも殆どなくなり、良好な発電が行われる事が本発明の発電装置の特徴である。先行する発電装置においては、電子と正孔が元の物質に残存し、後続のキャリアの動きを妨害するので、高効率の発電を実現することが困難であった。
【０１０７】
電子がエミッタとコレクタから交互にエミッションされることにより電気エネルギーが創出される場合には、これを交互発電方式と呼ぶ。図６１には、本発明の第５の実施形態に係る電界効果発電装置において、交互発電方式を採用する場合にモード０の状態における断面図を示す。初期状態であるモード０においては、電極の温度が低いので、電子が充分な運動エネルギーを保有していない。Ａ側とＢ側の電極に交流電源２８を接続し、放電現象により電極を加熱する場合をモード０と呼ぶ。本発明の第４の実施形態に係る電界効果発電装置において、交互発電方式を採用する場合にモード１の状態における断面を図６２示す。同図に示すように、電子がＡ側のキャリア出力物質１からチャネル形成物質２にインジェクションされ、さらにチャネル形成物質２から電子がエミッションされる場合には、この状態を交互発電のモード１と呼ぶ。図６３には、本発明の第５の実施形態に係る電界効果発電装置において、交互発電方式を採用する場合にモード２の状態における断面図を示す。電子がＢ側のキャリア出力物質１からチャネル形成物質２にインジェクションされ、さらにチャネル形成物質２から電子がエミッションされる場合には、この状態を交互発電のモード２と呼ぶ。
【０１０８】
（モード０）
初期状態においては、キャリア出力物質１およびチャネル形成物質２を加熱するために、キャリア出力物質１およびチャネル形成物質２に熱エネルギーを与える。熱エネルギーとして、ヒータを用いて加熱する場合、太陽熱を加える場合、他の熱源からの熱エネルギーを加える場合などがある。簡略的な加熱の例として、キャリア加速装置の第二電極６２およびキャリア加速装置の第三電極６３を高インピーダンス状態に設定し、端子Ａと端子Ｂに交流の高電圧を加えると、Ａ側とＢ側の電極間で放電が開始され、両方の電極の温度が上昇する。図６１において、キャリア加速装置の第一電極６１とキャリア加速装置の第四電極６４に交流電源２８を接続する。キャリア加速装置の第二電極６２およびキャリア加速装置の第三電極６３には何も接続しないので、これらの電極は高インピーダンス状態にある。
【０１０９】
交流電源２８からキャリア加速装置の第一電極６１に正電圧が加えられる期間においては、キャリア加速装置の第四電極６４に負電圧が加えられる。この期間において、交流電源２８の電圧が充分に高い場合には、キャリア加速装置の第四電極６４から電子がエミッションされ、エミッションされた電子はキャリア加速装置の第一電極６１に衝突する。電極に加えられる電圧が充分に高いので、エミッションされた電子が大きい運動エネルギーを保有した状態でキャリア加速装置の第一電極６１に衝突するので、キャリア加速装置の第一電極６１の温度が上昇する。キャリア加速装置の第一電極６１の熱エネルギーはキャリア出力物質１およびチャネル形成物質２に放熱効果により伝達され、キャリア出力物質１およびチャネル形成物質２の中の電子が高い運動エネルギー状態になる。
【０１１０】
交流電源２８からキャリア加速装置の第一電極６１に負電圧が加えられる期間においては、キャリア加速装置の第四電極６４に正電圧が加えられる。この期間において、交流電源２８の電圧が充分に高い場合には、キャリア加速装置の第一電極６１から電子がエミッションされ、エミッションされた電子はキャリア加速装置の第四電極６４に衝突する。電極に加えられる電圧が充分に高いので、エミッションされた電子が大きい運動エネルギーを保有した状態でキャリア加速装置の第四電極６４に衝突するので、キャリア加速装置の第四電極６４の温度が上昇する。キャリア加速装置の第四電極６４の熱エネルギーはキャリア出力物質１およびチャネル形成物質２に放熱効果により伝達され、キャリア出力物質１およびチャネル形成物質２の中の電子が高い運動エネルギー状態になる。
【０１１１】
交流電源は上記の過程を繰り返すので、キャリア加速装置の第一電極６１およびキャリア加速装置の第四電極６４の温度が共に上昇し、高温になる。キャリア加速装置の第一電極６１に蓄えられた熱エネルギーは、間接ヒーティング効果により、図６１においてＡ側にあるキャリア出力物質１およびチャネル形成物質２の温度を上昇する。従って、キャリア出力物質１の中の温度が上昇し、その内部にある電子が大きい運動エネルギーを保有するので、インジェクションが容易になる。チャネル形成物質２の中の温度もが上昇し、その内部にある電子が大きい運動エネルギーを保有するので、エミッションが容易になる。キャリア加速装置の第四電極６４に蓄えられた熱エネルギーは、間接ヒーティング効果により、図６１において、Ｂ側にあるキャリア出力物質１およびチャネル形成物質２の温度が上昇する。従って、キャリア出力物質１の中の温度が上昇し、その内部にある電子が大きい運動エネルギーを保有するので、インジェクションが容易になる。チャネル形成物質２の中の温度が上昇し、その内部にある電子が大きい運動エネルギーを保有するので、多くの電子のエミッションが容易になる。
【０１１２】
（モード１）
本発明の第５の実施形態に係る電界効果発電装置において、交互発電方式を採用する場合にモード１の状態における外観図を図６４に示す。図６２においてキャリア出力物質１とチャネル形成物質２を拡大して図６０に示す。図６２に示すように、第一電源３１の負電圧端子はＡ側のキャリア出力物質１に電気的に接続され、第一電源３１の正電圧端子はキャリア加速装置の第一電極６１に電気的に接続される。キャリア出力物質１からチャネル形成物質２にキャリアである電子をインジェクションするために第一電源３１を用いる。第二電源３２の負電圧端子はキャリア加速装置の第一電極６１に電気的に接続され、第二電源３２の正電圧端子はキャリア加速装置の第二電極６２に電気的に接続される。第三電源３３の負電圧端子はキャリア加速装置の第二電極６２に電気的に接続され、第三電源３３の正電圧端子はキャリア加速装置の第三電極６３に電気的に接続される。
【０１１３】
図６０に示すように、キャリア出力物質１の先端部にチャネル形成物質２が電気的に結合される。キャリア出力物質１とキャリア加速装置の第一電極６１の間には電界が発生し、キャリア出力物質１の中の電子がチャネル形成物質２にインジェクションされる。キャリア加速装置の第一電極６１はインジェクション電極として作用する。チャネル形成物質２の先端部は極めて細いので、先端部に電界が集中する。図６０に示すように、電界によってチャネル形成物質２から電子が非可逆過程発生部４を経由して、加速チャネル９にエミッションされる。キャリア加速装置の第一電極６１はエミッション電極として作用する。初期の状態においては、キャリア出力物質１およびチャネル形成物質２の温度は低いのでエミッションされる電子の数は少ないが、臨界状態になれば、キャリア出力物質１およびチャネル形成物質２の中の電子が高い運動エネルギーを保有し、インジェクションされる電子の数が増加し、さらに、エミッションされる電子の数も増加する。
【０１１４】
加速チャネル９にエミッションされた電子は、キャリア加速装置の第一電極６１に蓄積される正電荷とキャリア加速装置の第二電極６２に蓄積される正電荷とキャリア加速装置の第三電極６３に蓄積される正電荷との間に働くクーロン力により加速され、最終的にはキャリア加速装置の第四電極６４に到達する。キャリア加速装置の第二電極６２、キャリア加速装置の第三電極６３およびキャリア加速装置の第四電極６４は加速電極として作用する。モード１においてはキャリア加速装置の第四電極６４が電子を吸収するコレクタ４の役割になる。キャリア加速装置の第四電極６４に蓄積される電荷はスッイチ３５１を経由して第一段目のエネルギー蓄積器１１１に移動する。電子をインジェクションしたＡ側のキャリア出力物質１には正孔が残存し、正孔は第一段目のエネルギー蓄積器１１１に移動し、そこで正孔と電子がダイポールを形成することにより蓄積される。第一段目のエネルギー蓄積器１１１に並列に電気的負荷５を接続すると、発生した電気エネルギーが消費される。モード１の動作において、Ａ側のチャネル形成物質２からエミッションされた電子は加速されて、キャリア加速装置の第四電極６４に衝突するので、電子の運動エネルギーがキャリア加速装置の第四電極６４に吸収される事により、キャリア加速装置の第四電極６４の温度が上昇する。
【０１１５】
（モード２）
図６３においてキャリア出力物質１とチャネル形成物質２を拡大して図６０に示す。図６２に示すように、第五電源３５の負電圧端子はＢ側のキャリア出力物質１に電気的に接続され、第五電源３５の正電圧端子はキャリア加速装置の第四電極６４に電気的に接続される。キャリア出力物質１からチャネル形成物質２にキャリアである電子をインジェクションするために第五電源３５を用いる。第六電源３６の負電圧端子はキャリア加速装置の第四電極６４に電気的に接続され、第六電源３６の正電圧端子はキャリア加速装置の第三電極６３に電気的に接続される。第七電源３７の負電圧端子はキャリア加速装置の第三電極６３に電気的に接続され、第七電源３７の正電圧端子はキャリア加速装置の第二電極６２に電気的に接続される。
【０１１６】
図６０に示すように、キャリア出力物質１の先端部にチャネル形成物質２が電気的に結合される。モード１の動作により、キャリア加速装置の第四電極６４の温度が上昇し、Ｂ側が高温になる。キャリア加速装置の第四電極６４はＢ側のキャリア出力物質１およびチャネル形成物質２に近接して配置されているので、間接加熱効果により、Ｂ側のキャリア出力物質１およびチャネル形成物質２の温度はモード１の動作により高温になり、それらの内部の電子が高い運動エネルギーを獲得する。
【０１１７】
キャリア出力物質１とキャリア加速装置の第四電極６４の間には電界が発生し、キャリア出力物質１の中の電子の運動エネルギーが大きくなっているので、電子がキャリア出力物質１からチャネル形成物質２に容易にインジェクションされる。この場合には、キャリア加速装置の第四電極６４がインジェクション電極として作用する。チャネル形成物質２は細い構造であるので、その先端部に電界が集中する。図６０に示すように、Ｂ側のチャネル形成物質２の温度はモード１の動作により高温となっているので、発生する電界によってチャネル形成物質２から電子が非可逆過程発生部４を経由して、加速チャネル９にエミッションされる。キャリア加速装置の第四電極６４がエミッション電極として作用する。初期の状態においては、キャリア出力物質１およびチャネル形成物質２の温度は低いのでエミッションされる電子の数は少ない。
【０１１８】
加速チャネル９にエミッションされた電子は、キャリア加速装置の第四電極６４に蓄積される正電荷とキャリア加速装置の第三電極６３に蓄積される正電荷およびキャリア加速装置の第二電極６２に蓄積される正電荷との間に働くクーロン力により加速され、キャリア加速装置の第一電極６１に到達する。キャリア加速装置の第四電極６４、キャリア加速装置の第三電極６３およびキャリア加速装置の第二電極６２は加速電極として作用する。モード２においてはキャリア加速装置の第一電極６１が電子を吸収するコレクタ４の役割になる。キャリア加速装置の第一電極６１に蓄積される電子はスッイチ３５０を経由して第二段目のエネルギー蓄積器１１２に移動する。電子をインジェクションしたＢ側のキャリア出力物質１には正孔が残存し、正孔は第二段目のエネルギー蓄積器１１２に移動し、そこで正孔と電子がダイポールを形成することにより蓄積される。第二段目のエネルギー蓄積器１１２に並列に電気的負荷５を接続すると、発生した電気エネルギーが消費される。
【０１１９】
モード２の動作において、Ｂ側のチャネル形成物質２からエミッションされた電子は加速されてキャリア加速装置の第一電極６１に衝突するので、電子の運動エネルギーがキャリア加速装置の第一電極６１に吸収される事により、キャリア加速装置の第一電極６１の温度が上昇する。キャリア加速装置の第一電極６１はキャリア出力物質１およびチャネル形成物質２に近接して配置されているので、間接加熱効果により、キャリア出力物質１およびチャネル形成物質２の温度はモード２の動作により高温になり、それらの内部の電子が高い運動エネルギーを獲得する。
【０１２０】
モード１とモード２を繰り返すことにより、Ａ側とＢ側のキャリア出力物質１およびチャネル形成物質２の温度が上昇し、それらの内部に存在する電子が多くの運動エネルギーを保有することにより、インジェクションされる電子およびエミッションされる電子の数が増加する。順次に上述のモード１およびモード２を繰り返すことにより、Ａ側とＢ側のキャリア出力物質１およびチャネル形成物質２が高温になり、極性が変化する電気エネルギーが効率良く得られ、電気的な負荷に発生した電圧を加えることにより、大きい電流が流れる。従って、上記の発電により電気的負荷５に電気エネルギーを効率良く供給することが可能となる。
【０１２１】
上記の交互発電においては、キャリア出力物質１とチャネル形成物質２の中の電子に高い運動エネルギーを与えるために熱エネルギーを供給する。その他の発電効率を向上する手法として、キャリア入力物質に波長の短い電磁波を照射することにより発電の臨界状態に到達させることも可能である。上記のモード１において、キャリア加速装置の第四電極６４に電子が衝突するが、衝突する場所を変化する方が材料の損傷が少ないので、電子の飛翔軌道を時間的に変化する。そのためには、キャリア加速装置の電極６０に加える電圧が変化し、偏向作用により電子の衝突ポイントが順次に変化することが耐久性の観点から好ましい。
【０１２２】
上記のモード２において、キャリア加速装置の第一電極６１に電子が衝突するが、衝突する場所を変化する方が材料の損傷が少ないので、電子の飛翔軌道を時間的に変化する。そのためには、キャリア加速装置の電極６０に加える電圧が変化し、偏向作用により衝突ポイントが順次に変化することが耐久性の観点から好ましい。
【０１２３】
本発明の第６の実施形態に係る電界効果発電装置において、キャリア出力物質としてＮ型半導体を用い、チャネル形成物質としてＰ型半導体を用いる場合の断面を図６５に示す。同図において、Ｐ型半導体１０とＮ型半導体１１はＰＮ接合を形成する。ＰＮ接合の周辺には絶縁物８を配置する。キャリアを加速するために、第一電源３１、第二電源３２、第三電源３３、第四電源３４、第五電源３５、第六電源３６、第七電源３７、第八電源３８、第九電源３９、および第十電源４０を用いる。Ｎ型半導体１１からＰ型半導体１０にキャリアである電子をインジェクションするために第一電源３１を用いる。Ｎ型半導体１１には第一電源３１の負電圧端子が電気的に接続される。キャリア加速装置の第一電極６１には第一電源３１の正電圧端子が電気的に接続される。キャリア加速装置の第一電極６１とＮ型半導体１１の間には電界が発生し、電気力線がキャリア加速装置の第一電極６１からＮ型半導体１１に向かう。この電界の効果によってＮ型半導体１１の多数キャリアである電子がＮ型半導体１１からＰ型半導体１０にインジェクション(injection)される。キャリア加速装置の第一電極６１はインジェクション電極として作用する。Ｐ型半導体１０にインジェクションされた電子はキャリア加速装置の第一電極６１に引き寄せられて、キャリア加速装置の第一電極６１の直下に到達し、Ｐ型半導体１０の上表面に反転層(inversion layer)を形成する。反転層が加速チャネル９になる。第二電源３２の負電圧端子はキャリア加速装置の第一電極６１に電気的に接続される。第二電源３２の正電圧端子はキャリア加速装置の第二電極６２に電気的に接続される。キャリア加速装置の第二電極６２とキャリア加速装置の第一電極６１の間に発生する電界はＰ型半導体１０にインジェクション(injection)された電子を加速チャネル９において加速する。第三電源３３の負電圧端子はキャリア加速装置の第二電極６２に電気的に接続される。第三電源３３の正電圧端子はキャリア加速装置の第三電極６３に電気的に接続される。キャリア加速装置の第三電極６３とキャリア加速装置の第二電極６２の間に発生する電界はＰ型半導体１０の上表面にある加速チャネル９において電子を加速する。キャリア加速装置の第二電極６２およびキャリア加速装置の第三電極６３はスライディング電極として作用する。第四電源３４の負電圧端子はキャリア加速装置の第三電極６３に電気的に接続される。第四電源３４の正電圧端子はキャリア加速装置の第四電極６４に電気的に接続される。キャリア加速装置の第四電極６４とキャリア加速装置の第三電極６３の間に発生する電界はＰ型半導体１０の上表面において電子を加速チャネル９において加速する。Ｐ型半導体１０の上表面において加速された電子は充分な運動エネルギーを保有し、Ｐ型半導体の上表面の端点に到達し、空間に電子がエミッションされる。キャリア加速装置の第四電極６４はエミッション電極として作用する。第五電源３５の負電圧端子はキャリア加速装置の第四電極６４に電気的に接続される。第五電源３５の正電圧端子はキャリア加速装置の第五電極６５に電気的に接続される。キャリア加速装置の第五電極６５とキャリア加速装置の第四電極６４の間に発生する電界はエミッションされた電子を加速チャネル９において加速する。キャリア加速装置の第五電極６５は加速電極として作用する。加速された電子は充分に運動エネルギーを保有し、電子吸収コレクタ２６に蓄積された負電荷からの反発力に打ち勝ち、最終的には電子吸収コレクタ２６に吸収される。
【０１２４】
Ｎ型半導体１１には第六電源３６の負電圧端子が電気的に接続される。キャリア加速装置の第六電極６６には第六電源３６の正電圧端子が電気的に接続される。キャリア加速装置の第六電極６６とＮ型半導体１１の間には電界が発生し、電気力線がキャリア加速装置の第六電極６６からＮ型半導体１１に向かう。この電界によってＮ型半導体１１の多数キャリアである電子がＮ型半導体１１からＰ型半導体１０の下表面にインジェクション(injection)される。キャリア加速装置の第六電極６６はインジェクション電極として作用する。Ｐ型半導体１０の下表面にインジェクションされた電子はキャリア加速装置の第六電極６６に引き寄せられて、キャリア加速装置の第六電極６６の直下に到達し、Ｐ型半導体１０の下表面に反転層(inversion layer)を形成する。反転層が加速チャネル９となる。第七電源３７の負電圧端子はキャリア加速装置の第六電極６６に電気的に接続される。第七電源３７の正電圧端子はキャリア加速装置の第七電極６７に電気的に接続される。キャリア加速装置の第七電極６７とキャリア加速装置の第六電極６６の間に発生する電界はＰ型半導体１０の下表面にインジェクション(injection)された電子を加速する。第八電源３８の負電圧端子はキャリア加速装置の第七電極６７に電気的に接続される。第八電源３８の正電圧端子はキャリア加速装置の第八電極６８に電気的に接続される。キャリア加速装置の第八電極６８とキャリア加速装置の第七電極６７の間に発生する電界はＰ型半導体１０の下表面にある加速チャネル９において電子を加速する。キャリア加速装置の第七電極６７およびキャリア加速装置の第八電極６８はスライディング電極として作用する。第九電源３９の負電圧端子はキャリア加速装置の第八電極６８に電気的に接続される。第九電源３９の正電圧端子はキャリア加速装置の第九電極６９に電気的に接続される。キャリア加速装置の第九電極６９とキャリア加速装置の第八電極６８の間に発生する電界はＰ型半導体１０の下表面にある加速チャネル９において電子を加速する。Ｐ型半導体１０の下表面において加速された電子は充分な運動エネルギーを保有し、Ｐ型半導体の下表面の端点に到達し、空間に電子がエミッションされる。キャリア加速装置の第九電極６９はエミッション電極として作用する。第十電源４０の負電圧端子はキャリア加速装置の第九電極６９に電気的に接続される。第十電源４０の正電圧端子はキャリア加速装置の第十電極７０に電気的に接続される。キャリア加速装置の第十電極７０とキャリア加速装置の第九電極６９の間に発生する電界はエミッションされた電子を加速する。キャリア加速装置の第十電極７０は加速電極として作用する。加速された電子は充分に運動エネルギーを保有し、電子吸収コレクタ２６に蓄積された負電荷からの反発力に打ち勝ち、最終的には電子吸収コレクタ２６に吸収される。
【０１２５】
Ｐ型半導体１０の上表面と下表面において加速された電子は充分な運動エネルギーを保有し、Ｐ型半導体の上表面と下表面の端点に到達し、両者の端点において互いに反発することにより電子が空間に良好にエミッションされる。Ｎ型半導体１１はエネルギー蓄積器１５の正電圧端子に電気的に接続され、電子吸収コレクタ２６はエネルギー蓄積器１５の負電圧端子に電気的に接続される。Ｐ型半導体１０からＮ型半導体１１にインジェクション蓄積された正孔はエネルギー蓄積器１５の正電圧端子に移動し、電子吸収コレクタ２６に蓄積された電子はエネルギー蓄積器１５の負電圧端子に移動する。エネルギー蓄積器１５の正電極に蓄積された正孔とエネルギー蓄積器１５の負電極に蓄積された電子は接近した位置にあり、クーロンの法則に基づいて互いに引き合う。エネルギー蓄積器１５の正電極に電気的負荷５の一方の端子を接続し、エネルギー蓄積器１５の負電極に電気的負荷５の他方の端子を接続する。エネルギー蓄積器１５に蓄えられた正孔と電子は共に電気的負荷５において再結合を行うことにより、電気的負荷５に電気エネルギーを供給する。
【０１２６】
本発明の第７の実施形態に係る電界効果発電装置において、キャリア出力物質としてＮ型半導体を用い、チャネル形成物質としてＰ型半導体を用いる場合の断面を図６６に示す。同図において、Ｐ型半導体１０とＮ型半導体１１はＰＮ接合を形成する。ＰＮ接合の周辺には絶縁物８を配置する。キャリアを加速するために、第一電源３１、第二電源３２、第三電源３３、第四電源３４、第五電源３５、第六電源３６、第七電源３７、第八電源３８、第九電源３９、および第十電源４０を用いる。Ｎ型半導体１１からＰ型半導体１０にキャリアである電子をインジェクションするために第一電源３１を用いる。Ｎ型半導体１１には第一電源３１の負電圧端子が電気的に接続される。キャリア加速装置の第一電極６１には第一電源３１の正電圧端子が電気的に接続される。キャリア加速装置の第一電極６１とＮ型半導体１１の間には電界が発生し、電気力線がキャリア加速装置の第一電極６１からＮ型半導体１１に向かう。この電界によってＮ型半導体１１の多数キャリアである電子がＮ型半導体１１からＰ型半導体１０にインジェクション(injection)される。キャリア加速装置の第一電極６１はインジェクション電極として作用する。Ｐ型半導体１０にインジェクションされた電子はキャリア加速装置の第一電極６１に引き寄せられて、キャリア加速装置の第一電極６１の直下に到達し、Ｐ型半導体１０の上表面に反転層(inversion layer)を形成する。反転層は加速チャネル９となり、そこをキャリアが移動する。第二電源３２の負電圧端子はキャリア加速装置の第一電極６１に電気的に接続される。第二電源３２の正電圧端子はキャリア加速装置の第二電極６２に電気的に接続される。キャリア加速装置の第二電極６２とキャリア加速装置の第一電極６１の間に発生する電界はＰ型半導体１０にインジェクション(injection)された電子を加速する。第三電源３３の負電圧端子はキャリア加速装置の第二電極６２に電気的に接続される。第三電源３３の正電圧端子はキャリア加速装置の第三電極６３に電気的に接続される。キャリア加速装置の第三電極６３とキャリア加速装置の第二電極６２の間に発生する電界はＰ型半導体１０の上表面において電子を加速し、電子は加速チャネル９内を移動する。第四電源３４の負電圧端子はキャリア加速装置の第三電極６３に電気的に接続される。第四電源３４の正電圧端子はキャリア加速装置の第四電極６４に電気的に接続される。キャリア加速装置の第四電極６４とキャリア加速装置の第三電極６３の間に発生する電界はＰ型半導体１０の上表面にある加速チャネル９において電子を加速する。キャリア加速装置の第二電極６２およびキャリア加速装置の第三電極６３はスライディング電極として作用する。Ｐ型半導体１０の上表面にある加速チャネル９において加速された電子は充分な運動エネルギーを保有し、Ｐ型半導体の上表面の端点に到達し、空間に電子がエミッションされる。キャリア加速装置の第四電極６４はエミッション電極として作用する。エミッションを行う際にＰ型半導体の端表面は傾斜しており、上表面の端点における曲率半径は小さいので、電子のエミッションが良好に行われる。
【０１２７】
第五電源３５の負電圧端子はキャリア加速装置の第四電極６４に電気的に接続される。第五電源３５の正電圧端子はキャリア加速装置の第五電極６５に電気的に接続される。キャリア加速装置の第五電極６５とキャリア加速装置の第四電極６４の間に発生する電界は加速チャネル９においてエミッションされた電子を加速する。キャリア加速装置の第五電極６５は加速電極として作用する。加速された電子は充分に運動エネルギーを保有し、電子吸収コレクタ２６に蓄積された負電荷からの反発力に打ち勝ち、最終的には電子吸収コレクタ２６に吸収される。
【０１２８】
Ｎ型半導体１１には第六電源３６の負電圧端子が電気的に接続される。キャリア加速装置の第六電極６６には第六電源３６の正電圧端子が電気的に接続される。キャリア加速装置の第六電極６６とＮ型半導体１１の間には電界が発生し、電気力線がキャリア加速装置の第六電極６６からＮ型半導体１１に向かう。この電界によってＮ型半導体１１の多数キャリアである電子がＮ型半導体１１からＰ型半導体１０の下表面にインジェクション(injection)される。キャリア加速装置の第六電極６６はインジェクション電極として作用する。Ｐ型半導体１０の下表面にインジェクションされた電子はキャリア加速装置の第六電極６６に引き寄せられて、キャリア加速装置の第六電極６６の直下に到達し、Ｐ型半導体１０の下表面に反転層(inversion layer)を形成する。反転層は加速チャネル９となり、そこを電子が移動する。第七電源３７の負電圧端子はキャリア加速装置の第６電極６６に電気的に接続される。第七電源３７の正電圧端子はキャリア加速装置の第七電極６７に電気的に接続される。キャリア加速装置の第七電極６７とキャリア加速装置の第六電極６６の間に発生する電界はＰ型半導体１０の下表面にインジェクション(injection)された電子を加速チャネル９において加速する。第八電源３８の負電圧端子はキャリア加速装置の第七電極６７に電気的に接続される。第八電源３８の正電圧端子はキャリア加速装置の第八電極６８に電気的に接続される。キャリア加速装置の第八電極６８とキャリア加速装置の第七電極６７の間に発生する電界はＰ型半導体１０の下表面において電子を加速する。キャリア加速装置の第七電極６７およびキャリア加速装置の第八電極６８はスライディング電極として作用する。第九電源３９の負電圧端子はキャリア加速装置の第八電極６８に電気的に接続される。第九電源３９の正電圧端子はキャリア加速装置の第九電極６９に電気的に接続される。キャリア加速装置の第九電極６９とキャリア加速装置の第八電極６８の間に発生する電界はＰ型半導体１０の下表面において電子を加速する。Ｐ型半導体１０の下表面における加速チャネル９において加速された電子は充分な運動エネルギーを保有し、Ｐ型半導体の下表面の端点に到達し、空間に電子がエミッションされる。キャリア加速装置の第九電極６９はエミッション電極として作用する。エミッションを行う際にＰ型半導体の端表面は傾斜しており、下表面の端点における曲率半径は小さいので、電子のエミッションが良好に行われる。
【０１２９】
第十電源４０の負電圧端子はキャリア加速装置の第九電極６９に電気的に接続される。第十電源４０の正電圧端子はキャリア加速装置の第十電極７０に電気的に接続される。キャリア加速装置の第十電極７０とキャリア加速装置の第九電極６９の間に発生する電界はエミッションされた電子を加速チャネル９において加速する。キャリア加速装置の第十電極７０は加速電極として作用する。加速された電子は充分に運動エネルギーを保有し、電子吸収コレクタ２６に蓄積された負電荷からの反発力に打ち勝ち、最終的には電子吸収コレクタ２６に吸収される。
【０１３０】
Ｎ型半導体１１はエネルギー蓄積器１５の正電圧端子に電気的に接続され、電子吸収コレクタ２６はエネルギー蓄積器１５の負電圧端子に電気的に接続される。Ｐ型半導体１０からＮ型半導体１１にインジェクション蓄積された正孔はエネルギー蓄積器１５の正電圧端子に移動し、電子吸収コレクタ２６に蓄積された電子はエネルギー蓄積器１５の負電圧端子に移動する。エネルギー蓄積器１５の正電圧端子に蓄積された正孔とエネルギー蓄積器１５の負電圧端子に蓄積された電子は接近した位置にあり、クーロンの法則に基づいて互いに引き合う。エネルギー蓄積器１５の正電圧端子に電気的負荷５の一方の端子を接続し、エネルギー蓄積器１５の負電圧端子に電気的負荷５の他方の端子を接続する。エネルギー蓄積器１５に蓄えられた正孔と電子は共に電気的負荷５において再結合を行うことにより、電気的負荷５に電気エネルギーを供給する。
【０１３１】
本発明の第８の実施形態に係る電界効果発電装置において、キャリア出力物質としてＮ型半導体を用い、チャネル形成物質としてＰ型半導体を用いる場合の断面を図６７に示す。同図において、Ｐ型半導体１０とＮ型半導体１１はＰＮ接合を形成する。ＰＮ接合の周辺には絶縁物８を配置する。キャリアを加速するために、第一電源３１、第二電源３２、第三電源３３、第四電源３４、第五電源３５、第六電源３６、第七電源３７、第八電源３８、第九電源３９、および第十電源４０を用いる。Ｎ型半導体１１からＰ型半導体１０にキャリアである電子をインジェクションするために、第一電源３１および第六電源３６を用いる。Ｎ型半導体１１には第一電源３１の負電圧端子が電気的に接続される。キャリア加速装置の第一電極６１には第一電源３１の正電圧端子が電気的に接続される。キャリア加速装置の第一電極６１とＮ型半導体１１の間には電界が発生し、電気力線がキャリア加速装置の第一電極６１からＮ型半導体１１に向かう。この電界によってＮ型半導体１１の多数キャリアである電子がＮ型半導体１１からＰ型半導体１０にインジェクション(injection)される。キャリア加速装置の第一電極６１はインジェクション電極として作用する。Ｐ型半導体１０にインジェクションされた電子はキャリア加速装置の第一電極６１に引き寄せられて、キャリア加速装置の第一電極６１の直下に到達し、Ｐ型半導体１０の上表面に反転層(inversion layer)を形成する。反転層が加速チャネル９となる。第二電源３２の負電圧端子はキャリア加速装置の第一電極６１に電気的に接続される。第二電源３２の正電圧端子はキャリア加速装置の第二電極６２に電気的に接続される。キャリア加速装置の第二電極６２とキャリア加速装置の第一電極６１の間に発生する電界はＰ型半導体１０にインジェクション(injection)された電子を加速チャネル９において加速する。第三電源３３の負電圧端子はキャリア加速装置の第二電極６２に電気的に接続される。第三電源３３の正電圧端子はキャリア加速装置の第三電極６３に電気的に接続される。キャリア加速装置の第三電極６３とキャリア加速装置の第二電極６２の間に発生する電界はＰ型半導体１０の上表面にある加速チャネル９において電子を加速する。キャリア加速装置の第二電極６２およびキャリア加速装置の第三電極６３はスライディング電極として作用する。第四電源３４の負電圧端子はキャリア加速装置の第三電極６３に電気的に接続される。第四電源３４の正電圧端子はキャリア加速装置の第四電極６４に電気的に接続される。キャリア加速装置の第四電極６４とキャリア加速装置の第三電極６３の間に発生する電界はＰ型半導体１０の上表面において電子を加速する。Ｐ型半導体１０の上表面において加速された電子は充分な運動エネルギーを保有し、Ｐ型半導体の端点に到達し、空間に電子がエミッションされる。キャリア加速装置の第四電極６４はエミッション電極として作用する。第五電源３５の負電圧端子はキャリア加速装置の第四電極６４に電気的に接続される。第五電源３５の正電圧端子はキャリア加速装置の第五電極６５に電気的に接続される。キャリア加速装置の第五電極６５とキャリア加速装置の第四電極６４の間に発生する電界はエミッションされた電子を加速チャネル９において加速する。キャリア加速装置の第五電極６５は加速電極として作用する。加速された電子は充分に運動エネルギーを保有し、電子吸収コレクタ２６に蓄積された負電荷からの反発力に打ち勝ち、最終的には電子吸収コレクタ２６に吸収される。
【０１３２】
Ｎ型半導体１１には第六電源３６の負電圧端子が電気的に接続される。キャリア加速装置の第六電極６６には第六電源３６の正電圧端子が電気的に接続される。キャリア加速装置の第六電極６６とＮ型半導体１１の間には電界が発生し、電気力線がキャリア加速装置の第六電極６６からＮ型半導体１１に向かう。この電界によってＮ型半導体１１の多数キャリアである電子がＮ型半導体１１からＰ型半導体１０の下表面にインジェクション(injection)される。キャリア加速装置の第六電極６６はインジェクション電極として作用する。Ｐ型半導体１０の下表面にインジェクションされた電子はキャリア加速装置の第六電極６６に引き寄せられて、キャリア加速装置の第六電極６６の直下に到達し、Ｐ型半導体１０の下表面に反転層(inversion layer)を形成する。この反転層が加速チャネル９となる。第七電源３７の負電圧端子はキャリア加速装置の第六電極６６に電気的に接続される。第七電源３７の正電圧端子はキャリア加速装置の第七電極６７に電気的に接続される。キャリア加速装置の第七電極６７とキャリア加速装置の第六電極６６の間に発生する電界はＰ型半導体１０の下表面にインジェクション(injection)された電子を加速チャネル９において加速する。第八電源３８の負電圧端子はキャリア加速装置の第七電極６７に電気的に接続される。第八電源３８の正電圧端子はキャリア加速装置の第八電極６８に電気的に接続される。キャリア加速装置の第八電極６８とキャリア加速装置の第七電極６７の間に発生する電界はＰ型半導体１０の下表面にある加速チャネル９において電子を加速する。キャリア加速装置の第七電極６７およびキャリア加速装置の第八電極６８は加速電極として作用する。第九電源３９の負電圧端子はキャリア加速装置の第八電極６８に電気的に接続される。第九電源３９の正電圧端子はキャリア加速装置の第九電極６９に電気的に接続される。キャリア加速装置の第九電極６９とキャリア加速装置の第八電極６８の間に発生する電界はＰ型半導体１０の下表面において電子を加速する。Ｐ型半導体１０の下表面にある加速チャネル９において加速された電子は充分な運動エネルギーを保有し、Ｐ型半導体の端点に到達し、空間に電子がエミッションされる。キャリア加速装置の第九電極６９はエミッション電極として作用する。第十電源４０の負電圧端子はキャリア加速装置の第九電極６９に電気的に接続される。第十電源４０の正電圧端子はキャリア加速装置の第十電極７０に電気的に接続される。キャリア加速装置の第十電極７０とキャリア加速装置の第九電極６９の間に発生する電界はエミッションされた電子を加速チャネル９において加速する。キャリア加速装置の第十電極７０は加速電極として作用する。加速された電子は充分に運動エネルギーを保有し、電子吸収コレクタ２６に蓄積された負電荷からの反発力に打ち勝ち、最終的には電子吸収コレクタ２６に吸収される。
【０１３３】
Ｎ型半導体１１はエネルギー蓄積器１５の正電圧端子に電気的に接続され、電子吸収コレクタ２６はエネルギー蓄積器１５の負電圧端子に電気的に接続される。Ｐ型半導体１０からＮ型半導体１１にインジェクション蓄積された正孔はエネルギー蓄積器１５の正電圧端子に移動し、電子吸収コレクタ２６に蓄積された電子はエネルギー蓄積器１５の負電圧端子に移動する。エネルギー蓄積器１５の正電極に蓄積された正孔とエネルギー蓄積器１５の負電極子に蓄積された電子は接近した位置にあり、クーロンの法則に基づいて互いに引き合う。エネルギー蓄積器１５の正電圧端子に電気的負荷５の一方の端子を接続し、エネルギー蓄積器１５の負電圧端子に電気的負荷５の他方の端子を接続する。エネルギー蓄積器１５に蓄えられた正孔と電子は共に電気的負荷５において再結合を行うことにより、電気的負荷５に電気エネルギーを供給する。
【０１３４】
本発明の第９の実施形態に係る電界効果発電装置において、キャリア出力物質１としてＮ型半導体１１を用い、チャネル形成物質２としてＰ型半導体１０を用い、電極を絶縁する場合の断面を図６８に示す。Ｐ型半導体１０とＮ型半導体１１を用いてＰＮ接合を形成する。ＰＮ接合の周辺には絶縁物８が配置される。キャリアを加速するために６個の電源３０を用いる。６個の電源３０として、第一電源３１、第二電源３２、第三電源３３、第四電源３４、第五電源３５および第六電源３６を用いる。Ｎ型半導体１１からＰ型半導体１０にキャリアである電子をインジェクションするために第一電源３１を用いる。絶縁物８の中に３個のキャリア加速装置の正電極４１および３個のキャリア加速装置の負電極４２を配置する。キャリア加速装置の第一電極６１には第一電源３１の負電圧端子が電気的に接続される。キャリア加速装置の第二電極６２には第一電源３１の正電圧端子が電気的に接続される。キャリア加速装置の第二電極６２とキャリア加速装置の第一電極６１の間には電界が発生し、電気力線がキャリア加速装置の第二電極６２からキャリア加速装置の第一電極６１に向かう。この電界によって、Ｎ型半導体１１の多数キャリアである電子がＮ型半導体１１からＰ型半導体１０にインジェクション(injection)される。キャリア加速装置の第二電極６２はインジェクション電極として作用する。Ｐ型半導体１０にインジェクションされた電子はキャリア加速装置の第二電極６２に引き寄せられて、キャリア加速装置の第二電極６２の直下に到達し、Ｐ型半導体１０の表面に反転層(inversion layer)を形成する。反転層が加速チャネル９を形成する。第三電源３３の負電圧端子はキャリア加速装置の第二電極６２に電気的に接続される。第三電源３３の正電圧端子はキャリア加速装置の第三電極６３に電気的に接続される。キャリア加速装置の第三電極６３とキャリア加速装置の第二電極６２の間に発生する電界は、Ｐ型半導体１０にインジェクション(injection)された電子を加速チャネル９で加速する。キャリア加速装置の第三電極６３はスライディング電極として作用する。第四電源３４の負電圧端子はキャリア加速装置の第三電極６３に電気的に接続される。第四電源３４の正電圧端子はキャリア加速装置の第七電極６７に電気的に接続される。キャリア加速装置の第七電極６７とキャリア加速装置の第三電極６３の間に発生する電界は、Ｐ型半導体１０にインジェクション(injection)された電子を加速チャネル９で加速する。Ｐ型半導体１０の表面において加速された電子は充分な運動エネルギーを保有するので、Ｐ型半導体１０の端に存在する非可逆過程発生部４のポテンシャル障壁を量子力学的なトンネル効果により貫通して通過し、最終的には電子吸収コレクタ２６に吸収される。すなわち、キャリア加速装置の第七電極６７はトンネル電極として作用する。
【０１３５】
キャリア加速装置の第四電極６４には第二電源３２の正電圧端子が電気的に接続される。キャリア出力物質１としてＰ型半導体１０を用い、チャネル形成物質２としてＮ型半導体１１を用いるＰ型半導体１０からＮ型半導体１１にキャリアである正孔をインジェクションするために第二電源３２を用いる。キャリア加速装置の第五電極６５には第二電源３２の負電圧端子が電気的に接続される。キャリア加速装置の第五電極６５とキャリア加速装置の第四電極６４の間には電界が発生し、電気力線がキャリア加速装置の第四電極６４からキャリア加速装置の第五電極６５に向かう。この電界によってＰ型半導体１０の多数キャリアである正孔が、Ｐ型半導体１０からＮ型半導体１１にインジェクション(injection)される。キャリア加速装置の第五電極６５はインジェクション電極として作用する。Ｎ型半導体１１にインジェクション(injection)された正孔はキャリア加速装置の第五電極６５に引き寄せられて、キャリア加速装置の第五電極６５の直下に到達し、Ｎ型半導体１１の表面に反転層(inversion layer)を形成する。反転層が加速チャネル９を形成する。第五電源３５の正電圧端子はキャリア加速装置の第五電極６５に電気的に接続される。第五電源３５の負電圧端子はキャリア加速装置の第六電極６６に電気的に接続される。キャリア加速装置の第六電極６６とキャリア加速装置の第五電極６５の間に発生する電界はＮ型半導体１１にインジェクションされた正孔を加速チャネル９で加速する。第六電源３６の正電圧端子はキャリア加速装置の第五電極６５に電気的に接続される。第六電源３６の負電圧端子はキャリア加速装置の第八電極６８に電気的に接続される。キャリア加速装置の第六電極６６とキャリア加速装置の第八電極６８の間に発生する電界はＮ型半導体１１にインジェクションされた正孔を加速チャネル９で加速する。キャリア加速装置の第六電極６６はスライディング電極として作用する。Ｎ型半導体１１の表面の加速チャネルにおいて加速された正孔は充分な運動エネルギーを保有するので、Ｎ型半導体１１の端に存在する非可逆過程発生部４のポテンシャル障壁を量子力学的トンネル効果により貫通して通過する。キャリア加速装置の第八電極６８はトンネル電極として作用する。キャリアである正孔は最終的には正孔吸収コレクタ２７に吸収される。
【０１３６】
正孔吸収コレクタ２７はエネルギー蓄積器１５の正電圧端子に電気的に接続され、電子吸収コレクタ２６はエネルギー蓄積器１５の負電圧端子に電気的に接続される。正孔吸収コレクタ２７に蓄積された正孔はエネルギー蓄積器１５の正電極に移動し、電子吸収コレクタ２６に蓄積された電子はエネルギー蓄積器１５の負電極に移動する。エネルギー蓄積器１５の正電極に蓄積された正孔とエネルギー蓄積器１５の負電極に蓄積された電子は接近した位置にあり、クーロンの法則に基づいて互いに引き合う。エネルギー蓄積器１５の正電極に電気的負荷５の一方の端子を接続し、エネルギー蓄積器１５の負電極に電気的負荷５の他方の端子を接続する。エネルギー蓄積器１５に蓄えられた正孔と電子は共に電気的負荷５において再結合を行うことにより、電気的負荷５に電気エネルギーを供給する。
【０１３７】
本発明の第９の実施形態に係る電界効果発電装置において、キャリアとして正孔と電子を共に用い、電極を絶縁しない場合の断面を図６９に示す。Ｐ型半導体１０とＮ型半導体１１を用いてＰＮ接合を形成する。ＰＮ接合の周辺には絶縁物８が配置される。キャリアを加速するために、第一電源３１、第二電源３２、第三電源３３、第四電源３４、第五電源３５および第六電源３６を用いる。Ｎ型半導体１１からＰ型半導体１０にキャリアである電子をインジェクションするために第一電源３１を用いる。Ｎ型半導体１１には第一電源３１の負電圧端子が電気的に接続される。キャリア加速装置の第一電極６１には第一電源３１の正電圧端子が電気的に接続される。キャリア加速装置の第一電極６１とＮ型半導体１１の間には電界が発生し、電気力線がキャリア加速装置の第一電極６１からＮ型半導体１１に向かう。この電界によってＮ型半導体１１の多数キャリアである電子がＮ型半導体１１からＰ型半導体１０にインジェクション(injection)される。キャリア加速装置の第一電極６１はインジェクション電極として作用する。Ｐ型半導体１０にインジェクションされた電子は、キャリア加速装置の第一電極６１に引き寄せられて、キャリア加速装置の第一電極６１の直下に到達し、Ｐ型半導体１０の表面に反転層(inversion layer)を形成する。反転層は加速チャネル９になる。第三電源３３の負電圧端子はキャリア加速装置の第一電極６１に電気的に接続される。第三電源３３の正電圧端子はキャリア加速装置の第二電極６２に電気的に接続される。キャリア加速装置の第二電極６２とキャリア加速装置の第一電極６１の間に発生する電界は、Ｐ型半導体１０にインジェクション(injection)された電子を加速チャネル９で加速する。キャリア加速装置の第二電極６２はスライディング電極として作用する。第四電源３４の負電圧端子はキャリア加速装置の第二電極６２に電気的に接続される。第四電源３４の正電圧端子はキャリア加速装置の第五電極６５に電気的に接続される。キャリア加速装置の第五電極６５とキャリア加速装置の第二電極６２の間に発生する電界はＰ型半導体１０にインジェクション(injection)された電子を加速チャネル９で加速する。Ｐ型半導体１０の表面の加速チャネル９において加速された電子は充分な運動エネルギーを保有するので、Ｐ型半導体１０の端に存在する非可逆過程発生部４のポテンシャル障壁を量子力学的なトンネル効果により貫通して通過する。キャリア加速装置の第五電極６５はトンネル電極として作用する。キャリアである電子は最終的には電子吸収コレクタ２６に吸収される。
【０１３８】
Ｐ型半導体１０は第二電源３２の正電圧端子が電気的に接続される。Ｐ型半導体１０からＮ型半導体１１にキャリアである正孔をインジェクションするために第一電源３２を用いる。キャリア加速装置の第三電極６３には第二電源３２の負電圧端子が電気的に接続される。キャリア加速装置の第三電極６３とＰ型半導体１０の間には電界が発生し、電気力線がＰ型半導体１０からキャリア加速装置の第三電極６３に向かう。この電界によってＰ型半導体１０の多数キャリアである正孔がＰ型半導体１０からＮ型半導体１１にインジェクション(injection)される。キャリア加速装置の第三電極６３はインジェクション電極として作用する。Ｎ型半導体１１にインジェクション(injection)された正孔はキャリア加速装置の第三電極６３に引き寄せられて、キャリア加速装置の第三電極６３の直下に到達し、Ｎ型半導体１１の表面に反転層(inversion layer)を形成する。反転層は加速チャネル９になる。第五電源３５の正電圧端子はキャリア加速装置の第三電極６３に電気的に接続される。第五電源３５の負電圧端子はキャリア加速装置の第四電極６４に電気的に接続される。キャリア加速装置の第四電極６４とキャリア加速装置の第三電極６３の間に発生する電界はＮ型半導体１１にインジェクションされた正孔を加速チャネル９で加速する。キャリア加速装置の第四電極６４はスライディング電極として作用する。第六電源３６の正電圧端子はキャリア加速装置の第四電極６４に電気的に接続される。第六電源３６の負電圧端子はキャリア加速装置の第六電極６６に電気的に接続される。キャリア加速装置の第四電極６４とキャリア加速装置の第六電極６６の間に発生する電界はＮ型半導体１１にインジェクションされた正孔を加速チャネル９で加速する。Ｎ型半導体１１の表面の加速チャネル９において加速された正孔は充分な運動エネルギーを保有するので、Ｎ型半導体１１の端に存在する非可逆過程発生部４のポテンシャル障壁を量子力学的なトンネル効果により貫通して通過する。キャリア加速装置の第六電極６６はトンネル電極として作用する。キャリアである正孔は最終的には正孔吸収コレクタ２７に吸収される。
【０１３９】
正孔吸収コレクタ２７はエネルギー蓄積器１５の正電圧端子に電気的に接続され、電子吸収コレクタ２６はエネルギー蓄積器１５の負電圧端子に電気的に接続される。正孔吸収コレクタ２７に蓄積された正孔はエネルギー蓄積器１５の正電極に移動し、電子吸収コレクタ２６に蓄積された電子はエネルギー蓄積器１５の負電極に移動する。エネルギー蓄積器１５の正電極に蓄積された正孔とエネルギー蓄積器１５の負電極に蓄積された電子は接近した位置にあり、クーロンの法則に基づいて互いに引き合う。エネルギー蓄積器１５の正電極に電気的負荷５の一方の端子を接続し、エネルギー蓄積器１５の負電極に電気的負荷５の他方の端子を接続する。エネルギー蓄積器１５に蓄えられた正孔と電子は共に電気的負荷５において再結合を行うことにより、電気的負荷５に電気エネルギーを供給する。
【０１４０】
本発明の第９の実施形態に係る電界効果発電装置において、キャリアとして正孔と電子を共に用い、チャネル形成物質に傾斜がある場合の断面を７０に示す。キャリア出力物質１としてＰ型半導体１０を用い、チャネル形成物質２としてＮ型半導体１１を用いる。Ｐ型半導体１０とＮ型半導体１１を用いてＰＮ接合を形成する。ＰＮ接合の周辺には絶縁物８が配置される。キャリアを加速するために５個の電源３０を用いる。５個の電源３０として、第一電源３１、第二電源３２、第三電源３３、第四電源３４および第五電源３５を用いる。Ｎ型半導体１１からＰ型半導体１０にキャリアである電子をインジェクションするために第一電源３１を用いる。絶縁物８の中に３個のキャリア加速装置の正電極４１および３個のキャリア加速装置の負電極４２を配置する。キャリア加速装置の第一電極６１には第一電源３１の負電圧端子が電気的に接続される。キャリア加速装置の第二電極６２には第一電源３１の正電圧端子が電気的に接続される。キャリア加速装置の第二電極６２とキャリア加速装置の第一電極６１の間には電界が発生し、電気力線がキャリア加速装置の第二電極６２からキャリア加速装置の第一電極６１に向かう。この電界によってＮ型半導体１１の多数キャリアである電子がＮ型半導体１１からＰ型半導体１０にインジェクション(injection)される。キャリア加速装置の第二電極６２はインジェクション電極として作用する。Ｐ型半導体１０にインジェクションされた電子は、キャリア加速装置の第二電極６２に引き寄せられて、キャリア加速装置の第二電極６２の直下に到達し、Ｐ型半導体１０の傾斜表面に反転層(inversion layer)を形成する。反転層は加速チャネル９になる。
【０１４１】
第二電源３２の負電圧端子はキャリア加速装置の第二電極６２に電気的に接続される。第二電源３２の正電圧端子はキャリア加速装置の第三電極６３に電気的に接続される。キャリア加速装置の第三電極６３とキャリア加速装置の第二電極６２の間に発生する電界は、Ｐ型半導体１０にインジェクション(injection)された電子を加速し、Ｐ型半導体の表面を移動する。キャリア加速装置の第三電極６３はスライディング電極として作用する。第三電源３３の負電圧端子はキャリア加速装置の第三電極６３に電気的に接続される。第三電源３３の正電圧端子はキャリア加速装置の第五電極６５に電気的に接続される。キャリア加速装置の第五電極６５とキャリア加速装置の第三電極６３の間に発生する電界は、Ｐ型半導体１０にインジェクション(injection)された電子を加速チャネル９で加速し、Ｐ型半導体の表面の加速チャネル９を移動する。Ｐ型半導体１０の表面の加速チャネル９において加速された電子は、充分な運動エネルギーを保有するので、Ｐ型半導体１０の端に存在する非可逆過程発生部４のポテンシャル障壁を量子力学的なトンネル効果により貫通して通過する。キャリア加速装置の第五電極６５はトンネル電極として作用する。キャリアである電子は最終的には電子吸収コレクタ２６に吸収される。
【０１４２】
キャリア加速装置の第一電極６１には第四電源３４の正電圧端子が電気的に接続される。キャリア加速装置の第四電極６４には第四電源３４の負電圧端子が電気的に接続される。Ｐ型半導体１０からＮ型半導体１１にキャリアである正孔をインジェクションするために第一電源３４を用いる。キャリア加速装置の第一電極６１とキャリア加速装置の第四電極６４の間には電界が発生し、電気力線がキャリア加速装置の第一電極６１からキャリア加速装置の第四電極６４に向かう。この電界によってＰ型半導体１０の多数キャリアである正孔がＰ型半導体１０からＮ型半導体１１にインジェクション(injection)される。キャリア加速装置の第一電極６１はインジェクション電極として作用する。Ｎ型半導体１１にインジェクション(injection)された正孔はキャリア加速装置の第四電極６４に引き寄せられて、キャリア加速装置の第四電極６４の直下に到達し、Ｎ型半導体１１の傾斜表面に反転層(inversion layer)を形成する。反転層は加速チャネル９になる。第五電源３５の正電圧端子はキャリア加速装置の第四電極６４に電気的に接続される。第五電源３５の負電圧端子はキャリア加速装置の第六電極６６に電気的に接続される。キャリア加速装置の第四電極６４とキャリア加速装置の第六電極６６の間に発生する電界は、Ｎ型半導体１１にインジェクションされた正孔を加速チャネル９で加速する。キャリア加速装置の第四電極６４はスライディング電極として作用する。Ｎ型半導体１１の表面の加速チャネル９において加速された正孔は、充分な運動エネルギーを保有するので、Ｎ型半導体１１の端に存在する非可逆過程発生部４のポテンシャル障壁を量子力学的なトンネル効果により貫通して通過する。キャリア加速装置の第六電極６６はトンネル電極として作用する。キャリアである正孔は最終的には正孔吸収コレクタ２７に吸収される。
【０１４３】
正孔吸収コレクタ２７はエネルギー蓄積器１５の正電圧端子に電気的に接続され、電子吸収コレクタ２６はエネルギー蓄積器１５の負電圧端子に電気的に接続される。正孔吸収コレクタ２７に蓄積された正孔はエネルギー蓄積器１５の正電極に移動し、電子吸収コレクタ２６に蓄積された電子はエネルギー蓄積器１５の負電極に移動する。エネルギー蓄積器１５の正電極に蓄積された正孔とエネルギー蓄積器１５の負電極に蓄積された電子は接近した位置にあり、クーロンの法則に基づいて互いに引き合う。エネルギー蓄積器１５の正電極に電気的負荷５の一方の端子を接続し、エネルギー蓄積器１５の負電極に電気的負荷５の他方の端子を接続する。エネルギー蓄積器１５に蓄えられた正孔と電子は共に電気的負荷５において再結合を行うことにより、電気的負荷５に電気エネルギーを供給する。
【０１４４】
本発明の第９の実施形態に係る電界効果発電装置において、キャリアとして正孔と電子を共に用いる場合の実施例の上面を図７１に示す。Ｐ型半導体１０はＮ型半導体１１とＰＮ接合が行われる。Ｐ型半導体１０とＮ型半導体１１はともに直角に曲がっており、占有面積を小さくすることができる。エネルギー蓄積器１５もＰ型半導体１０とＮ型半導体の近接距離に配置することが出来るので、製造が簡略化される。電子吸収コレクタ２６に到達する電子はエネルギー蓄積器１５の負電極に蓄積され、正孔吸収コレクタ２７に到達する正孔はエネルギー蓄積器１５の正電極に蓄積され、互いにクーロン力により引き合うことにより、ダイポールを形成する。従って、多くのキャリアをＰ型半導体１０とＮ型半導体１１からインジェクションを行うことにより、エネルギー蓄積器１５に蓄積する電気量は多くすることができるので、発電効率が向上する。
【０１４５】
本発明の第１０の実施形態に係る電界効果発電装置において、キャリア出力物質としてＮ型半導体を用い、２個の並列チャネル形成物質としてＰ型半導体を用いる場合の上断面を図７２に示す。同図において、Ｐ型半導体１０とＮ型半導体１１によってＰＮ接合が形成される。第一電源３１の負電圧端子はＮ型半導体１１に電気的に接続され、第一電源３１の正電圧端子はキャリア加速装置の第一電極６１に電気的に接続される。Ｎ型半導体１１からＰ型半導体１０にキャリアである電子をインジェクションするために第一電源３１を用いる。第二電源３２の負電圧端子はキャリア加速装置の第一電極６１に電気的に接続され、第二電源３２の正電圧端子はキャリア加速装置の第二電極６２に電気的に接続される。第三電源３３の負電圧端子はキャリア加速装置の第二電極６２に電気的に接続され、第三電源３３の正電圧端子はキャリア加速装置の第三電極６３に電気的に接続される。第四電源３４の負電圧端子はキャリア加速装置の第三電極６３に電気的に接続され、第四電源３４の正電圧端子はキャリア加速装置の第四電極６４に電気的に接続される。第五電源３５の負電圧端子はキャリア加速装置の第四電極６４に電気的に接続され、第五電源３５の正電圧端子はキャリア加速装置の第五電極６５に電気的に接続される。第六電源３６の負電圧端子はキャリア加速装置の第五電極６５に電気的に接続され、第六電源３６の正電圧端子はキャリア加速装置の第六電極６６に電気的に接続される。第七電源３７の負電圧端子はキャリア加速装置の第六電極６６に電気的に接続され、第七電源３７の正電圧端子はキャリア加速装置の第七電極６７に電気的に接続される。第八電源３８の負電圧端子はキャリア加速装置の第七電極６７に電気的に接続され、第八電源３８の正電圧端子はキャリア加速装置の第八電極６８に電気的に接続される。
【０１４６】
正電位が加えられるキャリア加速装置の第一電極６１と負電位が加えられるＮ型半導体１１の間には電界が発生し、その電界によってＮ型半導体１１からキャリアである電子がＰ型半導体１０にインジェクションされる。キャリア加速装置の第一電極６１がインジェクション電極として作用する。Ｐ型半導体１０が絶縁物８と接する表面の加速チャネル９において電子のインジェクションが行われる。インジェクションされた電子は、第一電極６１、第二電極６２、第三電極６３、第四電極６４、第五電極６５、第六電極６６、第七電極６７および第八電極６８に加えられて正電圧が発生する電界により加速チャネル９において加速され、最終的に電子吸収コレクタ２６に吸収される。キャリア加速装置の第二電極６２、キャリア加速装置の第三電極６３、キャリア加速装置の第四電極６４、キャリア加速装置の第五電極６５およびキャリア加速装置の第六電極６６は加速チャネル内で電子が移動するためのスライディング電極として作用する。Ｐ型半導体１０から電子をエミッションするために、キャリア加速装置の第七電極６７がエミッション電極として使用される。電子吸収コレクタ２６はエネルギー蓄積器１５の負電圧端子に電気的に接続されており、電子吸収コレクタ２６に吸収された電子はエネルギー蓄積器１５の負電極に蓄積される。一方、発生する電界によってＰ型半導体１０からＮ型半導体１１に正孔がインジェクションされる。Ｎ型半導体はエネルギー蓄積器１５の正電圧端子に電気的に接続されるので、Ｎ型半導体１１にインジェクションされた正孔はエネルギー蓄積器１５の正電極に蓄積される。エネルギー蓄積器１５に電気的負荷が並列接続されると、エネルギー蓄積器１５に蓄積された正電荷と負電荷は電気的負荷を経由して移動することにより再結合を行う。その結果として電気的負荷に電気エネルギーが供給される。
【０１４７】
図７２には、２個のＰ型半導体１０を例として示すが、実際には多数個のＰ型半導体１０が平行して作成されており、多くのキャリアである電子が電子吸収コレクタ２６に到達し、発生する電気エネルギーを大きくすることも可能である。同図にはキャリア加速装置の第一電極６１を３個示すが、実際には個々のＰ型半導体１０の周辺に配置される。１個のキャリア加速装置の第一電極６１によってその両側にあるＰ型半導体１１中のキャリアを加速するので、この構造の電界効果発電装置を用いると、効率的に電気エネルギーを得ることが可能となる。
【０１４８】
本発明の第１１の実施形態に係る電界効果発電装置において、キャリア出力物質としてＮ型半導体を用い、チャネル形成物質としてＰ型半導体を用い、チャネル形成物質に傾斜がある場合の断面を図７３に示す。同図において、Ｐ型半導体１０とＮ型半導体１１によってＰＮ接合が形成される。第一電源３１の負電圧端子はＮ型半導体１１に電気的に接続され、第一電源３１の正電圧端子はキャリア加速装置の第一電極６１に電気的に接続される。Ｎ型半導体１１からＰ型半導体１０にキャリアである電子をインジェクションするために第一電源３１を用いる。第二電源３２の負電圧端子はキャリア加速装置の第一電極６１に電気的に接続され、第二電源３２の正電圧端子はキャリア加速装置の第二電極６２に電気的に接続される。第三電源３３の負電圧端子はキャリア加速装置の第二電極６２に電気的に接続され、第三電源３３の正電圧端子はキャリア加速装置の第三電極６３に電気的に接続される。第四電源３４の負電圧端子はキャリア加速装置の第三電極６３に電気的に接続され、第四電源３４の正電圧端子はキャリア加速装置の第四電極６４に電気的に接続される。
【０１４９】
正電位が加えられるキャリア加速装置の第一電極６１と負電位が加えられるＮ型半導体１１の間には電界が発生し、その電界によってＮ型半導体１１からキャリアである電子がＰ型半導体１０にインジェクションされる。キャリア加速装置の第一電極６１はインジェクション電極として作用する。Ｐ型半導体１０が絶縁物８と接触する表面において電子のインジェクションが行われ、電子は加速チャネル９内を移動する。インジェクションされた電子は、キャリア加速装置の第一電極６１、キャリア加速装置の第二電極６２およびキャリア加速装置の第四電極６４に加えられて正電圧によって発生する電界によって加速され、インジェクションされた電子はＰ型半導体１０と絶縁物８の境界表面にある加速チャネル９内を移動する。キャリア加速装置の第二電極６２およびキャリア加速装置の第三電極６３はスライディング電極として作用する。キャリア加速装置の第三電極は上部に配置されており、Ｐ型半導体１０の表面は上部に傾斜する。従って、インジェクションされた電子はＰ型半導体１０と絶縁物８の境界面を移動する際には、上記のＰ型半導体１０の傾斜により電子の移動平面の軌道が直線的ではなく、表面の形状に沿って加速チャネル９内を移動する。すなわち、キャリアである電子は、初期状態においてはキャリア加速装置の第四電極６４の正電荷に接近する動きを行うが、Ｐ型半導体１０の表面の傾斜によりキャリア加速装置の第三電極６３の方向に向かう。電子が直線的な軌道を変更し、加速チャネル９内を移動して最終的に電子吸収コレクタ２６に吸収される。キャリアである電子は電子収集コレクタ２６に入力する直前にある非可逆過程発生部４のポテンシャル障壁を量子力学的なトンネル効果により貫通して通過するので、キャリア加速装置の第四電極６４はトンネル電極として作用する。電子吸収コレクタ２６はエネルギー蓄積器１５に電気的に接続されており、電子吸収コレクタ２６に吸収された電子はエネルギー蓄積器１５の負電極に蓄積される。一方、発生する電界の効果によってＰ型半導体１０からＮ型半導体１１に正孔がインジェクションされる。Ｎ型半導体はエネルギー蓄積器１５に電気的に接続されているので、Ｎ型半導体１１にインジェクションされた正孔はエネルギー蓄積器１５の正電極に蓄積される。エネルギー蓄積器１５に並列に電気的負荷５が接続されると、エネルギー蓄積器１５に蓄積された電荷は電気的負荷５を経由して再結合を行う。その結果として電気的負荷５に電気エネルギーが供給され、そこで電気エネルギーが消費される。
【０１５０】
本発明の第１２の実施形態に係る電界効果発電装置において、チャネル形成物質としてグラフェンを用いる場合の外観を図７４に示す。基板１９上にはキャリア出力物質１およびチャネル形成物質２が配置される。キャリア出力物質１は導電性物質であり、具体例としてチタン、ニッケル、銅、金および銀などがある。基板の上部には絶縁物８が配置され、絶縁物８の上部にはキャリア加速装置の第一電極６１、キャリア加速装置の第二電極６２、キャリア加速装置の第三電極６３およびキャリア加速装置の第四電極６４が配置される。チャネル形成物質２としてグラフェンが用いられる場合を示す。炭素原子がsp2混成軌道によって化学結合すると、二次元状に結合した炭素六角網面を形成する。この平面構造を持つ炭素原子の集合体はグラフェンと呼ばれる。炭素原子が６角形の網の目状に並んだ構造のグラフェンがグラファイトの１層を形成し、多層のグラフェンが積層することによりグラファイト全体が構成される。グラフェンにおいては炭素の６員環が平面状に結合しており、厚さは分子のオーダであり、平面方向には電気伝導性が極めて良好である。すなわち、グラフェン中におけるは電子の移動度は非常に大きく、2０,０cm2/Vsにも達し、電子が殆ど抵抗を受けずに炭素の６員環から６員環へと平面状に移動する。
【０１５１】
本発明の第１２の実施形態に係る電界効果発電装置において、チャネル形成物質としてグラフェンを用いる場合の断面を図７５に示す。基板１９上にはキャリア出力物質１およびチャネル形成物質２が配置される。基板の上部には絶縁物８が配置され、絶縁物８の上部はキャリア加速装置の第一電極６１、キャリア加速装置の第二電極６２、キャリア加速装置の第三電極６３およびキャリア加速装置の第四電極６４が配置される。第一電源３１の負電圧端子はキャリア出力物質１に電気的に接続され、第一電源３１の正電圧端子はキャリア加速装置の第一電極６１に電気的に接続される。キャリア入出力物質１からチャネル形成物質２にキャリアである電子をインジェクションするために第一電源３１を用いる。第二電源３２の負電圧端子はキャリア加速装置の第一電極６１に電気的に接続され、第二電源３２の正電圧端子はキャリア加速装置の第二電極６２に電気的に接続される。第三電源３３の負電圧端子はキャリア加速装置の第二電極６２に電気的に接続され、第三電源３３の正電圧端子はキャリア加速装置の第三電極６３に電気的に接続される。第四電源３４の負電圧端子はキャリア加速装置の第三電極６３に電気的に接続され、第四電源３４の正電圧端子はキャリア加速装置の第四電極６４に電気的に接続される。
【０１５２】
第一電源３１からキャリア加速装置の第一電極６１に加えられる正電圧およびキャリア出力物質１に加えられる負電圧により電界が形成される。キャリア加速装置の第一電極６１からキャリア出力物質１の方向に形成された電界によって、キャリア出力物質１からグラフェン状のチャネル形成物質２にキャリアである電子がインジェクションされる。キャリア加速装置の第一電極６１はインジェクション電極として作用する。インジェクションされた電子は加速チャネル９の内において、キャリア加速装置の第一電極６１、キャリア加速装置の第二電極６２、キャリア加速装置の第三電極６３およびキャリア加速装置の第四電極６４に加えられる正電圧によって加速される。キャリア加速装置の第二電極６２、キャリア加速装置の第三電極６３およびキャリア加速装置の第四電極６４は電子がグラッフェンの表面を加速されて移動するスライディング電極として作用する。
【０１５３】
本発明の第１２の実施形態に係る電界効果発電装置において、チャネル形成物質としてグラフェンを用いる場合に電子吸収コレクタ付近を拡大して断面を図７６に示す。第五電源３５の負電圧端子はキャリア加速装置の第四電極６４に電気的に接続され、第五電源３５の正電圧端子はキャリア加速装置の第五電極６５に電気的に接続される。第六電源３６の負電圧端子はキャリア加速装置の第五電極６５に電気的に接続され、第六電源３６の正電圧端子はキャリア加速装置の第六電極６６に電気的に接続される。キャリア加速装置の第五電極６５およびキャリア加速装置の第六電極６６は下部にある絶縁物８の中にも配置され、第六電源３６等と電気的に接続される。グラフェンであるチャネル形成物質２の表面上を電子が高速に移動することにより、電子は充分に大きな運動エネルギーを獲得する。高速化された電子はチャネル形成物質２の表面から離脱し、真空中にエミッションされる。キャリア加速装置の第五電極６５はエミッション電極として作用する。エミッションの際には、非可逆過程発生部４であるポテンシャル障壁を電子が量子力学的なトンネル効果により通過する。エミッションされた電子はキャリア加速装置の第六電極６６に加えられた正電圧により加速される。すなわち、キャリア加速装置の第六電極６６は加速電極として作用する。飛翔電子が加速されて、その運動エネルギーが充分に大きくなると、電子吸収コレクタ２６から受けるクーロンの法則に従う反発力に打ち勝って、電子吸収コレクタ２６に衝突し、これに収集される。電子吸収コレクタ２６はエネルギー蓄積器１５の一方の端子に電気的に接続されているので、電子吸収コレクタ２６に到達した電子はエネルギー蓄積器１５の一方の端子に到達する。キャリア出力物質１の中に残存する正孔はエネルギー蓄積器１５の他方の端子に到達し、エネルギー蓄積器１５の中で正孔と電子がペアを形成し、そこに蓄積される。エネルギー蓄積器１５の一方の端子に電気的負荷５の一方の端子を接続し、エネルギー蓄積器１５の他方の端子に電気的負荷５の他方の端子を接続すると、エネルギー蓄積器１５に蓄積されていた正孔と電子が電気的負荷５に到達し、そこで再結合することにより両者は消滅し、この過程において電気的負荷５に電気エネルギーが供給される。
【０１５４】
グラフェンは電気の良導体であり、しかも熱伝導率の高い物質でもあり、これらの性質を利用した熱フィードバック方式の電界電子発電の実施例を以下に記述する。本発明の第１２の実施形態に係る電界効果発電装置において、キャリア吸収グラフェンおよびキャリア放出グラフェンの配置を図７７に示す。同図において、キャリア吸収グラフェン７１およびキャリア放出グラフェン７２は熱的に良好に接続されている。すなわち、キャリア吸収グラフェン７１は非常に薄く、熱が表面を２次元的に良好に伝導され、キャリア放出グラフェン７２へ熱が良好に伝導される。好ましくは、キャリア吸収グラフェン７１とキャリア放出グラフェン７２は一体化して製作され、概直角に曲げられた構造となっている。キャリア吸収基板７３およびキャリア放出基板７４は互いに概直角に配置され、それらはキャリア吸収グラフェン７１とキャリア放出グラフェン７２を保持するための基板である。キャリア吸収基板７３およびキャリア放出基板７４は共に熱の不良導体が好ましい。すなわち、グラフェン内を２次元的に熱が伝導し、キャリア吸収基板７３およびキャリア放出基板７４を経由して外部に放出される熱エネルギーの量が少ないならば、発電効率が向上する。従って、グラファイトのように炭素のグラフェン膜が積層され、積層間の熱伝導率が小さく、層間で熱が遮断されると、良好な発電効率が得られる。
【０１５５】
図７７に示される構造の物体をエミッタ・コレクタ複合体と呼ぶ。２個のエミッタ・コレクタ複合体を点対称に配置する。本発明の第１２の実施形態に係る電界効果発電装置において、キャリア吸収グラフェンおよびキャリア放出グラフェンを用い、熱フィードバック方式を採用する場合の断面図を図７８に示す。同図の下部に示すキャリア放出基板７４は熱の不良導体であり、その１つの表面にはキャリア放出グラフェン７２が配置されている。キャリア放出グラフェン７２の表面には絶縁物８が配置され、絶縁物８の中にキャリア加速装置の第一電極６１、キャリア加速装置の第二電極６２、キャリア加速装置の第三電極６３およびキャリア加速装置の第四電極６４が配置されている。なお、図７８においては、図７５および図７６に示す第一電源３１、第二電源３２、第三電源３３、第四電源３４、第五電源３５および第六電源３６の表示を省略する。さらに、図７８においては、図７６に示すキャリア加速装置の第五電極６５およびキャリア加速装置の第六電極６６の表示も省略する。図７８の下部に示すキャリア加速装置の第一電極６１には第一電源３１から正電圧が加えられ、キャリア出力物質１には第一電源３１から負電圧が加えられことにより、キャリア加速装置の第一電極６１からキャリア出力物質１の方向に電界が形成される。形成された電界によって、キャリア出力物質１からキャリアである電子がキャリア放出グラフェン７２（チャネル形成物質２に相当）にインジェクションされる。キャリア加速装置の第一電極６１はインジェクション電極として作用する。インジェクションされた電子はキャリア加速装置の第二電極６２、キャリア加速装置の第三電極６３およびキャリア加速装置の第四電極６４によって加速されて真空中にエミッションされる。キャリア加速装置の第二電極６２、キャリア加速装置の第三電極６３およびキャリア加速装置の第四電極６４はスライディング電極として作用する。エミッションされた電子５０は上方向に移動する。エミッションされた電子５０は同図の上部に配置されたキャリア吸収グラフェン７１に衝突し、それに吸収される。衝突する際に、電子５０が保有する運動エネルギーは熱エネルギーに変換される。従って、キャリア吸収グラフェン７１の温度が上昇する。キャリア吸収グラフェン７１の熱エネルギーは同図の上部に示されるキャリア放出グラフェン７２に伝えられ、キャリア放出グラフェン７２の温度が上昇し、高温になる。同図の上部に示されるキャリア吸収基板７３およびキャリア吸収基板７４は共に熱の不良導体であり、外部に流出する熱エネルギーは少ない。同図の上部に示されるキャリア吸収グラフェン７１に吸収された電子５０はエネルギー蓄積器１５に移されて、そこで蓄積される。一方、同図の下部に示すキャリア放出グラフェン７２には正孔が残存する。残存する正孔はエネルギー蓄積器１５に移動し、電子と正孔がペアを形成し、それに蓄積される。
【０１５６】
同図の上部に示すキャリア放出基板７４の１つの表面にはキャリア放出グラフェン７２が配置されている。キャリア放出グラフェン７２の表面には絶縁物８が配置され、絶縁物８の中にキャリア加速装置の第一電極６１、キャリア加速装置の第二電極６２、キャリア加速装置の第三電極６３およびキャリア加速装置の第四電極６４が配置されている。キャリア加速装置の第一電極６１には第一電源３１から正電圧が加えられ、キャリア出力物質１には第一電源３１から負電圧が加えられことにより、キャリア加速装置の第一電極６１からキャリア出力物質１の方向に電界が形成される。形成された電界によって、キャリア出力物質１からキャリアである電子が同図の上部に示すキャリア放出グラフェン７２（チャネル形成物質２に相当）にインジェクションされる。キャリア加速装置の第一電極６１はインジェクション電極として作用する。キャリア放出グラフェン７２が高温になり、その中の電子が大きい運動エネルギーを獲得するので、インジェクションされた電子はキャリア加速装置の第二電極６２、キャリア加速装置の第三電極６３およびキャリア加速装置の第四電極６４によって加速されて真空中に良好にエミッションされる。キャリア加速装置の第二電極６２、キャリア加速装置の第三電極６３およびキャリア加速装置の第四電極６４はスライディング電極として作用する。真空中にエミッションされた電子５０は同図の下部の方向に移動し、同図の下部に配置されたキャリア吸収グラフェン７１に衝突し、それに吸収される。その際に電子５０が保有する運動エネルギーは熱エネルギーに変換される。従って、キャリア吸収グラフェン７１の温度が高くなる。キャリア吸収グラフェン７１の熱エネルギーは同図の下部に配置されたキャリア放出グラフェン７２に伝えられ、キャリア放出グラフェン７２の温度が上昇し、高温になる。同図の下部に示すキャリア吸収グラフェン７１に吸収された電子はエネルギー蓄積器１５に移されて、そこで蓄積される。一方、同図の上部に示すキャリア放出グラフェン７２には正孔が残存する。残存する正孔はエネルギー蓄積器１５に移動し、電子と正孔がペアを形成し、それに蓄積される。
【０１５７】
キャリア放出グラフェン７２の温度が上昇するので、そこから真空中にエミッションされる電子の量が増加する。この過程を繰り返すことにより、同図の上部に示すキャリア放出グラフェン７２および同図の下部に示すキャリア放出グラフェン７２からエミッションされる電子５０の数が増加する。従って、温度上昇に伴いキャリア吸収グラフェン７１に吸収される電子５０の数が増加する。故に、エネルギー蓄積器１５に移動する電子５０の数も増加する。一方、電子を放出したキャリア放出グラフェン７２には正孔が残存する。残存する正孔はエネルギー蓄積器１５に移動し、電子とペアを組み蓄積される。エネルギー蓄積器１５の両方の端子に電気的負荷５を接続すると、エネルギー蓄積器１５の内部に蓄積された電子と正孔が電気的負荷５に移動し、そこで再結合を行い、両者は消滅する。電子と正孔が消滅する際には電気的負荷５に電気エネルギーが供給される。
【０１５８】
上記の過程が繰り替えされる事によりキャリア吸収グラフェン７１およびキャリア放出グラフェン７２が共に高温となり、真空中にエミッションされる電子５０の数が増加する。放出される電子５０の一部をエネルギー蓄積器１５に蓄積し、残りの電子を次回のエミッションに振り分ける事も可能である。この場合を連続方式の電界効果発電と呼ぶ。一方、キャリア加速装置の電極６０にパルス状の電圧を印加する場合には、時分割方式の電界効果発電と呼ぶ。時分割方式の電界効果発電においては、キャリアをエミッションする期間とキャリアを蓄積期間がある。キャリアのエミッション期間においては、電子がキャリア放出グラフェン７２からエミッションされて、キャリア吸収グラフェン７１に吸収される。キャリアの蓄積期間においては、キャリア吸収グラフェン７１に吸収された電子がエネルギー蓄積器１５に蓄積される。本発明においては、連続方式の電界効果発電および時分割方式の電界効果発電が含まれる。
【０１５９】
往路のチャネル形成物質２から電子がエミッションされ、往路の電子吸収コレクタに電子が収集され、往路の電子吸収コレクタに電子が衝突エネルギーを与え、往路の電子吸収コレクタが加熱され、往路の電子吸収コレクタの熱エネルギーが帰路のチャネル形成物質２に伝導され、帰路のチャネル形成物質２の温度が上昇することにより、帰路のチャネル形成物質２から多量の電子がエミッションされ、帰路の電子吸収コレクタに多量の電子が収集され、帰路の電子吸収コレクタに多量の電子が衝突エネルギーを与え、帰路の電子吸収コレクタが加熱され、帰路の電子吸収コレクタの熱エネルギーが往路のチャネル形成物質２に伝導され、往路のチャネル形成物質２の温度が上昇することにより、往路のチャネル形成物質２から更に多量の電子がエミッションされる過程を繰り返すことにより、発電出力が上昇する装置を熱フィードバック方式の電界効果発電と呼ぶ。
【０１６０】
本発明の第１３の実施形態に係る電界効果発電装置において、熱フィードバック方式を採用する場合の断面図を図７９に示す。同図において、モード１の開始スイッチ１０１が導通状態になる場合には、往路のキャリア出力物質１０７の周辺を拡大して示すと、図８０になる。本発明の第１３の実施形態に係る電界効果発電装置において、熱フィードバック方式を採用する場合に帰路のキャリア出力物質の周辺を拡大して断面を図８１に示す。図７９において、モード２の開始スイッチ１０２が導通状態になる場合には、帰路のキャリア出力物質１０８の付近を拡大して示すと、図８１になる。
【０１６１】
熱フィードバック方式の電界効果発電の動作は３つのモードに分かれる。
〔モード０〕
図７９において、モード１の開始スィッチ１０１が導通状態にあり、モード２の開始スィッチ１０２も導通状態にある場合。
〔モード１〕
図７９において、モード１の開始スィッチ１０１が導通状態にあり、モード２の開始スィッチ１０２が非導通状態にある場合。
〔モード２〕
図７９において、モード１の開始スィッチ１０１が非導通状態にあり、モード２の開始スィッチ１０２が導通状態にある場合。
【０１６２】
熱フィードバック方式の電界効果発電の初期状態においては〔モード１〕の動作を開始する。〔モード１〕の動作がある時間だけ経過することにより、往路のチャネル形成物質２と帰路のチャネル形成物質２の温度がある閾値を越えると、〔モード１〕の動作に移行し、次に〔モード２〕の動作に移行し、次に〔モード１〕の動作と〔モード２〕の動作を繰り返すことにより、電界効果発電は定常状態に到達する。
【０１６３】
〔モード０〕
初期状態においては、往路のチャネル形成物質２および帰路のチャネル形成物質２の温度を上昇するために、往路のチャネル形成物質２および帰路のチャネル形成物質２に熱エネルギーを与える。熱エネルギーとして、ヒータを用いて加熱する場合、太陽熱を加える場合、他の熱源からの熱エネルギーを加える場合などがある。簡略的に往路のチャネル形成物質２および帰路のチャネル形成物質２を加熱する場合には、図７９において、モード１の開始スィッチ１０１を導通状態に設定し、モード２の開始スィッチ１０２も導通状態に設定する。往路の電源として第一電源３１、第二電源３２、第三電源３３および第四電源３４を用いる。図８０に示すように、往路のキャリア出力物質１０７にチャネル形成物質２を電気的に接続する。第一電源３１の負電圧端子は往路のキャリア出力物質１０７に電気的に接続され、第一電源３１の正電圧端子はキャリア加速装置の第一電極６１に電気的に接続される。キャリア加速装置の第一電極６１に加えられた正電圧と往路のキャリア出力物質１０７に加えられた負電圧が電界を発生し、発生する電界の効果に基づいて往路のキャリア出力物質１０７から電子がチャネル形成物質２にインジェクションされる。キャリア加速装置の第一電極６１はインジェクション電極として作用する。インジェクションされた電子はチャネル形成物質２の表面の加速チャネル９を移動し、非可逆過程発生部４に存在するポテンシャル障壁を量子力学的なトンネル効果により貫通し通過することにより電子が真空中にエミッションされる。キャリア加速装置の第一電極６１はエミッション電極としても作用する。エミッションされた電子は加速チャネル９の中で加速されて進行する。
【０１６４】
図７９に示すように、第二電源３２がキャリア加速装置の第二電極６２に加える正電圧によって、エミッションされた電子は加速チャネル９の中で加速されて進行する。第三電源３３がキャリア加速装置の第三電極６３に加える正電圧によって、エミッションされた電子は加速チャネル９の中で更に加速されて進行する。第四電源３４がキャリア加速装置の第四電極６４に加える正電圧によって、エミッションされた電子は加速チャネル９の中で更に加速されて進行する。キャリア加速装置の第二電極６２、キャリア加速装置の第三電極６３およびキャリア加速装置の第四電極６４は加速電極として作用する。最終的にはエミッションされ、加速された電子が往路の電子吸収コレクタ２２９に衝突し、これに収集される。その際に加速された電子が保有する運動エネルギーが往路の電子吸収コレクタ２２９に供給され、往路の電子吸収コレクタ２２９の温度が上昇する。さらに、電子を収集した往路の電子吸収コレクタ２２９には負電荷が蓄積される。往路の電子吸収コレクタ２２９に供給された熱エネルギーは往路の熱伝導器１２３を経由して帰路のキャリア出力物資１０８に伝導される。往路の電子吸収コレクタ２２９に蓄積された電子は往路の熱伝導器１２３を経由して帰路のキャリア出力物資１０８に到達する。帰路の電源として第五電源３５、第六電源３６、第七電源３７および第八電源３８を用いる。図８１に示すように、帰路のキャリア出力物質１０８にチャネル形成物質２を電気的に接続する。第五電源３５の負電圧端子は帰路のキャリア出力物質１０８に電気的に接続され、第五電源３５の正電圧端子はキャリア加速装置の第五電極６５に電気的に接続される。キャリア加速装置の第五電極６５に加えられた正電圧と帰路のキャリア出力物質１０８に加えられた負電圧が電界を発生し、発生する電界の効果に基づいて帰路のキャリア出力物質１０８から電子がチャネル形成物質２にインジェクションされる。キャリア加速装置の第五電極６５はインジェクション電極として作用する。インジェクションされた電子はチャネル形成物質２の表面を移動し、非可逆過程発生部４に存在するポテンシャル障壁を量子力学的なトンネル効果により貫通し通過することにより電子が真空中にエミッションされる。キャリア加速装置の第五電極６５はエミッション電極としても作用する。エミッションされた電子は加速チャネル９の中で加速されて進行する。
【０１６５】
図７９に示すように、第六電源３６がキャリア加速装置の第六電極６６に加える正電圧によって、エミッションされた電子は加速チャネル９の中で加速されて進行する。第七電源３７がキャリア加速装置の第七電極６７に加える正電圧によって、エミッションされた電子は加速チャネル９の中で更に加速されて進行する。第八電源３８がキャリア加速装置の第八電極６８に加える正電圧によって、エミッションされた電子は加速チャネル９の中で更に加速されて進行する。
【０１６６】
キャリア加速装置の第六電極６６、キャリア加速装置の第七電極６７およびキャリア加速装置の第八電極６８は加速電極として作用する。最終的にはエミッションされ、加速された電子が帰路の電子吸収コレクタ２３０に衝突し、これに収集される。その際に加速された電子が保有する運動エネルギーが帰路の電子吸収コレクタ２３０に供給され、帰路の電子吸収コレクタ２３０の温度が上昇する。さらに、電子を収集した帰路の電子吸収コレクタ２３０には負電荷が蓄積される。帰路の電子吸収コレクタ２３０に供給された熱エネルギーは帰路の熱伝導器１２４を経由して往路のキャリア出力物資１０７に伝導される。帰路の電子吸収コレクタ２３０に蓄積された電子は帰路の熱伝導器１２４を経由して往路のキャリア出力物資１０７に到達する。往路のキャリア出力物資１０７に電子が到達し、さらに、往路のキャリア出力物資１０７に熱エネルギーが伝導されるので、往路のキャリア出力物資１０７から多量の電子がチャネル形成物質２にインジェクションされ、チャネル形成物質２からエミッションされる電子の数が増加する。以上の過程を繰り返すことにより、往路のキャリア出力物資１０７および帰路のキャリア出力物資１０８の温度は共に上昇する。すなわち、往路のキャリア出力物資１０７および帰路のキャリア出力物資１０８がともに高温状態に到達し、それらの内部にある電子が大きい運動エネルギーを保有するので、キャリア出力物資１０８からチャネル形成物質２に多量の電子がインジェクションされる。チャネル形成物質２の中の温度もが上昇し、その内部にある電子が大きい運動エネルギーを保有するので、チャネル形成物質２から多量の電子がエミッションされる。この状態に到達すると、本格的な発電を行うことができるので、モード１に移行する。
【０１６７】
[モード１]
モード１に切り替わると、図７９において、モード１の開始スィッチ１０１を導通状態に設定し、モード２の開始スィッチ１０２を非導通状態に設定する。往路の電源として第一電源３１、第二電源３２、第三電源３３および第四電源３４を用いる。チャネル形成物質２が往路のキャリア出力物質１０７と電気的に接続される。図８０に示すように、第一電源３１の負電圧端子は往路のキャリア出力物質１０７に電気的に接続され、第一電源３１の正電圧端子はキャリア加速装置の第一電極６１に電気的に接続される。キャリア加速装置の第一電極６１に加えられた正電圧と往路のキャリア出力物質１０７に加えられた負電圧が電界を発生し、発生する電界の効果に基づいて往路のキャリア出力物質１０７から電子がチャネル形成物質２にインジェクションされる。キャリア加速装置の第一電極６１はインジェクション電極として作用する。モード０の過程により往路のキャリア出力物質１０７の温度が高いので、往路のキャリア出力物質１０７の内の電子が保有する運動エネルギーが大きくなり、往路のキャリア出力物質１０７からチャネル形成物質２にインジェクションされる電子の数が多くなる。インジェクションされた多量の電子はチャネル形成物質２の表面を移動し、非可逆過程発生部４に存在するポテンシャル障壁を量子力学的なトンネル効果により貫通し通過することにより多量の電子が真空中にエミッションされる。キャリア加速装置の第一電極６１はエミッション電極としても作用する。エミッションされた電子は加速チャネル９の中で加速されて進行する。第二電源３２がキャリア加速装置の第二電極６２に加える正電圧によって、エミッションされた多量の電子は加速チャネル９の中で加速されて進行する。第三電源３３がキャリア加速装置の第三電極６３に加える正電圧によって、エミッションされた多量の電子は加速チャネル９の中で更に加速されて進行する。第四電源３４がキャリア加速装置の第四電極６４に加える正電圧によって、エミッションされた多量の電子は加速チャネル９の中で更に加速されて進行する。キャリア加速装置の第二電極６２、キャリア加速装置の第三電極６３およびキャリア加速装置の第四電極６４は加速電極として作用する。最終的にはエミッションされ、加速された多量の電子が往路の電子吸収コレクタ２２９に衝突し、これに収集される。その際に加速された電子が保有する運動エネルギーが往路の電子吸収コレクタ２２９に供給され、往路の電子吸収コレクタ２２９の温度が上昇する。往路の電子吸収コレクタ２２９に供給された熱エネルギーは往路の熱伝導器１２３を経由して帰路のキャリア出力物資１０８に伝導される。多量の電子を収集した往路の電子吸収コレクタ２２９には負電荷が蓄積される。一方、多量の電子をインジェクションした往路のキャリア出力物資１０７には多量の正孔が残存する。往路の電子吸収コレクタ２２９に収集された多量の電子はモード１のエネルギー蓄積器１１５に移動し、往路のキャリア出力物資１０７に残存する多量の正孔はモード１のエネルギー蓄積器１１５に移動し、そこに蓄積される。上記の過程において、モード２の開始スィッチ１０２は非導通状態であり、帰路の回路には電界が作用していないので、帰路のキャリア出力物質１０８からインジェクションされる電子は殆ど零である。従って、往路の電子吸収コレクタ２２９に収集された電子の全てがモード１のエネルギー蓄積器１１５に移動する。モード１のエネルギー蓄積器１１５に並列に電気的負荷５を接続すると、発生した電気エネルギーが消費される。
【０１６８】
[モード２]
モード２に切り替えられると、図７９において、モード１の開始スィッチ１０１を非導通状態に設定し、モード２の開始スィッチ１０２を導通状態に設定する。帰路の電源として第五電源３５、第六電源３６、第七電源３７および第八電源３８を用いる。チャネル形成物質２が帰路のキャリア出力物質１０８と電気的に接続される。図８１に示すように、第五電源３５の負電圧端子は帰路のキャリア出力物質１０８に電気的に接続され、第五電源３５の正電圧端子はキャリア加速装置の第五電極６５に電気的に接続される。キャリア加速装置の第五電極６５に加えられた正電圧と帰路のキャリア出力物質１０８に加えられた負電圧が電界を発生し、発生する電界の効果に基づいて帰路のキャリア出力物質１０８から電子がチャネル形成物質２にインジェクションされる。キャリア加速装置の第五電極６５はインジェクション電極として作用する。モード０の過程により帰路のキャリア出力物質１０８の温度が高いので、帰路のキャリア出力物質１０８の内の電子が保有する運動エネルギーが大きくなり、帰路のキャリア出力物質１０８からチャネル形成物質２にインジェクションされる電子の数が多くなる。インジェクションされた多量の電子はチャネル形成物質２の表面を移動し、非可逆過程発生部４に存在するポテンシャル障壁を量子力学的なトンネル効果により貫通し通過することにより多量の電子が真空中にエミッションされる。エミッションされた電子は加速チャネル９の中で加速されて進行する。第六電源３６がキャリア加速装置の第六電極６６に加える正電圧によって、エミッションされた多量の電子は加速チャネル９の中で加速されて進行する。第七電源３７がキャリア加速装置の第七電極６７に加える正電圧によって、エミッションされた多量の電子は加速チャネル９の中で更に加速されて進行する。第八電源３８がキャリア加速装置の第八電極６８に加える正電圧によって、エミッションされた多量の電子は加速チャネル９の中で更に加速されて進行する。キャリア加速装置の第六電極６６、キャリア加速装置の第七電極６７およびキャリア加速装置の第八電極６８は加速電極として作用する。最終的にはエミッションされ、加速された多量の電子が帰路の電子吸収コレクタ２３０に衝突し、これに収集される。その際に加速された電子が保有する運動エネルギーが帰路の電子吸収コレクタ２３０に供給され、帰路の電子吸収コレクタ２３０の温度が上昇する。帰路の電子吸収コレクタ２３０に供給された熱エネルギーは帰路の熱伝導器１２４を経由して往路のキャリア出力物資１０７に伝導される。多量の電子を収集した帰路の電子吸収コレクタ２３０には負電荷が蓄積される。一方、多量の電子をインジェクションした帰路のキャリア出力物資１０８には多量の正孔が残存する。帰路の電子吸収コレクタ２３０に収集された多量の電子はモード２のエネルギー蓄積器１１６に移動し、帰路のキャリア出力物資１０８に残存する多量の正孔はモード２のエネルギー蓄積器１１６に移動し、そこに蓄積される。上記の過程において、モード１の開始スィッチ１０１は非導通状態であり、帰路の回路には電界が作用していないので、往路のキャリア出力物質１０８からインジェクションされる電子は殆ど零である。従って、帰路の電子吸収コレクタ２３０に収集された電子の全てがモード２のエネルギー蓄積器１１６に移動する。モード２のエネルギー蓄積器１１６に並列に電気的負荷５を接続すると、発生した電気エネルギーが消費される。
【０１６９】
上記に記載のモード１とモード２を交互に繰り返すことにより、往路のキャリア出力物資１０７、帰路のキャリア出力物資１０８および往路と帰路のチャネル形成物質２の温度が上昇するので、モード１とモード２の切り替え時間を短くすると、それらの高温状態が維持される。往路のキャリア出力物資１０７および帰路のキャリア出力物資１０８から往路と帰路のチャネル形成物質２にインジェクションされる電子の数が多くなる。さらに、往路と帰路のチャネル形成物質２から真空中にエミッションされる電子の数も多くなるので、発電によって得られる電力が大きくなる。結論として、電界の効果により加速される電子が保有する運動エネルギーと電荷が発電に有効に利用されるので、電界効果発電装置は効率の良好な発電が可能であり、これを世界中に普及することにより、エネルギーの枯渇問題と化石燃料の燃焼により発生する地球環境の破壊の難問を同時に解決することができる。
【０１７０】
本発明の第１４の実施形態に係る電界効果発電装置において、熱フィードバック方式を採用する場合の断面を図８２に示す。熱フィードバック方式の電界効果発電装置は往路における発電と帰路における発電に分れ、往路の電源として第一電源３１、第二電源３２、第三電源３３および第四電源３４を用いる。同図に示すように、基板１９の表面上に往路のキャリア出力物質３３３，往路のチャネル形成物質３３５および往路の電子吸収コレクタ２２９が配置される。往路のチャネル形成物質３３５の実施例としてグラフェンを用いる。グラフェンである往路のチャネル形成物質３３５は往路のキャリア出力物質３３３と電気的に接続される。往路のキャリア出力物質３３３、往路のチャネル形成物質３３５および往路の電子吸収コレクタ２２９の上面には絶縁物８が配置される。絶縁物８の上表面には往路のキャリア加速装置の第一電極６１、往路のキャリア加速装置の第二電極６２、往路のキャリア加速装置の第三電極６３および往路のキャリア加速装置の第四電極６４が配置される。
【０１７１】
熱フィードバック方式の電界効果発電装置においては、往路の動作と帰路の動作があり、それらは並列的の動作を行う。図８２において、第一電源３１の正電圧端子はキャリア加速装置の第一電極６１に電気的に接続される。第一電源３１の負電圧端子は往路のキャリア出力物質３３３に電気的に接続される。キャリア加速装置の第一電極６１と往路のキャリア出力物質３３３の間には電界が発生する。発生する電界の効果によって往路のキャリア出力物質３３３から往路のチャネル形成物質３３５に電子がインジェクションされる。キャリア加速装置の第一電極６１はインジェクション電極として作用する。往路のキャリア出力物質３３３から往路のチャネル形成物質３３５にキャリアである電子をインジェクションするために第一電源３１が用いられる。第二電源３２の負電圧端子はキャリア加速装置の第一電極６１に電気的に接続され、第二電源３２の正電圧端子はキャリア加速装置の第二電極６２に電気的に接続される。第三電源３３の負電圧端子はキャリア加速装置の第二電極６２に電気的に接続され、第三電源３３の正電圧端子はキャリア加速装置の第三電極６３に電気的に接続される。キャリア加速装置の第二電極６２およびキャリア加速装置の第三電極６３はスライディング電極として作用する。
【０１７２】
第四電源３４の負電圧端子はキャリア加速装置の第三電極６３に電気的に接続され、第四電源３４の正電圧端子はキャリア加速装置の第四電極６４に電気的に接続される。キャリア加速装置の第四電極６４はエミッション電極として作用する。第一電源３１の正電圧が加えられるキャリア加速装置の第一電極６１と第一電源３１の負電圧が加えられる往路のキャリア出力物質３３３の間には電界が発生し、その電界の作用によって往路のキャリア出力物質３３３からキャリアである電子が往路のチャネル形成物質３３５にインジェクションされる。その際には、往路のキャリア出力物質３３３と往路のチャネル形成物質３３５との間にあるポテンシャル障壁は、キャリア加速装置の第一電極６１と往路のキャリア出力物質３３３の間に発生する電界によってトンネル効果により電子が貫通して通過する。すなわち、キャリア加速装置の第一電極６１はトンネル電極として作用する。インジェクションされた電子は加速チャネル９内を移動する。インジェクションされた電子はキャリア加速装置の第一電極６１、キャリア加速装置の第二電極６２、キャリア加速装置の第三電極６３およびキャリア加速装置の第四電極６４に加えられた正電圧により発生する電界によって加速チャネル９において加速され、電子の運動エネルギーが大きくなる。キャリア加速装置の第四電極６４は加速電極としても作用する。大きな運動エネルギーを保有する電子が非可逆過程発生部４に到達し、往路のチャネル形成物質３３５からエミッションされる。この際に、往路のチャネル形成物質３３５と真空との間にある仕事関数に相当するポテンシャル障壁は、発生する電界によりトンネル効果に基づいて貫通して通過し、電子が真空中にエミッションされる。キャリア加速装置の第四電極６４はエミッション電極としても作用する。エミッションされた電子は絶縁物８と基板１９の間を飛翔し、往路の電子吸収コレクタ２２９に到達する。往路の電子吸収コレクタ２２９に到達した電子は往路のエネルギー蓄積器２１３に移動する。一方、キャリアである電子を出力した往路のキャリア出力物質３３３には正孔が残存する。正孔は往路のエネルギー蓄積器２１３に移動し、そこで電子と正孔がダイポールを形成する。往路の電子吸収コレクタ２２９に到達する電子は往路のエネルギー蓄積器２１３に移動し、往路の電子吸収コレクタ２２９には電子が殆ど残存しないので、後続して往路の電子吸収コレクタ２２９に接近する電子の進路を妨害することは殆ど無い。正孔も往路のキャリア出力物質３３３から往路のエネルギー蓄積器２１３に移動し、そこで電子と正孔がダイポールを形成するので、正孔が保有する正電荷が往路のキャリア出力物質３３３から往路のチャネル形成物質３３５に移動する電子の動きを妨害することも殆どなくなり、良好な発電が行われる事が本発明の発電装置の特徴である。先行する発電装置においては、電子と正孔が元の物質に残存し、後続のキャリアの動きを妨害するので、高効率の発電を実現することが困難であった。
【０１７３】
エミッションされた電子が加速されて往路の電子吸収コレクタ２２９に衝突するので、往路の電子吸収コレクタ２２９の温度が上昇する。往路の電子吸収コレクタ２２９の温度が上昇し、熱エネルギーが往路の熱伝導器１２３を経由して帰路のキャリア出力物質３３４に伝導される。従って、帰路のキャリア出力物質３３４の中にある電子の運動エネルギーが増加するので、帰路においてエミッションされる電子の数が増加する。すなわち、電子が加速されてその運動エネルギーが増加すると、運動エネルギーが電子の衝突により熱エネルギーに変換され、熱エネルギーが帰路においてエミッションする電子の数を増加するので、熱フィードバック方式の電界効果発電装置は全ての発生するエネルギーが有効に利用されるので、発電効率が向上する。
【０１７４】
図８２に示す熱フィードバック方式の電界効果発電装置においては、帰路の第一電源２３１、帰路の第二電源２３２、帰路の第三電源２３３および帰路の第四電源２３４を用いる。同図に示すように、基板１９の下部には帰路のキャリア出力物質３３４，帰路のチャネル形成物質３３６および帰路の電子吸収コレクタ２３０が配置される。帰路のチャネル形成物質３３６の実施例としてグラファンを用いる。グラフェンである帰路のチャネル形成物質３３６は帰路のキャリア出力物質３３４と電気的に接続される。帰路のキャリア出力物質３３４、帰路のチャネル形成物質３３６および帰路の電子吸収コレクタ２３０の下面には絶縁物８が配置される。絶縁物８の下表面には帰路のキャリア加速装置の第一電極２６１、帰路のキャリア加速装置の第二電極２６２、帰路のキャリア加速装置の第三電極２６３および帰路のキャリア加速装置の第四電極２６４が配置される。帰路のキャリア加速装置の第一電極２６１はインジェクション電極として作用する。帰路のキャリア加速装置の第二電極２６２および帰路のキャリア加速装置の第三電極２６３はスライディング電極として作用する。帰路のキャリア加速装置の第四電極２６４はエミッション電極および加速電極として作用する。
【０１７５】
熱フィードバック方式の電界効果発電装置においては、往路の動作と帰路の２つの動作を行うことが可能である。往路の熱伝導器１２３および帰路の熱伝導器１２４が絶縁物である場合には、往路における発電と帰路における発電が電気的に絶縁されるので、両者は独立に動作を行う。従って、往路における発電と帰路における発電が同時に並列的に動作をさせることが可能になり、発電効率は向上する。往路の熱伝導器１２３および帰路の熱伝導器１２４として絶縁物を用いることにより並列発電を実現する場合には、絶縁物の例として二酸化シリコン、セラミック、雲母などの絶縁材料が用いられる。往路の熱伝導器１２３および帰路の熱伝導器１２４が電気的に導電性である場合には、往路における発電と帰路における発電を時間的に切り替える必要があり、そのためにモードの概念を導入する。すなわち、モード１においては往路の発電を行い、モード２においては帰路の発電を行い、これらを電子的なスッイッチング動作により切り替える事により電界効果発電が実現される。
【０１７６】
図８２において、帰路の第一電源２３１の正電圧端子は帰路のキャリア加速装置の第一電極２６１に電気的に接続される。帰路の第一電源２３１の負電圧端子は帰路のキャリア出力物質３３４に電気的に接続される。帰路のキャリア出力物質３３４から帰路のチャネル形成物質３３６にキャリアである電子をインジェクションするために帰路の第一電源２３１が用いられる。帰路の第二電源２３２の負電圧端子は帰路のキャリア加速装置の第一電極２６１に電気的に接続され、帰路の第二電源２３２の正電圧端子は帰路のキャリア加速装置の第二電極２６２に電気的に接続される。帰路の第三電源２３３の負電圧端子は帰路のキャリア加速装置の第二電極２６２に電気的に接続され、帰路の第三電源２３３の正電圧端子は帰路のキャリア加速装置の第三電極２６３に電気的に接続される。帰路の第四電源２３４の負電圧端子は帰路のキャリア加速装置の第三電極２６３に電気的に接続され、帰路の第四電源２３４の正電圧端子は帰路のキャリア加速装置の第四電極２６４に電気的に接続される。
【０１７７】
帰路の第一電源２３１の正電圧が加えられる帰路のキャリア加速装置の第一電極２６１と帰路の第一電源２３１の負電圧が加えられる帰路のキャリア出力物質３３４の間には電界が発生し、その電界の作用によって帰路のキャリア出力物質３３４からキャリアである電子が帰路のチャネル形成物質３３６にインジェクションされる。帰路のキャリア加速装置の第一電極２６１はインジェクション電極として作用する。その際には、帰路のキャリア出力物質３３４と帰路のチャネル形成物質３３６との間にあるポテンシャル障壁は、帰路のキャリア加速装置の第一電極２６１と帰路のキャリア出力物質３３４の間に発生する電界によってトンネル効果により電子が貫通して通過する。帰路のキャリア加速装置の第一電極２６１はトンネル電極としても作用する。インジェクションされた電子は加速チャネル９内を移動する。インジェクションされた電子は帰路のキャリア加速装置の第一電極２６１、帰路のキャリア加速装置の第二電極２６２、帰路のキャリア加速装置の第三電極２６３および帰路のキャリア加速装置の第四電極２６４に加えられた正電圧により発生する電界によって加速チャネル９において加速され、電子の運動エネルギーが大きくなる。大きな運動エネルギーを保有する電子が非可逆過程発生部４に到達し、帰路のチャネル形成物質３３６からエミッションされる。帰路のキャリア加速装置の第二電極２６２および帰路のキャリア加速装置の第三電極２６３はスライディング電極として作用する。帰路のキャリア加速装置の第四電極２６４はエミッション電極として作用する。この際に、帰路のチャネル形成物質３３６と真空との間にある仕事関数に相当するポテンシャル障壁は、発生する電界によりトンネル効果に基づいて貫通して通過し、電子が真空中にエミッションされる。エミッションされた電子は絶縁物８と基板１９の間を飛翔し、帰路の電子吸収コレクタ２３０に到達する。帰路の電子吸収コレクタ２３０に到達した電子は帰路のエネルギー蓄積器２１４に移動する。一方、キャリアである電子を出力した帰路のキャリア出力物質３３４には正孔が残存する。正孔は帰路のエネルギー蓄積器２１４に移動し、そこで電子と正孔がダイポールを形成する。帰路の電子吸収コレクタ２３０に到達する電子は帰路のエネルギー蓄積器２１４に移動し、帰路の電子吸収コレクタ２３０には電子が殆ど残存しないので、後続して帰路の電子吸収コレクタ２３０に接近する電子の進路を妨害することは殆ど無い。正孔も帰路のキャリア出力物質３３４から帰路のエネルギー蓄積器２１４に移動し、そこで電子と正孔がダイポールを形成するので、正孔が保有する正電荷が帰路のキャリア出力物質３３４から帰路のチャネル形成物質３３６に移動する電子の動きを妨害することも殆どなくなり、良好な発電が行われる事が本発明の発電装置の特徴である。先行する発電装置においては、電子と正孔が元の物質に残存し、後続のキャリアの動きを妨害するので、高効率の発電を実現することが困難であった。
【０１７８】
エミッションされた電子が加速されて帰路の電子吸収コレクタ２３０に衝突するので、帰路の電子吸収コレクタ２３０の温度が上昇する。帰路の電子吸収コレクタ２３０の温度が上昇し、熱エネルギーが帰路の熱伝導器１２４を経由して往路のキャリア出力物質３３３に伝導される。従って、往路のキャリア出力物質３３３の中にある電子の運動エネルギーが増加するので、往路においてエミッションされる電子の数が増加する。すなわち、電子が加速されてその運動エネルギーが増加すると、運動エネルギーが電子の衝突により熱エネルギーに変換され、熱エネルギーが往路においてエミッションする電子の数を増加するので、熱フィードバック方式の電界効果発電装置は全ての発生するエネルギーが有効に利用されるので、発電効率が向上する。すなわち、電子が加速されてその運動エネルギーが増加すると、運動エネルギーが電子の衝突により熱エネルギーに変換され、熱エネルギーが次の往路における電子のエミッション数を増加する。往路におけるエミッションされた電子の衝突により往路の電子吸収コレクタ２２９の温度が上昇し、帰路におけるエミッションされた電子の衝突により帰路の電子吸収コレクタ２３０の温度が上昇するので、全体のエミッションされる電子の数が増加し、熱フィードバック方式の電界効果発電装置の発電効率が向上する。実際には往路の電子吸収コレクタ２２９および帰路の電子吸収コレクタ２３０の温度上昇が著しく大きくなると、装置の耐久性がなくなるので、電源電圧を制御することにより装置に最適な温度に設定することにより、電界効果発電装置の長期的な使用が可能となる。
【０１７９】
本発明の第１５の実施形態に係る電界効果発電装置において、交互発電方式を採用する場合にモード１の状態の断面を図８３に示す。交互発電方式の電界効果発電装置においては、電源として第一電源３１、第二電源３２、第三電源３３、第四電源３４、第五電源３５、第六電源３６、第七電源３７および第八電源３８を図７９の場合と同様にキャリア加速装置の電極に接続するが、同図にはこれらの表示を省略する。図８３に示すように、基板１９の表面上にチャネル形成物質２と電子吸収コレクタ２６が配置される。チャネル形成物質２と電子吸収コレクタ２６の上面には絶縁物８が配置される。チャネル形成物質２および電子吸収コレクタ２６は共にグラフェンが用いられる。グラフェンであるチャネル形成物質２とキャリア出力物質１は電気的に接続される。しかし、チャネル形成物質２がカーボン系のグラフェンである場合には、キャリア出力物質１とチャネル形成物質２を電気的に接続するには、特殊な接着方法を適用する必要がある。すなわち、キャリア出力物質１の例としてチタンを用いると、１１０度Ｃ位においてカーボン系のチャネル形成物質２と良好に電気的な接続が行われる。本発明の交互発電方式の電界電子発電装置においては、モードを切り替えることによりキャリア出力物質１が加熱され、高温になるので、キャリア出力物質１とチャネル形成物質２を高温状態で電気的に接続することにより良好な発電効率が得られる。グラフェンである電子吸収コレクタ２６とコレクタ２４は電気的に接続される。
【０１８０】
交互発電方式の電界効果発電装置においては、モード１とモード２がある。モード１とモード２の切り替えは、モード１の開始スィッチ１０１およびモード２の開始スィッチ１０２を用いて行う。モード１の開始スィッチ１０１およびモード２の開始スィッチ１０２は図７９に示す場合と同様に電源とキャリア加速装置の電極の間にそれらを接続するが、図８３においてはそれらの表示を省略する。図８３において、第一電源３１の正電圧端子はキャリア加速装置の第一電極６１に電気的に接続される。第一電源３１の負電圧端子はモード１の開始スィッチ１０１を介してキャリア出力物質１に電気的に接続される。キャリア入出力物質１からチャネル形成物質２にキャリアである電子をインジェクションするために第一電源３１が用いられる。キャリア加速装置の第一電極６１はインジェクション電極として作用する。第二電源３２の負電圧端子はキャリア加速装置の第一電極６１に電気的に接続され、第二電源３２の正電圧端子はキャリア加速装置の第二電極６２に電気的に接続される。第三電源３３の負電圧端子はキャリア加速装置の第二電極６２に電気的に接続され、第三電源３３の正電圧端子はキャリア加速装置の第三電極６３に電気的に接続される。第四電源３４の負電圧端子はキャリア加速装置の第三電極６３に電気的に接続され、第四電源３４の正電圧端子はキャリア加速装置の第四電極６４に電気的に接続される。キャリア加速装置の第二電極６２、キャリア加速装置の第三電極６３およびキャリア加速装置の第四電極６４はスライディング電極として作用する。第五電源３５の負電圧端子はキャリア加速装置の第四電極６４に電気的に接続され、第五電源３５の正電圧端子はキャリア加速装置の第八電極６８に電気的に接続される。第六電源３６の負電圧端子はキャリア加速装置の第八電極６８に電気的に接続され、第六電源３６の正電圧端子はキャリア加速装置の第七電極６７に電気的に接続される。第七電源３７の負電圧端子はキャリア加速装置の第七電極６７に電気的に接続され、第七電源３７の正電圧端子はキャリア加速装置の第六電極６６に電気的に接続される。第八電源３８の負電圧端子はキャリア加速装置の第六電極６６に電気的に接続され、第八電源３８の正電圧端子はキャリア加速装置の第五電極６５に電気的に接続される。キャリア加速装置の第八電極６８、キャリア加速装置の第七電極６７、キャリア加速装置の第六電極６６およびキャリア加速装置の第五電極６５はエミッション電極および加速電極として作用する。電界効果発電のモード１においては、モード１の開始スイッチ１０１が導通状態であり、モード２の開始スイッチ１０２が非導通状態である。キャリア出力物質１は導電性であり、通常は金属が用いられる。正電圧が加えられるキャリア加速装置の第一電極６１と負電圧が加えられるキャリア出力物質１の間には電界が発生し、その電界の作用によってキャリア出力物質１からキャリアである電子がチャネル形成物質２にインジェクションされる。その際には、キャリア出力物質１とチャネル形成物質２との間にあるポテンシャル障壁は、キャリア加速装置の第一電極６１とキャリア出力物質１の間に発生する電界によってトンネル効果により電子が貫通して通過する。キャリア加速装置の第一電極６１はトンネル電極として作用する。インジェクションされた電子は加速チャネル９内を移動する。インジェクションされた電子はキャリア加速装置の第一電極６１、キャリア加速装置の第二電極６２、キャリア加速装置の第三電極６３、キャリア加速装置の第四電極６４、キャリア加速装置の第八電極６８、キャリア加速装置の第七電極６７、キャリア加速装置の第六電極６６およびキャリア加速装置の第五電極６５に加えられた正電圧により発生する電界によって加速チャネル９において加速され、電子の運動エネルギーが大きくなる。キャリア加速装置の第一電極６１、キャリア加速装置の第二電極６２、キャリア加速装置の第三電極６３、キャリア加速装置の第四電極６４、キャリア加速装置の第八電極６８、キャリア加速装置の第七電極６７、キャリア加速装置の第六電極６６およびキャリア加速装置の第五電極６５はエミッション電極および加速電極として作用する。大きな運動エネルギーを保有する電子が非可逆過程発生部４に到達し、チャネル形成物質２からエミッションされる。この際に、チャネル形成物質２と真空との間にある仕事関数に相当するポテンシャル障壁は、発生する電界によりトンネル効果に基づいて貫通して通過し、電子が真空中にエミッションされる。エミッションされた電子は絶縁物８と基板１９の間を飛翔し、電子吸収コレクタ２６に到達し、最終的にはコレクタ２４に到達する。コレクタ２４に到達した電子はモード１のエネルギー蓄積器１１５に移動する。一方、キャリアである電子を出力したキャリア出力物質１には正孔が残存する。正孔はモード１のエネルギー蓄積器１１５に移動し、そこで電子と正孔がダイポールを形成する。コレクタ２４に到達する電子はモード１のエネルギー蓄積器１１５に移動し、コレクタ２４には電子が殆ど残存しないので、後続してコレクタ２４に接近する電子の進路を妨害することは殆ど無い。正孔もキャリア出力物質１からモード１のエネルギー蓄積器１１５に移動し、そこで電子と正孔がダイポールを形成するので、正孔が保有する正電荷がキャリア出力物質１からチャネル形成物質２に移動する電子の動きを妨害することも殆どなくなり、良好な発電が行われる事が本発明の発電装置の特徴である。先行する発電装置においては、電子と正孔が元の物質に残存し、後続のキャリアの動きを妨害するので、高効率の発電を実現することが困難であった。エミッションされた電子が加速されて電子吸収コレクタ２６に衝突するので、電子吸収コレクタ２６の温度が上昇する。電子吸収コレクタ２６の温度が上昇すると、その中にある電子の運動エネルギーが増加するので、モード２に切り替えられると、エミッションされる電子の数が増加する。すなわち、電子が加速されてその運動エネルギーが増加すると、運動エネルギーが電子の衝突により熱エネルギーに変換され、熱エネルギーが次のモードにおいてエミッションする電子の数を増加するので、交互発電方式の電界効果発電装置は全ての発生するエネルギーが有効に利用されるので、発電効率が向上する。
【０１８１】
電界効果発電のモード２においては、モード１の開始スイッチ１０１が非導通状態であり、モード２の開始スイッチ１０２が導通状態である。モード２の交互発電方式の電界効果発電装置においては、電源として第一電源３１、第二電源３２、第三電源３３、第四電源３４、第五電源３５、第六電源３６、第七電源３７および第八電源３８を図７９に示す場合のようにキャリア加速装置の電極に接続するが、同図においてはそれらを省略する。
【０１８２】
本発明の第１５の実施形態に係る電界効果発電装置において、交互発電方式を採用する場合にモード２の状態の断面を図８４に示す。同図において、第一電源３１の正電圧端子はキャリア加速装置の第五電極６５に電気的に接続される。第一電源３１の負電圧端子はモード２の開始スィッチ１０２を介してキャリア出力物質１に電気的に接続される。キャリア入出力物質１からチャネル形成物質２にキャリアである電子をインジェクションするために第一電源３１が用いられる。キャリア加速装置の第五電極６５はキャリア入出力物質１からチャネル形成物質２に電子をインジェクションするためのインジェクション電極として作用する。第二電源３２の負電圧端子はキャリア加速装置の第五電極６５に電気的に接続され、第二電源３２の正電圧端子はキャリア加速装置の第六電極６６に電気的に接続される。第三電源３３の負電圧端子はキャリア加速装置の第六電極６６に電気的に接続され、第三電源３３の正電圧端子はキャリア加速装置の第七電極６７に電気的に接続される。第四電源３４の負電圧端子はキャリア加速装置の第七電極６７に電気的に接続され、第四電源３４の正電圧端子はキャリア加速装置の第八電極６８に電気的に接続される。第五電源３５の負電圧端子はキャリア加速装置の第八電極６８に電気的に接続される。キャリア加速装置の第六電極６６、キャリア加速装置の第七電極６７およびキャリア加速装置の第八電極６８はスライディング電極として作用する。第五電源３５の正電圧端子はキャリア加速装置の第四電極６４に電気的に接続される。第六電源３６の負電圧端子はキャリア加速装置の第四電極６４に電気的に接続され、第六電源３６の正電圧端子はキャリア加速装置の第三電極６３に電気的に接続される。第七電源３７の負電圧端子はキャリア加速装置の第三電極６３に電気的に接続され、第七電源３７の正電圧端子はキャリア加速装置の第二電極６２に電気的に接続される。第八電源３８の負電圧端子はキャリア加速装置の第二電極６２に電気的に接続され、第八電源３８の正電圧端子はキャリア加速装置の第１電極６１に電気的に接続される。
【０１８３】
キャリア加速装置の第四電極６４、キャリア加速装置の第三電極６３、キャリア加速装置の第二電極６２およびキャリア加速装置の第１電極６１はエミッション電極および加速電極として作用する。電界効果発電のモード２においては、モード２の開始スイッチ１０２が導通状態であり、モード１の開始スイッチ１０１が非導通状態である。キャリア出力物質１は導電性であり、通常は金属が用いられる。基板１９の表面上にチャネル形成物質２と電子吸収コレクタ２６が配置される。チャネル形成物質２および電子吸収コレクタ２６は共にグラフェンが用いられる。グラフェンであるチャネル形成物質２とキャリア出力物質１は電気的に接続される。しかし、チャネル形成物質２がカーボン系のグラフェンである場合には、キャリア出力物質１とチャネル形成物質２を電気的に接続するには、特殊な接着方法を適用する必要がある。すなわち、キャリア出力物質１の例としてチタンを用いると、１１０度Ｃ位においてカーボン系のチャネル形成物質２と良好に電気的な接続が行われる。本発明の交互発電方式の電界電子発電装置においては、モードを切り替えることによりキャリア出力物質１が加熱され、高温になるので、キャリア出力物質１とチャネル形成物質２を高温状態で電気的に接続することにより良好な発電効率が得られる。グラフェンである電子吸収コレクタ２６とコレクタ２４は電気的に接続される。
【０１８４】
正電圧が加えられるキャリア加速装置の第一電極６１と負電圧が加えられるキャリア出力物質１の間には電界が発生し、その電界の作用によってキャリア出力物質１からキャリアである電子がチャネル形成物質２にインジェクションされる。その際には、キャリア出力物質１とチャネル形成物質２との間にあるポテンシャル障壁は、キャリア加速装置の第一電極６１とキャリア出力物質１の間に発生する電界によってトンネル効果により電子が貫通して通過する。キャリア加速装置の第一電極６１はトンネル電極として作用する。インジェクションされた電子は加速チャネル９内を移動する。インジェクションされた電子はキャリア加速装置の第五電極６５、キャリア加速装置の第六電極６６、キャリア加速装置の第七電極６７、キャリア加速装置の第八電極６８、キャリア加速装置の第四電極６４、キャリア加速装置の第三電極６３、キャリア加速装置の第二電極６２およびキャリア加速装置の第一電極６１に加えられた正電圧により発生する電界によって加速チャネル９において加速され、電子の運動エネルギーが大きくなる。大きな運動エネルギーを保有する電子が非可逆過程発生部４に到達し、チャネル形成物質２からエミッションされる。この際に、チャネル形成物質２と真空との間にある仕事関数に相当するポテンシャル障壁は、発生する電界によりトンネル効果に基づいて貫通して通過し、電子が真空中にエミッションされる。エミッションされた電子は絶縁物８と基板１９の間を飛翔し、電子吸収コレクタ２６に到達し、最終的にはコレクタ２４に到達する。
【０１８５】
コレクタ２４に到達した電子はモード２のエネルギー蓄積器１１６に移動する。一方、キャリアである電子を出力したキャリア出力物質１には正孔が残存する。正孔はモード２のエネルギー蓄積器１１６に移動し、そこで電子と正孔がダイポールを形成する。コレクタ２４に到達する電子はモード２のエネルギー蓄積器１１６に移動し、コレクタ２４には電子が殆ど残存しないので、後続してコレクタ２４に接近する電子の進路を妨害することは殆ど無い。正孔もキャリア出力物質１からモード２のエネルギー蓄積器１１６に移動し、そこで電子と正孔がダイポールを形成するので、正孔が保有する正電荷がキャリア出力物質１からチャネル形成物質２に移動する電子の動きを妨害することも殆どなくなり、良好な発電が行われる事が本発明の発電装置の特徴である。先行する発電装置においては、電子と正孔が元の物質に残存し、後続のキャリアの動きを妨害するので、高効率の発電を実現することが困難であった。
【０１８６】
エミッションされた電子が加速されて電子吸収コレクタ２６に衝突するので、電子吸収コレクタ２６の温度が上昇する。電子吸収コレクタ２６の温度が上昇すると、電子吸収コレクタ２６の中の電子が保有する運動エネルギーが増加するので、モード２からモード１に切り替えられると、エミッションされる電子の数が増加する。すなわち、電子が加速されてその運動エネルギーが増加すると、運動エネルギーが電子の衝突により熱エネルギーに変換され、熱エネルギーが次ぎのモードにおける電子のエミッション数を増加する。モード１とモード２を繰り返すことによりエミッションされる電子の数が増加し、交互発電方式の電界効果発電装置の発電効率が向上する。実際には電子吸収コレクタ２６の温度上昇が著しく大きくなると、装置の耐久性がなくなるので、モード１の開始スイッチ１０１およびモード２の開始スイッチ１０２の導通期間を調整することにより装置に最適な温度に設定することにより電界効果発電装置を長期的に使用する。
【０１８７】
本発明の第１６の実施形態に係る電界効果発電装置において、４段の熱フィードバック方式を採用する場合の断面図を図８５に示す。同図には、４個の発電ユニットが９０度の回転角を保持して配置される。４個の発電ユニットは対応するパーツには同じ符号を用いて示す。エミッションされた電子が４個の電子吸収コレクタ２６の１個に衝突する。電子が衝突した電子吸収コレクタ２６は時計の回転方向に順次に加熱される。４個の発電ユニットの動作は全て同じであるので、図８５の左上に記載されている発電ユニットに注目して説明する。
【０１８８】
図８５に示す基板１９は絶縁性である。すなわち、二酸化シリコンなどの絶縁物を用いて基板１９を作成する。基板１９の上にはキャリア出力物質１およびチャネル形成物質２が配置される。キャリア出力物質１は導電性物質であり、具体例としてチタン、ニッケル、銅、金および銀などがある。チャネル形成物質２の上には絶縁物８が配置され、絶縁物８の上部にはキャリア加速装置の第一電極６１、キャリア加速装置の第二電極６２、キャリア加速装置の第三電極６３、キャリア加速装置の第四電極６４およびキャリア加速装置の第五電極６５が配置される。チャネル形成物質２としてグラフェンを用いる場合を示す。炭素原子がsp2混成軌道によって化学結合すると、二次元状に結合した炭素六角網面を形成する。この平面構造を持つ炭素原子の集合体はグラフェンと呼ばれる。炭素原子が６角形の網の目状に並んだ構造のグラフェンがグラファイトの１層を形成し、多層のグラフェンが積層することによりグラファイト全体が構成される。グラフェンにおいては炭素の６員環が平面状に結合しており、厚さは分子のオーダであり、平面方向には電気伝導性が極めて良好である。すなわち、グラフェン中におけるは電子の移動度は非常に大きく、2０,０cm2/Vsにも達し、電子が殆ど抵抗を受けずに炭素の６員環から６員環へと平面状に移動する。図７５に示すように、第一電源３１、第二電源３２、第三電源３３、第四電源３４および第五電源３５を用いるが、これらの電源は図８５には記載されていない。第一電源３１の負電圧端子はキャリア出力物質１に電気的に接続され、第一電源３１の正電圧端子はキャリア加速装置の第一電極６１に電気的に接続される。キャリア入出力物質１からチャネル形成物質２にキャリアである電子をインジェクションするために第一電源３１を用いる。第二電源３２の負電圧端子はキャリア加速装置の第一電極６１に電気的に接続され、第二電源３２の正電圧端子はキャリア加速装置の第二電極６２に電気的に接続される。第三電源３３の負電圧端子はキャリア加速装置の第二電極６２に電気的に接続され、第三電源３３の正電圧端子はキャリア加速装置の第三電極６３に電気的に接続される。第四電源３４の負電圧端子はキャリア加速装置の第三電極６３に電気的に接続され、第四電源３４の正電圧端子はキャリア加速装置の第四電極６４に電気的に接続される。第五電源３５の負電圧端子はキャリア加速装置の第四電極６４に電気的に接続され、第五電源３５の正電圧端子はキャリア加速装置の第五電極６５に電気的に接続される。
【０１８９】
第一電源３１からキャリア加速装置の第一電極６１に加えられる正電圧およびキャリア出力物質１に加えられる負電圧により電界が形成される。キャリア加速装置の第一電極６１からキャリア出力物質１の方向に形成された電界の効果によって、キャリア出力物質１からグラフェン状のチャネル形成物質２にキャリアである電子がインジェクションされる。キャリア加速装置の第一電極６１はインジェクション電極として作用する。インジェクションされた電子は加速チャネル９の内において、キャリア加速装置の第一電極６１、キャリア加速装置の第二電極６２およびキャリア加速装置の第三電極６３に加えられる正電圧によって加速される。キャリア加速装置の第二電極６２およびキャリア加速装置の第三電極６３は、電子がグラフェンの表面を加速されて移動するスライディング電極として作用する。キャリア加速装置の第四電極６４およびキャリア加速装置の第五電極６５は下部にある絶縁物８の中にも配置され、これらの電極にも電源から電圧が加えられている。グラフェンであるチャネル形成物質２の表面上を電子が高速に移動することにより、電子は充分に大きな運動エネルギーを獲得する。高速化された電子はチャネル形成物質２の表面から離脱し、真空中にエミッションされる。キャリア加速装置の第四電極６４はエミッション電極として作用する。エミッションの際には、非可逆過程発生部４であるポテンシャル障壁を電子が量子力学的なトンネル効果により通過する。エミッションされた電子はキャリア加速装置の第五電極６５に加えられた正電圧により加速される。すなわち、キャリア加速装置の第五電極６５は加速電極として作用する。飛翔する電子が加速されて、その運動エネルギーが充分に大きくなると、電子吸収コレクタ２６から受けるクーロンの法則に従う反発力に打ち勝って、電子吸収コレクタ２６に衝突し、これに収集される。図５０に示すように、電子吸収コレクタ２６はエネルギー蓄積器１５の一方の端子に電気的に接続されるが、図８５にはエネルギー蓄積器を省略する。電子吸収コレクタ２６に到達した電子はエネルギー蓄積器１５の一方の端子に到達する。キャリア出力物質１の中に残存する正孔はエネルギー蓄積器１５の他方の端子に到達し、エネルギー蓄積器１５の中で正孔と電子がペアを形成し、そこに蓄積される。エネルギー蓄積器１５の一方の端子に電気的負荷５の一方の端子を接続し、エネルギー蓄積器１５の他方の端子に電気的負荷５の他方の端子を接続すると、エネルギー蓄積器１５に蓄積されていた正孔と電子が電気的負荷５に到達し、そこで再結合することにより両者は消滅し、この過程において電気的負荷５に電気エネルギーが供給される。
【０１９０】
図８５において、電子吸収コレクタ２６は熱伝導性の良好な物質を用いる。電子吸収コレクタ２６は基板１９と熱伝導性が良好な状態で接合する。基板１９としてマイカや二酸化シリコンなどの絶縁性物質を用い、その厚さは非常に薄いものを用いる。キャリア出力物質１およびチャネル形成物質２は共に熱伝導性が良好な物質を用いる。キャリア出力物質１およびチャネル形成物質２は共に基板１９と熱伝導性が良好な状態で接続されている。電子吸収コレクタ２６には飛翔する電子が加速されて衝突するので、電子吸収コレクタ２６の温度は上昇する。電子吸収コレクタ２６に供給された熱エネルギーは基板１９に良好に伝導される。高温状態になった基板１９の熱エネルギーは基板１９からキャリア出力物質１およびチャネル形成物質２に伝導され、キャリア出力物質１およびチャネル形成物質２の温度が上昇する。図８５の左上に示す第一の発電ユニットからエミッションされた電子が同図の右上に示す第二の発電ユニットのキャリア出力物質１およびチャネル形成物質２の温度を上昇する。第二の発電ユニットのキャリア出力物質１およびチャネル形成物質２の中にある電子が保有する運動エネルギーが大きくなる。すなわち、第二の発電ユニットのキャリア出力物質１およびチャネル形成物質２に対してエネルギーの前供給(pre-supply)が行われる。第二の発電ユニットのキャリア出力物質１およびチャネル形成物質２の中にある電子が保有する運動エネルギーが大きくなるので、チャネル形成物質２からエミッションされる電子の数が増加する。
【０１９１】
上記に記載する熱エネルギーの循環は、第一の発電ユニット、第二の発電ユニット、第三の発電ユニットおよび第四の発電ユニットへと順次に繰り返されることにより、各々のチャネル形成物質２からエミッションされる電子の数が次第に増加する。装置の耐久性と発電効率などを考慮して最適のエミッション電子の数が決定される。そのためには、発電出力が最適な状態になるように、外部から供給する電源の電圧の値を制御する。上記に記載の電界電子発電装置においては、エミッションされた電子を加速し、その運動エネルギーを大きくして、電子吸収コレクタ２６の温度を高くすることにより発電に寄与する電子の数を多くする。すなわち、電子の衝突により発生する熱エネルギーを発電現象にフィードバックして利用するので、発電効率が非常に良好になり、実用性が増す。電界電子発電装置において得られる電気エネルギーは電子に対する電界の効果が発生原因であり、外部から他のエネルギーを殆ど供給しないので、これは従来のエネルギー変換器とは異なる真の発電装置であると言える。
【図面の簡単な説明】
【０１９２】
【図１】物質内に正電荷と負電荷が存在する場合を示す。
【図２】本発明の電界効果発電装置において、電源の正電圧端子と電源の負電圧端子を示す。
【図３】本発明の電界効果発電装置において、電源正電圧端子と電源負電圧端子との間に絶縁物が存在する場合を示す。
【図４】本発明の電界効果発電装置において、電源正電圧端子と電源負電圧端子にエネルギー蓄積器を接続する場合を示す。
【図５】本発明の電界効果発電装置において、エネルギー蓄積器と並列に電気的負荷を接続する場合を示す。
【図６】本発明の電界効果発電装置において、キャリア出力物質とチャネル形成物質を電気的に接続し、チャネル形成物質をキャリア出力物質と電子吸収コレクタの間に配置する場合を示す。
【図７】本発明の電界効果発電装置において、キャリア出力物質とチャネル形成物質の間にあるポテンシャル障壁発生部およびチャネル形成物質の境界にある非可逆過程発生部である。
【図８】本発明の電界効果発電装置において、チャネル形成物質の表面にある加速チャネルを示す。
【図９】本発明の電界効果発電装置において、チャネル形成物質の表面においてキャリアがスライディング的に移動する場合を示す。
【図１０】本発明の電界効果発電装置において、チャネル形成物質から電子がエミッションを行う場合を示す。
【図１１】本発明の電界効果発電装置において、電界効果発電装置のブロック図である。
【図１２】本発明の電界効果発電装置において、キャリア加速装置の内部のブロック図を示す。
【図１３】本発明の電界効果発電装置において、エネルギー蓄積器を示す。
【図１４】本発明の電界効果発電装置において、エネルギー蓄積器の入力モードを示す。
【図１５】本発明の電界効果発電装置において、エネルギー蓄積器の出力モードを示す。
【図１６】モノポールの具体例を示す。
【図１７】正電荷と負電荷により構成されるダイポールを示す。
【図１８】正電荷蓄積導体と負電荷蓄積導体の中にダイポールが形成される場合を示す。
【図１９】ダイポールに電子が接近する場合を示す。
【図２０】本発明の電界効果発電装置において、キャリア加速装置が複数個の電極によって構成される場合を示す。
【図２１】本発明の電界効果発電装置において、チャネル形成物質と絶縁物の間に加速チャネルが形成される場合である。
【図２２】本発明の電界効果発電装置において、キャリア出力物質とチャネル形成物質の近傍におけるキャリアの動作を示す。
【図２３】本発明の電界効果発電装置において、チャネル形成物質がP型半導体である場合における絶縁物中の２個のキャリア加速装置の電極を示す。
【図２４】本発明の電界効果発電装置において、キャリア加速装置の第一電極とキャリア加速装置の第二電極によって形成される電気力線である。
【図２５】本発明の電界効果発電装置において、キャリア出力物質とチャネル形成物質の間に存在するポテンシャル障壁発生部がある場合を示す。
【図２６】量子力学的なトンネル効果によりキャリア出力物質からチャネル形成物質へ電子が通過する場合を示す。
【図２７】キャリア出力物質に正電荷が蓄積され、チャネル形成物質に負電荷が蓄積される場合を示す。
【図２８】可逆的な現象であり、チャネル形成物質からキャリア出力物質へ電子が逆戻りする場合を示す。
【図２９】電子がポテンシャル障壁を量子力学的なトンネル効果により貫通して通過する場合を示す。
【図３０】電子が熱電子放出によりポテンシャル障壁を越えてエミッションされる場合を示す。
【図３１】強電界によりポテンシャル障壁の厚さが薄くなり、量子力学的なトンネル効果により電子が貫通して通過する場合を示す。
【図３２】本発明の電界効果発電装置において、飛翔する電子がサプレッサ電極を通過して電子吸収コレクタに接近する場合を示す。
【図３３】物質中にある電子の統計的なエネルギー分布を示す。
【図３４】電子のポテンシャル障壁に対応するエネルギーの閾値をＴで示す。
【図３５】本発明の電界電子発電において、チャネル形成物質と絶縁物との境界に出現する加速チャネルを示す。
【図３６】本発明の電界効果発電装置において、チャネル形成物質の凸領域に２次電子放出部材を配置し、電子がエミッションされる場合を示す。
【図３７】本発明の電界効果発電装置において、キャリアである電子が加速チャネル内において２次電子放出部材に衝突しながら進行する場合を示す。
【図３８】本発明の電界効果発電装置において、キャリアである電子が加速チャネル内において、その飛翔軌道が曲げられて進行する場合を示す。
【図３９】本発明の電界効果発電装置において、加速チャネル内で電子が電界偏向を受けて軌道が曲げられて、電子吸収コレクタに収集される場合の上面図を示す。
【図４０】本発明の電界効果発電装置において、電子が電界偏向を受けて加速チャネル内を移動し、電子吸収コレクタに収集される場合の上面図を示す。
【図４１】本発明の電界効果発電装置において、電子が磁界偏向を受けて加速チャネル内を移動し、電子吸収コレクタに収集される場合を示す。
【図４２】本発明の電界効果発電装置において、加速チャネル内で電子が磁界偏向を受けて軌道が曲げられて、電子吸収コレクタに収集される場合の上面図を示す。
【図４３】S.Dushmanによって導出された熱電子放出の公式を示す。
【図４４】熱電子放出の公式に基づいて算出されたタングステンの電子エミッション特性を示す。
【図４５】本発明の電界効果発電装置において、チャネル形成物質として炭素系の材料を用いる場合を示す。
【図４６】本発明の電界効果発電装置において、チャネル形成物質として炭素系物質とサブ・ナノメータ物質を拡大して示す。
【図４７】本発明の電界効果発電装置において、スィッチング方式により出力電圧を制御する装置の断面を示す。
【図４８】本発明の電界効果発電装置において、第一段目のエミッタの周辺を拡大して示す。
【図４９】本発明の第１の実施形態に係る電界効果発電装置において、キャリア出力物質としてＮ型半導体を用い、チャネル形成物質としてＰ型半導体を用いる場合の断面図を示す。
【図５０】本発明の第２の実施形態に係る電界効果発電装置において、２段カスケード・フィードバック方式を適用する場合の断面図を示す。
【図５１】本発明の第２の実施形態に係る電界効果発電装置において、２段カスケード・フィードバック方式を適用する場合の外観図の一部を示す。
【図５２】本発明の第２の実施形態に係る電界効果発電装置に２段カスケード・フィードバック方式を適用する場合において、第一段目のキャリア出力物質の周辺の断面図を示す。
【図５３】本発明の第２の実施形態に係る電界効果発電装置に２段カスケード・フィードバック方式を適用する場合において、第二段目のキャリア出力物質の周辺の断面図を示す。
【図５４】本発明の第２の実施形態に係る電界効果発電装置に２段カスケード・フィードバック方式を適用する場合において、帰路の第一段目のキャリア出力物質の周辺の断面図を示す。
【図５５】本発明の第２の実施形態に係る電界効果発電装置に２段カスケード・フィードバック方式を適用する場合において、帰路の第二段目のキャリア出力物質の周辺の断面図を示す。
【図５６】本発明の第２の実施形態に係る電界効果発電装置に２段カスケード・フィードバック方式を適用する例において、熱伝導器を用いる場合の断面図を示す。
【図５７】本発明の第３の実施形態に係る電界効果発電装置において、３段カスケード方式を採用する場合の断面図を示す。
【図５８】本発明の第３の実施形態に係る電界効果発電装置において、３段カスケード方式を採用する場合に第三段目のキャリア出力物質の周辺の断面図を示す。
【図５９】本発明の第４の実施形態に係る電界効果発電装置において、キャリア加速装置として４個の電極を用いる場合の断面図を示す。
【図６０】本発明の第４の実施形態に係る電界効果発電装置において、キャリア出力物質の周辺を拡大して断面図を示す。
【図６１】本発明の第５の実施形態に係る電界効果発電装置において、交互発電方式を採用する場合にモード０の状態における断面図を示す。
【図６２】本発明の第５の実施形態に係る電界効果発電装置において、交互発電方式を採用する場合にモード１の状態における断面図を示す。
【図６３】本発明の第５の実施形態に係る電界効果発電装置において、交互発電方式を採用する場合にモード２の状態における断面図を示す。
【図６４】本発明の第５の実施形態に係る電界効果発電装置において、交互発電方式を採用する場合にモード１の状態における外観図を示す。
【図６５】本発明の第６の実施形態に係る電界効果発電装置において、キャリア出力物質としてＮ型半導体を用い、チャネル形成物質としてＰ型半導体を用いる場合の断面図を示す。
【図６６】本発明の第７の実施形態に係る電界効果発電装置において、キャリア出力物質としてＮ型半導体を用い、チャネル形成物質としてＰ型半導体を用いる場合の断面図を示す。
【図６７】本発明の第８の実施形態に係る電界効果発電装置において、キャリア出力物質としてＮ型半導体を用い、チャネル形成物質としてＰ型半導体を用いる場合の断面図を示す。
【図６８】本発明の第９の実施形態に係る電界効果発電装置において、キャリアとして正孔と電子を共に用い、電極を絶縁する場合の断面図を示す。
【図６９】本発明の第９の実施形態に係る電界効果発電装置において、キャリアとして正孔と電子を共に用い、電極を絶縁しない場合の断面図を示す。
【図７０】本発明の第９の実施形態に係る電界効果発電装置において、キャリアとして正孔と電子を共に用い、チャネル形成物質に傾斜がある場合の断面図を示す。
【図７１】本発明の第９の実施形態に係る電界効果発電装置において、キャリアとして正孔と電子を共に用いる場合の上面図を示す。
【図７２】本発明の第１０の実施形態に係る電界効果発電装置において、キャリア出力物質としてＮ型半導体を用い、２個の並列チャネル形成物質としてＰ型半導体を用いる場合の上断面図を示す。
【図７３】本発明の第１１の実施形態に係る電界効果発電装置において、キャリア出力物質としてＮ型半導体を用い、チャネル形成物質としてＰ型半導体を用い、チャネル形成物質に傾斜がある場合の断面図を示す。
【図７４】本発明の第１２の実施形態に係る電界効果発電装置において、チャネル形成物質としてグラフェンを用いる場合の外観図を示す。
【図７５】本発明の第１２の実施形態に係る電界効果発電装置において、チャネル形成物質としてグラフェンを用いる場合の断面図を示す。
【図７６】本発明の第１２の実施形態に係る電界効果発電装置において、チャネル形成物質としてグラフェンを用いる場合に電子吸収コレクタ付近を拡大して断面図を示す。
【図７７】本発明の第１２の実施形態に係る電界効果発電装置において、キャリア吸収グラフェンおよびキャリア放出グラフェンの配置を示す。
【図７８】本発明の第１２の実施形態に係る電界効果発電装置において、キャリア吸収グラフェンおよびキャリア放出グラフェンを用い、熱フィードバック方式を採用する場合の断面図を示す。
【図７９】本発明の第１３の実施形態に係る電界効果発電装置において、熱フィードバック方式を採用する場合の断面図を示す。
【図８０】本発明の第１３の実施形態に係る電界効果発電装置において、熱フィードバック方式を採用する場合に往路のキャリア出力物質の周辺を拡大して断面図を示す。
【図８１】本発明の第１３の実施形態に係る電界効果発電装置において、熱フィードバック方式を採用する場合に帰路のキャリア出力物質の周辺を拡大して断面図を示す。
【図８２】本発明の第１４の実施形態に係る電界効果発電装置において、熱フィードバック方式を採用する場合の断面図を示す。
【図８３】本発明の第１５の実施形態に係る電界効果発電装置において、交互発電方式を採用する場合にモード１の状態の断面図を示す。
【図８４】本発明の第１５の実施形態に係る電界効果発電装置において、交互発電方式を採用する場合にモード２の状態の断面図を示す。
【図８５】本発明の第１６の実施形態に係る電界効果発電装置において、４段の熱フィードバック方式を採用する場合の断面図を示す。
【符号の説明】
【０１９３】
１・・・  キャリア出力物質
２・・・  チャネル形成物質
３・・・  キャリア加速装置
４・・・  非可逆過程発生部
５・・・  電気的負荷
６・・・  キャリア
７・・・  アンチ・キャリア
８・・・  絶縁物
９・・・  加速チャネル
１０・・・  Ｐ型半導体
１１・・・  Ｎ型半導体
１２・・・  ＰＮ接合物質
１３・・・  負電荷蓄積導体
１４・・・  正電荷蓄積導体
１５・・・  エネルギー蓄積器
１６・・・  正電荷の入出力部
１７・・・  負電荷の入出力部
１８・・・  微小曲率半径物質
１９・・・  基板
２０・・・  ポテンシャル障壁発生部
２１・・・  キャリアのインジェクション
２２・・・  エミッション
２３・・・  キャリアの表面移動
２４・・・  コレクタ
２５・・・  サプレッサ
２６・・・  電子吸収コレクタ
２７・・・  正孔吸収コレクタ
２８・・・  キャリア吸収コレクタ
３０・・・  電源
３１・・・  第一電源
３２・・・  第二電源
３３・・・  第三電源
３４・・・  第四電源
３５・・・  第五電源
３６・・・  第六電源
３７・・・  第七電源
３８・・・  第八電源
３９・・・  第九電源
４０・・・  第十電源
４１・・・  キャリア加速装置の正電極
４２・・・  キャリア加速装置の負電極
４３・・・  電源正電圧端子
４４・・・  電源負電圧端子
４９・・・  正孔
５０・・・  電子
５１・・・  導電性物質
６０・・・  キャリア加速装置の電極
６１・・・  キャリア加速装置の第一電極
６２・・・  キャリア加速装置の第二電極
６３・・・  キャリア加速装置の第三電極
６４・・・  キャリア加速装置の第四電極
６５・・・  キャリア加速装置の第五電極
６６・・・  キャリア加速装置の第六電極
６７・・・  キャリア加速装置の第七電極
６８・・・  キャリア加速装置の第八電極
６９・・・  キャリア加速装置の第九電極
７０・・・  キャリア加速装置の第十電極
７１・・・  キャリア吸収グラフェン
７２・・・  キャリア放出グラフェン
７３・・・  キャリア吸収基板
７４・・・  キャリア放出基板
７５・・・  サブ・ナノメータ物質
７６・・・  炭素系物質
８０・・・  ２次電子放出部材
８１・・・  キャリアに働くクーロン力
８２・・・  合成ベクトル
９０・・・  キャリア軌道偏向電源
９１・・・  キャリア軌道偏向正電極
９２・・・  キャリア軌道偏向負電極
９３・・・  キャリア軌道偏向Ｎ磁極
９４・・・  キャリア軌道偏向Ｓ磁極
１０１・・・  モード１の開始スィッチ
１０２・・・  モード２の開始スィッチ
１０５・・・  第一段目のエミッタ
１０６・・・  第二段目のエミッタ
１０７・・・  往路のキャリア出力物質
１０８・・・  帰路のキャリア出力物質
１１１・・・  第一段目のエネルギー蓄積器
１１２・・・  第二段目のエネルギー蓄積器
１１３・・・  第三段目のエネルギー蓄積器
１１５・・・  モード１のエネルギー蓄積器
１１６・・・  モード２のエネルギー蓄積器
１２０・・・  モード１の熱伝導器
１２１・・・  モード２の熱伝導器
１２３・・・  往路の熱伝導器
１２４・・・  帰路の熱伝導器
１２６・・・  熱エネルギー供給器
１２７・・・  第一段目の電子吸収コレクタ
１２８・・・  第二段目の電子吸収コレクタ
１２９・・・  第三段目の電子吸収コレクタ
１３１・・・  第一段目のキャリア出力物質
１３２・・・  第二段目のキャリア出力物質
１３３・・・  第三段目のキャリア出力物質
２１１・・・  帰路の第一段目のエネルギー蓄積器
２１２・・・  帰路の第二段目のエネルギー蓄積器
２１３・・・  往路のエネルギー蓄積器
２１４・・・  帰路のエネルギー蓄積器
２２６・・・  熱エネルギー供給器
２２７・・・  第一段目の電子吸収コレクタ
２２８・・・  第二段目の電子吸収コレクタ
２２９・・・  往路の電子吸収コレクタ
２３０・・・  帰路の電子吸収コレクタ
２３１・・・  帰路の第一電源
２３２・・・  帰路の第二電源
２３３・・・  帰路の第三電源
２３４・・・  帰路の第四電源
２３５・・・  帰路の第五電源
２３６・・・  帰路の第六電源
２６１・・・  帰路のキャリア加速装置の第一電極
２６２・・・  帰路のキャリア加速装置の第二電極
２６３・・・  帰路のキャリア加速装置の第三電極
２６４・・・  帰路のキャリア加速装置の第四電極
２６５・・・  帰路のキャリア加速装置の第五電極
２６６・・・  帰路のキャリア加速装置の第六電極
３００・・・  真空容器
３３１・・・  帰路の第一段目のキャリア出力物質
３３２・・・  帰路の第二段目のキャリア出力物質
３３３・・・  往路のキャリア出力物質
３３４・・・  帰路のキャリア出力物質
３３５・・・  往路のチャネル形成物質
３３６・・・  帰路のチャネル形成物質
【図１】
2012090358.tif 000003
【図２】
2012090358.tif 000004
【図３】
2012090358.tif 000005
【図４】
2012090358.tif 000006
【図５】
2012090358.tif 000007
【図６】
2012090358.tif 000008
【図７】
2012090358.tif 000009
【図８】
2012090358.tif 000010
【図９】
2012090358.tif 000011
【図１０】
2012090358.tif 000012
【図１１】
2012090358.tif 000013
【図１２】
2012090358.tif 000014
【図１３】
2012090358.tif 000015
【図１４】
2012090358.tif 000016
【図１５】
2012090358.tif 000017
【図１６】
2012090358.tif 000018
【図１７】
2012090358.tif 000019
【図１８】
2012090358.tif 000020
【図１９】
2012090358.tif 000021
【図２０】
2012090358.tif 000022
【図２１】
2012090358.tif 000023
【図２２】
2012090358.tif 000024
【図２３】
2012090358.tif 000025
【図２４】
2012090358.tif 000026
【図２５】
2012090358.tif 000027
【図２６】
2012090358.tif 000028
【図２７】
2012090358.tif 000029
【図２８】
2012090358.tif 000030
【図２９】
2012090358.tif 000031
【図３０】
2012090358.tif 000032
【図３１】
2012090358.tif 000033
【図３２】
2012090358.tif 000034
【図３３】
2012090358.tif 000035
【図３４】
2012090358.tif 000036
【図３５】
2012090358.tif 000037
【図３６】
2012090358.tif 000038
【図３７】
2012090358.tif 000039
【図３８】
2012090358.tif 000040
【図３９】
2012090358.tif 000041
【図４０】
2012090358.tif 000042
【図４１】
2012090358.tif 000043
【図４２】
2012090358.tif 000044
【図４３】
2012090358.tif 000045
【図４４】
2012090358.tif 000046
【図４５】
2012090358.tif 000047
【図４６】
2012090358.tif 000048
【図４７】
2012090358.tif 000049
【図４８】
2012090358.tif 000050
【図４９】
2012090358.tif 000051
【図５０】
2012090358.tif 000052
【図５１】
2012090358.tif 000053
【図５２】
2012090358.tif 000054
【図５３】
2012090358.tif 000055
【図５４】
2012090358.tif 000056
【図５５】
2012090358.tif 000057
【図５６】
2012090358.tif 000058
【図５７】
2012090358.tif 000059
【図５８】
2012090358.tif 000060
【図５９】
2012090358.tif 000061
【図６０】
2012090358.tif 000062
【図６１】
2012090358.tif 000063
【図６２】
2012090358.tif 000064
【図６３】
2012090358.tif 000065
【図６４】
2012090358.tif 000066
【図６５】
2012090358.tif 000067
【図６６】
2012090358.tif 000068
【図６７】
2012090358.tif 000069
【図６８】
2012090358.tif 000070
【図６９】
2012090358.tif 000071
【図７０】
2012090358.tif 000072
【図７１】
2012090358.tif 000073
【図７２】
2012090358.tif 000074
【図７３】
2012090358.tif 000075
【図７４】
2012090358.tif 000076
【図７５】
2012090358.tif 000077
【図７６】
2012090358.tif 000078
【図７７】
2012090358.tif 000079
【図７８】
2012090358.tif 000080
【図７９】
2012090358.tif 000081
【図８０】
2012090358.tif 000082
【図８１】
2012090358.tif 000083
【図８２】
2012090358.tif 000084
【図８３】
2012090358.tif 000085
【図８４】
2012090358.tif 000086
【図８５】
2012090358.tif 000087